(57)【要約】【課題】リモート制御を無効にすることによって必要となる確認作業の頻度を低減し、作業スタッフの作業効率の向上を図る【解決手段】島コントロール制御ユニット装置５は、遊技台島１００から離れた場所に設置された管理端末装置２から制御指示信号ＳＳを受信すると、制御指示信号ＳＳに基づいて、遊技玉循環設備（還元機２００、ヒータ２２０、玉抜きストッパー２３０等）を制御する。また、遊技台島１００に設置された操作スイッチ群装置から無効操作が入力されると、島コントロール制御ユニット装置５による遊技媒体循環設備の制御が制限される。そして、遊技媒体循環設備の制御が制限されている間に、島コントロール制御ユニット装置５が制御指示信号ＳＳを受信すると、遊技台島１００に設置された無効制御報知装置１０の報知ランプが点灯するとともに、無効制御報知装置１０の表示画面に、受信した制御指示信号ＳＳの内容が表示される。【選択図】図１
2008132016.tif 000002
【特許請求の範囲】
【請求項１】
複数の遊技台に遊技媒体を供給するとともに、該複数の遊技台から排出された該遊技媒体を回収する遊技媒体循環手段を備えた遊技台島の制御システムであって、
上記遊技台島から離れた場所に設置されて、上記遊技媒体循環手段を制御するための制御指示信号を送信する遠隔制御手段と、
上記遠隔制御手段から送信される上記制御指示信号を受信する受信手段と、
上記受信手段によって受信された上記制御指示信号に基づいて、上記遊技媒体循環手段を制御する島制御手段と、
上記遊技台島に設置され、無効操作を入力する無効操作入力手段と、
上記無効操作入力手段が上記無効操作を入力した場合に、上記島制御手段の動作を制限する制御無効手段と、
上記遊技台島に設置され、上記島制御手段の動作が制限されている場合に、上記受信手段によって上記制御指示信号の受信が行われたとき、制限時指示受信報知を行う報知手段と
を備えることを特徴とする遊技台島の制御システム。
【請求項２】
上記制限時指示受信報知は、上記制御指示信号の内容を反映した表示または音声出力である
ことを特徴とする請求項１に記載の遊技台島の制御システム。
【請求項３】
上記制限時指示受信報知は、
上記島制御手段の動作が制限されている場合に上記受信手段によって受信が行われた複数の制御指示信号の内容を、該制御指示信号を受信した時刻の早い順または遅い順で並べて表示するもの、または順次音声出力するものである
ことを特徴とする請求項１または請求項２に記載の遊技台島の制御システム。
【請求項４】
上記遊技台島に設置され、上記遊技媒体循環手段を構成する複数の装置の配置を図形で表示する装置配置表示手段と、
上記島制御手段の動作が制限されている場合に、上記受信手段によって上記制御指示信号の受信が行われたとき、該受信した制御指示信号の内容に対応する上記装置を上記装置配置表示手段に表示させる被制御装置表示手段と
を備えることを特徴とする請求項１〜請求項３の何れかに記載の遊技台島の制御システム。
【請求項５】
上記島制御手段の動作が制限されている場合に、上記受信手段によって上記制御指示信号の受信が行われたとき、該受信した制御指示信号を記憶する信号記憶手段と、
上記遊技台島に設置され、解除操作を入力する解除操作入力手段と、
上記解除操作入力手段が上記解除操作を入力した場合に、上記信号記憶手段に記憶された上記制御指示信号に基づいて、上記遊技媒体循環手段を制御する解除時島制御手段と
を備えることを特徴とする請求項１〜請求項４の何れかに記載の遊技台島の制御システム。
【発明の詳細な説明】
【技術分野】
【０００１】
本発明は、複数の遊技台に遊技媒体を供給するとともに、複数の遊技台から排出された遊技媒体を回収する遊技媒体循環手段を備えた遊技台島の制御システムに関する。
【背景技術】
【０００２】
従来より、複数のパチンコ機やパチスロ機等の遊技台が設置される遊技台島は、各遊技台に遊技媒体を供給するとともに、各遊技台から排出された遊技媒体を回収する遊技玉循環設備や遊技メダル循環設備等の遊技媒体循環手段を備えている。
【０００３】
このような遊技台島を複数有する遊技場では、遊技台島の制御システムを設置して、遊技場内の事務所に設けた管理端末等の遠隔制御手段から各遊技台島に対して制御指示信号を送信することによって、各遊技台島の遊技玉循環設備の稼働や停止等をリモート制御することがある（例えば、特許文献１参照。）。
【０００４】
このような遊技台島の制御システムでは、例えば、開店前や閉店後に行われる各遊技台島の遊技玉循環設備の処理（以下、開店前・閉店後処理という）を、管理端末からの制御指示信号の送信により実行する。これにより、開店前や閉店後に、遊技場内で作業を行うスタッフ（以下、作業スタッフという）が各遊技台島の遊技玉循環設備を見回ることなく、遊技玉循環設備毎に稼働や停止等の作業を行うことが可能になり、その分、作業スタッフの作業効率が向上される。
【０００５】
また、管理端末からのリモート制御を手元で無効にする無効操作を入力する手段（以下、無効操作入力手段という）を各遊技台島に設け、無効操作入力手段から無効操作が入力されると、この無効操作入力手段が設置された遊技台島の遊技玉循環設備を、管理端末から切り離す技術が知られている。
【０００６】
この技術により、例えば、遊技台島の遊技玉循環設備のメンテナンス作業を行う際に、無効操作入力手段を介して無効操作をしておくだけで、メンテナンス作業の最中に管理端末からの制御指示信号で遊技玉循環設備が不意に稼働してしまうということが防止され、メンテナンス作業の安全性の向上が図られる。
【特許文献１】特開２００２−２１０１９５号公報
【発明の開示】
【発明が解決しようとする課題】
【０００７】
しかしながら、このような遊技台島の制御システムでは、無効操作が行われた遊技玉循環設備は、管理端末からの制御指示信号で指示された処理を実行しないため、メンテナンス作業の終了後も、メンテナンス作業中に管理端末側から指示された処理を完了しない状態で放置される。このため、このような作業漏れを防ぐため、作業スタッフは、メンテナンス作業を完了した後に、制御指示信号の送信がメンテナンス作業中に行われたか否かを、管理端末を管理するスタッフ（以下、管理スタッフという）に確認して、完了しない状態で放置された処理を再び実行させる必要がある。
【０００８】
従って、従来の遊技台島の制御システムは、作業スタッフによるメンテナンス作業の完了毎に、管理端末の管理スタッフへの確認作業を行う必要があり、このような確認作業が、メンテナンス作業の効率を低下させる原因となっていた。
【０００９】
本発明は、こうした問題に鑑みなされたものであり、リモート制御を無効にすることによって必要となる確認作業の頻度を低減し、作業スタッフの作業効率の向上を図ることを目的とする。
【課題を解決するための手段】
【００１０】
上記課題を解決するための手段として、請求項１の発明の遊技台島の制御システムは、複数の遊技台に遊技媒体を供給するとともに、該複数の遊技台から排出された該遊技媒体を回収する遊技媒体循環手段を備えた遊技台島の制御システムであって、上記遊技台島から離れた場所に設置されて、上記遊技媒体循環手段を制御するための制御指示信号を送信する遠隔制御手段と、上記遠隔制御手段から送信される上記制御指示信号を受信する受信手段と、上記受信手段によって受信された上記制御指示信号に基づいて、上記遊技媒体循環手段を制御する島制御手段と、上記遊技台島に設置され、無効操作を入力する無効操作入力手段と、上記無効操作入力手段が上記無効操作を入力した場合に、上記島制御手段の動作を制限する制御無効手段と、上記遊技台島に設置され、上記島制御手段の動作が制限されている場合に、上記受信手段によって上記制御指示信号の受信が行われたとき、制限時指示受信報知を行う報知手段とを備えることを特徴とする遊技台島の制御システムを要旨とする。
【００１１】
このように構成された請求項１の遊技台島の制御システムは、遊技台島から離れた場所に設置された遠隔制御手段によって、遊技媒体循環手段を制御するための制御指示信号が送信される。そして、受信手段によって、遠隔制御手段から送信される制御指示信号が受信され、更に島制御手段によって、受信手段により受信された制御指示信号に基づいて、遊技媒体循環手段が制御される。
【００１２】
また、遊技台島に設置された無効操作入力手段によって無効操作が入力された場合に、制御無効手段によって、島制御手段の動作が制限される。
そして、島制御手段の動作が制限されている場合に、受信手段によって制御指示信号の受信が行われたとき、報知手段によって、制限時指示受信報知が行われる。
【００１３】
従って、島制御手段の動作が制限されている場合に、受信手段によって制御指示信号の受信が行われたことを遊技台島側で知らせることが可能になる。
請求項２の発明の遊技台島の制御システムは、上記制限時指示受信報知が、上記制御指示信号の内容を反映した表示または音声出力であることを要旨とする。
【００１４】
これにより、請求項１の作用に加え、島制御手段の動作が制限されている場合に、無効にされた制御指示信号の内容を遊技台島側で知らせることが可能になる。
請求項３の発明の遊技台島の制御システムは、上記制限時指示受信報知が、上記島制御手段の動作が制限されている場合に上記受信手段によって受信が行われた複数の制御指示信号の内容を、該制御指示信号を受信した時刻の早い順または遅い順で並べて表示するもの、または順次音声出力するものであることを要旨とする。
【００１５】
これにより、請求項１または請求項２の作用に加え、島制御手段の動作が制限されている場合に、受信手段によって受信が行われた複数の制御指示信号の内容を、受信した時刻の早い順または遅い順で、遊技台島側で知らせることが可能になる。
【００１６】
請求項４の発明の遊技台島の制御システムは、上記遊技台島に設置され、上記遊技媒体循環手段を構成する複数の装置の配置を図形で表示する装置配置表示手段と、上記島制御手段の動作が制限されている場合に、上記受信手段によって上記制御指示信号の受信が行われたとき、該受信した制御指示信号の内容に対応する上記装置を上記装置配置表示手段に表示させる被制御装置表示手段とを備えることを要旨とする。
【００１７】
これにより、請求項１〜請求項３の何れかの作用に加え、装置配置表示手段によって、遊技媒体循環手段を構成する複数の装置の配置が図形で表示され、更に島制御手段の動作が制限されている場合に、受信手段によって制御指示信号の受信が行われたとき、被制御装置表示手段によって、受信した制御指示信号の内容に対応した装置が装置配置表示手段に表示される。
【００１８】
従って、島制御手段の動作が制限されている場合に、受信手段によって制御指示信号の受信が行われたとき、装置配置表示手段に表示された図形の配置により、受信した制御指示信号の内容に対応した装置を、遊技台島側で知らせることが可能になる。
【００１９】
請求項５の発明の遊技台島の制御システムは、上記島制御手段の動作が制限されている場合に、上記受信手段によって上記制御指示信号の受信が行われたとき、該受信した制御指示信号を記憶する信号記憶手段と、上記遊技台島に設置され、解除操作を入力する解除操作入力手段と、上記解除操作入力手段が上記解除操作を入力した場合に、上記信号記憶手段に記憶された上記制御指示信号に基づいて、上記遊技媒体循環手段を制御する解除時島制御手段とを備えることを要旨とする。
【００２０】
これにより、請求項１〜請求項４の何れかの作用に加え、信号記憶手段によって、島制御手段の動作が制限されている場合に、受信手段によって制御指示信号の受信が行われたとき、受信した制御指示信号が記憶される。また、遊技台島に設置された解除操作入力手段によって解除操作が入力され、更に、解除操作入力手段が解除操作を入力した場合に、解除時島制御手段によって、信号記憶手段に記憶された制御指示信号に基づいて、遊技媒体循環手段が制御される。
【００２１】
これにより、島制御手段の動作が制限されている場合に受信手段によって受信された制御指示信号に基づいた制御を、解除操作の後に行うことが可能になる。
【発明の効果】
【００２２】
請求項１の発明の遊技台島の制御システムは、島制御手段の動作が制限されている場合に（以下、島制御手段の動作制限時という）、受信手段によって上記制御指示信号の受信が行われたとき、制限時指示受信報知が行われることにより、制御指示信号の受信があったか否かを、遊技台島側で認識することが可能になる。
【００２３】
これにより、制限時指示受信報知が行われなかった場合には、島制御手段の動作制限時に制御指示信号の受信が行われなかったと認識させることができ、遊技台島から離れた遠隔制御手段の設置場所にいる管理スタッフに確認する作業を行う必要がなくなる。この結果、このような手間のかかる確認作業の頻度を低減でき、作業スタッフの作業効率の向上を図ることができるという極めて優れた効果を奏する。
【００２４】
請求項２の発明の遊技台島の制御システムは、請求項１の効果に加え、島制御手段の動作制限時に受信した制御指示信号の内容を、遊技台島側で認識することが可能になる。
即ち、制限時指示受信報知が、島制御手段の動作制限時に制御指示信号の受信が行われたことのみを知らせるものである場合には、作業スタッフは、この制限時指示受信報知の後に、制御指示信号の内容を管理スタッフに確認する作業を行う必要がある。しかし、請求項２の発明の遊技台島の制御システムは、作業スタッフに制御指示信号の内容を認識させることができるので、このような手間のかかる確認作業を省略でき、作業スタッフの作業効率の更なる向上を図ることができるという極めて優れた効果を奏する。
【００２５】
請求項３の発明の遊技台島の制御システムは、請求項１または請求項２の効果に加え、島制御手段の動作制限時に受信した複数の制御指示信号の内容を一括して、遊技台島側で認識することが可能になる。
【００２６】
このため、例えば、島制御手段の動作制限時に、遊技媒体循環手段を稼働させる制御指示信号が送信され、その後、遊技媒体循環手段を停止させる制御指示信号が送信された場合には、作業スタッフに、現状の制御指示信号の内容が遊技媒体循環手段の停止であることを認識させ、以前に行われた制御指示信号に基づいた作業（つまり、遊技媒体循環手段の稼働）を行う必要がないと判断させることが可能になる。従って、作業スタッフに無用な作業をさせてしまうことを抑制でき、作業スタッフの作業効率の更なる向上を図ることができるという極めて優れた効果を奏する。
【００２７】
請求項４の発明の遊技台島の制御システムは、請求項１〜請求項３の何れかの効果に加え、図形で表された装置が装置配置表示手段に表示されることにより、受信した制御指示信号の内容に対応した装置を、遊技媒体循環手段を構成する複数の装置の中の配置で認識させることが可能になる。即ち、文字による報知（つまり、装置名の報知）よりも図形の配置による報知の方が、作業スタッフに、制御指示信号の内容に対応した装置（以下、被制御装置という）を直感的に認識させやすくすることができる。これにより、報知された被制御装置を作業スタッフに間違えて認識させてしまうことを抑制でき、作業スタッフの作業効率の更なる向上を図ることができるという極めて優れた効果を奏する。
【００２８】
請求項５の発明の遊技台島の制御システムは、請求項１〜請求項４の何れかの効果に加え、島制御手段の動作制限時に無効にされた制御指示信号で指示された処理（以下、無効指示処理という）が解除操作の後に行われることになる。このため、解除操作の後に、遊技台島側から無効指示処理を実行する作業を作業スタッフが行う必要がなくなる。これにより、作業スタッフの作業効率の更なる向上を図ることができるという極めて優れた効果を奏する。
【発明を実施するための最良の形態】
【００２９】
以下に本発明の実施形態について図面をもとに説明する。
図１は本発明が適用された遊技台島制御システム１の全体構成を示すブロック図、図２は、遊技台島１００内における還元機２００、玉通路シャッター２１０等の配置を説明する図である。
【００３０】
遊技台島制御システム１は、図１に示すように、複数の遊技台１２０が一列に並んで設置された遊技台島１００を複数備えた遊技場で使用される。尚、図１では、遊技台島１００は、１台だけ示し、遊技台１２０は、２台だけ示す。
【００３１】
遊技台島１００には、遊技台島１００における長手方向の中央に設置され（図２参照）、遊技台１２０から回収した遊技玉を遊技台島１００の上部へ揚送する還元機２００と、遊技台１２０から回収した遊技玉を貯留する貯留タンク２７０（図２参照）から還元機２００への遊技玉の流れを必要に応じて止める玉通路シャッター２１０と、還元機２００により揚送された遊技玉を各遊技台１２０に補給するために還元機２００から遊技台島１００の端部に向けて下方に傾斜した補給樋２５０（図２参照）上を流下する遊技玉に付着した湿気を除去するために、その補給樋２５０を暖めるヒータ２２０と、その補給樋２５０の下流側端部に設置され（図２参照）、この補給樋２５０上で滞留している遊技玉を抜き取るための玉抜きストッパー２３０と、還元機２００により揚送される遊技玉を研磨するために還元機２００に装着された布ベルトを巻取る布ベルト巻取り装置２４０とが設置されている。
【００３２】
また図２に示すように、遊技台島１００には、遊技台１２０（図２では不図示。図１参照）から排出された遊技玉を回収する回収樋２６０と、回収樋２６０により回収された遊技玉を貯留する貯留タンク２７０，２８０とが設置されている。尚、貯留タンク２８０に貯留された遊技玉は、図示しない遊技玉搬送機構によって、貯留タンク２７０へ搬送され、貯留タンク２７０内に貯留される。
【００３３】
遊技台島制御システム１は、遊技場全体を管理する管理端末装置２と、遊技場内の遊技台島１００間で通信を行うネットワークアダプタ３と、遊技台島１００に設置された各種装置、各種基板との間で通信を行う通信基板４と、遊技台島１００の全体を制御する島コントロール制御ユニット装置５と、還元機扉内部に設けられ、還元機２００、玉通路シャッター２１０、ヒータ２２０、玉抜きストッパー２３０及び布ベルト巻取り装置２４０を操作するためのボタン５１ａ，５２ａ，５３ａ，５４ａ，５５ａ（図９参照）を備える操作スイッチ群装置６と、複数の遊技台１２０が接続されて、その遊技台１２０との間で各種信号の入出力を行う複数の台Ｉ／Ｏ基板７と、金庫開放センサ１４１（後述）及び両替機開放センサ１４２（後述）が接続されて、その金庫開放センサ１４１及び両替機開放センサ１４２との間で各種信号の入出力を行う島端Ｉ／Ｏ基板７ａと、遊技台島１００に関する情報を表示する島情報表示装置８と、遊技台島１００に設置された遊技台１２０に関する情報を表示する台情報表示装置９と、遊技台島１００を制御するために管理端末装置２から送信された制御指示信号ＳＳ（後述）が無効にされたことを報知する無効制御報知装置１０とを備える。
【００３４】
管理端末装置２とネットワークアダプタ３との間は、ネットワーク回線Ｃ１を介してデータ通信可能に接続され、ネットワークアダプタ３と各遊技台島１００の通信基板４との間はネットワーク回線Ｃ２を介してデータ通信可能に接続されている。
【００３５】
また通信基板４は、ネットワーク回線Ｃ３を介して、島コントロール制御ユニット装置５、島情報表示装置８、台情報表示装置９及び無効制御報知装置１０にデータ通信可能に接続されるとともに、ネットワーク回線Ｃ４を介して、複数の台Ｉ／Ｏ基板７にデータ通信可能に接続される。
【００３６】
尚、遊技台島１００内には、その長手方向の両面それぞれに複数の遊技台１２０が一列に整列して配置されている。この遊技台１２０は、遊技台１２０が大当り遊技を提供していることを示す大当り信号を出力する大当り信号出力端子（図示省略）を備えるとともに、１分間当たりに発射可能な遊技玉数の最大値（以下、最大発射遊技玉数）が１００個となる規格仕様を有している。
【００３７】
また、遊技台島１００内には、その長手方向の両面それぞれに台Ｉ／Ｏ基板７が一列に整列して配置される。そして、台Ｉ／Ｏ基板７は、隣接する４台の遊技台１２０に接続され、各遊技台１２０の図示しない信号出力端子から出力された信号を入力する。
【００３８】
また、遊技台島１００の長手方向の中央には、通信基板４が設置され、この通信基板４を挟んだ左右に隣接して、４つの台Ｉ／Ｏ基板７が配置されている。そして、通信基板４は、この４つの台Ｉ／Ｏ基板７のそれぞれとの間で、ネットワーク回線Ｃ４を介してデータ通信可能に接続される。更に、隣接する台Ｉ／Ｏ基板７同士は、ネットワーク回線Ｃ４を介してデータ通信可能に接続される。これにより、通信基板４と全ての台Ｉ／Ｏ基板７との間でデータ通信が可能となる。
【００３９】
また島コントロール制御ユニット装置５は、還元機２００と、玉通路シャッター２１０と、ヒータ２２０と、玉抜きストッパー２３０と、布ベルト巻取り装置２４０に接続されており、これらを制御する。
【００４０】
また操作スイッチ群装置６は、島コントロール制御ユニット装置５との間で、ネットワーク回線Ｃ５を介して、データ通信が可能に接続されるとともに、電源供給線Ｖ１を介して、島コントロール制御ユニット装置５からＡＣ３２ボルト電源の供給を受ける。
【００４１】
また台Ｉ／Ｏ基板７には、４台の遊技台１２０の他に、４台の遊技台１２０のそれぞれに対応した呼出ランプ装置１１０とアウト玉計数器１２１とが信号入出力可能に接続される。更に、台Ｉ／Ｏ基板７は、隣接する遊技台１２０の２台毎に遊技台１２０の上方に設けられた点検用の欄間（不図示）の開閉を検出する２つの欄間開放センサ１３１と、遊技台１２０の内枠（不図示）の開放を検出する４つの内枠開放センサ１３２とに信号入出力可能に接続される。この構成により、呼出ランプ装置１１０、アウト玉計数器１２１、欄間開放センサ１３１及び内枠開放センサ１３２からの信号が、台Ｉ／Ｏ基板７を経由して通信基板４へ入力される。
【００４２】
また島端Ｉ／Ｏ基板７ａは、遊技台島１００内の複数の玉貸し機（不図示）に投入された硬貨を回収するために遊技台島１００の長手方向の一端に設置された金庫（不図示）の開放を検出する金庫開放センサ１４１と、遊技台島１００の長手方向の一端に設置された両替機（不図示）の開放を検出する両替機開放センサ１４２とに接続されるとともに、この玉貸し機または金庫に隣接して設置されている台Ｉ／Ｏ基板７に、ネットワーク回線Ｃ４を介してデータ通信可能に接続される。この構成により、金庫開放センサ１４１と両替機開放センサ１４２からの信号が、島端Ｉ／Ｏ基板７ａと台Ｉ／Ｏ基板７とを経由して、通信基板４へ入力される。
【００４３】
図３は、管理端末装置２の内部構成を表すブロック図である。
管理端末装置２は、図３に示すように、キーボードやマウスで構成される操作部２２ａ及び液晶ディスプレイ（以下、ＬＣＤという）で構成される表示パネル２２ｂからなるユーザインターフェース（以下、ユーザＩ／Ｆという）２２と、ネットワークアダプタ３との間でデータ通信を行う通信部２３と、管理端末装置２全体の動作を制御する制御部２１とから構成される。
【００４４】
これらのうち制御部２１は、所定の処理プログラムに基づいて処理を実行するＣＰＵ２１ａと、種々の処理プログラムが格納されたＲＯＭ２１ｂと、種々のデータを格納するＲＡＭ２１ｃと、ユーザＩ／Ｆ２２と通信部２３が接続され、ＣＰＵ２１ａ及びＲＡＭ２１ｂとの間で信号及びデータの入出力を行う入出力部２１ｄとから構成され、ＣＰＵ２１ａ，ＲＯＭ２１ｂ，ＲＡＭ２１ｃ及び入出力部２１ｄはバス２１ｅを介して接続されている。
【００４５】
図４は、管理端末装置２側から遊技台島１００内の還元機２００、ヒータ２２０、玉抜きストッパー２３０及び布ベルト巻取り装置２４０を制御するために表示パネル２２ｂに表示される一括操作画面Ｇ０１の説明図である。
【００４６】
尚、管理端末装置２は、表示パネル２２ｂの表示画面上に表示される後述の各種ボタンを押下する操作が行われると、その旨を示す信号（以下、制御指示信号ＳＳという）をネットワークアダプタ３へ送信するように構成されている。
【００４７】
一括操作画面Ｇ０１には、図４に示すように、開店処理（後述）を実施する場合に押下される開店処理ボタンＨ０１０１と、閉店処理（後述）を実施する場合に押下される閉店処理ボタンＨ０１０２と、還元機２００を稼働する場合に押下される還元機稼働ボタンＨ０１０３と、還元機２００を停止する場合に押下される還元機停止ボタンＨ０１０４と、玉抜きストッパー２３０を開放する場合に押下される玉抜きストッパー開放ボタンＨ０１０５と、玉抜きストッパー２３０を閉鎖する場合に押下される玉抜きストッパー閉鎖ボタンＨ０１０６と、ヒータ２２０を稼働する場合に押下されるヒータ稼働ボタンＨ０１０７と、ヒータ２２０を停止する場合に押下されるヒータ停止ボタンＨ０１０８と、布ベルト巻取り装置２４０を稼働する場合に押下される布ベルト巻取り装置稼働ボタンＨ０１０９と、布ベルト巻取り装置２４０を停止する場合に押下される布ベルト巻取り装置停止ボタンＨ０１１０とが表示される。
【００４８】
更に一括操作画面Ｇ０１には、遊技台島１００における異常等の発生履歴（以下、島履歴という）を表示する島履歴リストＨ０１１１と、島履歴リストＨ０１１１の１画面分を前に移動表示する場合に押下される前ボタンＨ０１１２と、島履歴リストＨ０１１１の１画面分を次に移動表示する場合に押下される次ボタンＨ０１１３と、島状態表示画面（後述）に遷移する場合に押下される島状態表示ボタンＨ０１１４と、一括操作画面Ｇ０１に遷移する場合に押下される一括操作ボタンＨ０１１５と、島履歴画面Ｇ０６（後述）に遷移する場合に押下される島履歴ボタンＨ０１１６と、動作条件設定画面Ｇ０７（後述）に遷移する場合に押下される動作条件設定ボタンＨ０１１７と、管理端末装置のホーム画面に遷移する場合に押下される台管理ボタンＨ０１１８とが表示される。
【００４９】
図５は島コントロール制御ユニット装置５の内部構成を表すブロック図、図６は入出力端子部３３ｃ，３４ｃ，３５ｃ，３６ｃの構成を説明する図、図７は入出力端子部３７ｃの構成を説明する図である。
【００５０】
島コントロール制御ユニット装置５は、図５に示すように、島コントロール制御ユニット装置５全体の動作を制御するメイン制御基板３１と、遊技台島１００内に設置された各種装置や各種センサ等が接続されて各種信号の入出力を行う第１サブ基板３３，第２サブ基板３４，第３サブ基板３５，第４サブ基板３６，第５サブ基板３７と、島コントロール制御ユニット装置５に接続された各種装置に関する情報を８個のＬＥＤの点灯により表示する状態確認用ＬＥＤ群３８と、島コントロール制御ユニット装置５と第１サブ基板３３，第２サブ基板３４，第３サブ基板３５，第４サブ基板３６，第５サブ基板３７とを接続するコネクタケーブル３２ａ，３２ｂ，３２ｃ，３２ｄ，３２ｅとから構成される。
【００５１】
これらのうちメイン制御基板３１は、メイン制御基板３１全体の動作を制御する制御部４１と、起動時に第１サブ基板３３，第２サブ基板３４，第３サブ基板３５，第４サブ基板３６，第５サブ基板３７をハード的にリセットするリセットＩＣ４２と、島コントロール制御ユニット装置５に接続された各種装置に電源を供給する電源供給部４３と、コネクタケーブル３２ａ，３２ｂ，３２ｃ，３２ｄ，３２ｅが接続されるメイン側第１コネクタ４４と、操作スイッチ群装置６が接続されるメイン側第２コネクタ４５と、通信基板４、島情報表示装置８、台情報表示装置９及び無効制御報知装置１０が接続されるメイン側第３コネクタ４６と、状態確認用ＬＥＤ群３８に駆動信号を伝えるＬＥＤ駆動回路４７とから構成される。
【００５２】
そして制御部４１は、所定の処理プログラムに基づいて処理を実行するＣＰＵ４１ａと、種々の処理プログラムが格納されたＲＯＭ４１ｂと、種々のデータを格納するＲＡＭ４１ｃと、リセットＩＣ４２とメイン側第１コネクタ４４とメイン側第２コネクタ４５とメイン側第３コネクタ４６とＬＥＤ駆動回路４７とが接続され、ＣＰＵ４１ａ及びＲＡＭ４１ｃとの間で信号及びデータの入出力を行う入出力部４１ｄとから構成され、ＣＰＵ４１ａ，ＲＯＭ４１ｂ，ＲＡＭ４１ｃ及び入出力部４１ｄはバス４１ｅを介して接続されている。
【００５３】
尚、ＲＡＭ４１ｃには、還元機２００が稼働中であることを示す還元機稼働フラグＦ１と、玉通路シャッター２１０が開放中であることを示す玉通路シャッター開放フラグＦ２と、玉抜きストッパー２３０が開放中であることを示す玉抜きストッパー開放フラグＦ３と、ヒータ２２０が稼働中であることを示すヒータ稼働フラグＦ４と、布ベルト巻取り装置２４０が稼働中であることを示す布ベルト稼働フラグＦ５と、ヒータ２２０の温度制御が有効であることを示すヒータ温度制御フラグＦ６と、還元機２００の稼働時に異常があることを示す還元機稼働異常フラグＦ７と、還元機２００の停止時に異常があることを示す還元機停止異常フラグＦ８と、玉通路シャッター２１０の開放時に異常があることを示す玉通路シャッター開放異常フラグＦ９と、玉通路シャッター２１０の閉鎖時に異常があることを示す玉通路シャッター閉鎖異常フラグＦ１０と、制御指示信号ＳＳを無効にする状態であることを示す制御無効フラグＦ５１とがセットされる領域が設けられている。
【００５４】
また、メイン側第１コネクタ４４は電源供給部４３から電源の供給を受け、コネクタケーブル３２ａを介して、第１サブ基板３３に対してＤＣ５ボルト電源及びＡＣ２４ボルト電源を供給するとともに、第１サブ基板３３との間でデータ通信を行う。
【００５５】
同様にメイン側第１コネクタ４４は、コネクタケーブル３２ｂを介して、第２サブ基板３４に対してＤＣ５ボルト電源、ＤＣ２４ボルト電源及びＤＣ３２ボルトを供給するとともに、第２サブ基板３４との間でデータ通信を行う。また、コネクタケーブル３２ｃを介して、第３サブ基板３５に対してＤＣ５ボルト電源及びＤＣ２４ボルト電源を供給するとともに、第３サブ基板３５との間でデータ通信を行う。また、コネクタケーブル３２ｄを介して、第４サブ基板３６に対してＤＣ５ボルト電源、ＤＣ２４ボルト電源及びＡＣ１００ボルト電源を供給するとともに、第４サブ基板３６との間でデータ通信を行う。また、コネクタケーブル３２ｅを介して、第５サブ基板３７に対してＤＣ５ボルト電源及びＤＣ２４ボルト電源を供給するとともに、第５サブ基板３７との間でデータ通信を行う。
【００５６】
次に第１サブ基板３３は、コネクタケーブル３２ａが接続されるサブ側コネクタ３３ａと、遊技台島１００内に設置された各種装置や各種センサ等が接続される入出力端子部３３ｃと、入出力端子部３３ｃに入力した信号をサブ側コネクタ３３ａへ出力するとともに、サブ側コネクタ３３ａに入力した信号を入出力端子部３３ｃへ出力する入出力回路３３ｂとから構成される。
【００５７】
尚、入出力端子部３３ｃは、図６（ａ）の端子表Ｔ１に示すように、オーバーロード検知端子Ｐ１、断線検知機能付きのオーバーフロー検知端子Ｐ２、還元機稼働中検知端子Ｐ３、玉通路シャッター開放中検知端子Ｐ４、玉通路シャッター閉鎖中検知端子Ｐ５、還元機稼働指示端子Ｐ６、還元機停止指示端子Ｐ７、フラッシュランプ点灯指示端子Ｐ８、玉通路シャッター開放電源端子Ｐ９及び玉通路シャッター閉鎖電源端子Ｐ１０から構成される。
【００５８】
また、第２サブ基板３４は、コネクタケーブル３２ｂが接続されるサブ側コネクタ３４ａと、遊技台島１００内に設置された各種装置や各種センサ等が接続される入出力端子部３４ｃと、入出力端子部３４ｃに入力した信号をサブ側コネクタ３４ａへ出力するとともに、サブ側コネクタ３４ａに入力した信号を入出力端子部３４ｃへ出力する入出力回路３４ｂとから構成される。
【００５９】
尚、入出力端子部３４ｃは、図６（ｂ）の端子表Ｔ２に示すように、布ベルト緩み検知端子Ｐ１１、圧接ローラ回転検知端子Ｐ１２、１ロール終了検知端子Ｐ１３、送りモータ過負荷電流検知端子Ｐ１４、送りモータ稼働電源端子Ｐ１５、巻取りモータ稼働電源端子Ｐ１６及びクランプ開放電源端子Ｐ１７から構成される。
【００６０】
また、第３サブ基板３５は、コネクタケーブル３２ｃが接続されるサブ側コネクタ３５ａと、遊技台島１００内に設置された各種装置や各種センサ等が接続される入出力端子部３５ｃと、入出力端子部３５ｃに入力した信号をサブ側コネクタ３５ａへ出力するとともに、サブ側コネクタ３５ａに入力した信号を入出力端子部３５ｃへ出力する入出力回路３５ｂとから構成される。
【００６１】
尚、入出力端子部３５ｃは、図６（ｃ）の端子表Ｔ３に示すように、断線検知機能付きの玉通過検知端子Ｐ１８〜Ｐ２１及びソレノイド開閉動作電源端子Ｐ２２〜Ｐ２５から構成される。
【００６２】
また、第４サブ基板３６は、コネクタケーブル３２ｄが接続されるサブ側コネクタ３６ａと、遊技台島１００内に設置された各種装置や各種センサ等が接続される入出力端子部３６ｃと、入出力端子部３６ｃに入力した信号をサブ側コネクタ３６ａへ出力するとともに、サブ側コネクタ３６ａに入力した信号を入出力端子部３６ｃへ出力する入出力回路３６ｂとから構成される。
【００６３】
尚、入出力端子部３６ｃは、図６（ｄ）の端子表Ｔ４に示すように、温度検知端子Ｐ２６〜Ｐ２７及び断線検知機能付きのヒータ電源端子Ｐ２８〜Ｐ３３から構成される。
また、第５サブ基板３７は、コネクタケーブル３２ｅが接続されるサブ側コネクタ３７ａと、遊技台島１００内に設置された各種装置や各種センサ等が接続される入出力端子部３７ｃと、入出力端子部３７ｃに入力した信号をサブ側コネクタ３７ａへ出力するとともに、サブ側コネクタ３７ａに入力した信号を入出力端子部３７ｃへ出力する入出力回路３７ｂとから構成される。
【００６４】
尚、入出力端子部３７ｃは、図７の端子表Ｔ５に示すように、断線検知機能付きの補給樋上流部・玉不足検知端子Ｐ３４〜Ｐ３７、断線検知機能付きの回収樋下流部・玉詰まり検知端子Ｐ３８〜Ｐ４９、断線検知機能付きの回収樋上流部・玉計数装置使用検知端子Ｐ５０、煙感知端子Ｐ５１〜Ｐ５２、還元機扉開放中検知端子Ｐ５３、点検扉開放中検知端子Ｐ５４〜Ｐ５７、その他遊技台島の構造等に合わせて使い分けられる端子Ｐ５８〜Ｐ９２等から構成される。
【００６５】
このように構成された島コントロール制御ユニット装置５において、ＣＰＵ４１ａは、制御指示信号ＳＳを無効にするとともに、制御指示信号ＳＳの無効を報知する制御無効処理（後述）と、制御無効処理によって無効にされた処理を無効解除後に実行する無効解除時処理（後述）と、還元機２００、玉通路シャッター２１０、ヒータ２２０、玉抜きストッパー２３０及び布ベルト巻取り装置２４０を制御するための後述する各種処理（スイッチパネル側還元機稼働処理、管理端末側還元機稼働処理、スイッチパネル側還元機停止処理、管理端末側還元機停止処理、還元機定期監視処理、スイッチパネル側玉通路シャッター開放処理、スイッチパネル側玉通路シャッター閉鎖処理、玉通路シャッター定期監視処理、スイッチパネル側ヒータ稼働処理、管理端末側ヒータ稼働処理、スイッチパネル側ヒータ停止処理、管理端末側ヒータ停止処理、ヒータ定期監視処理、スイッチパネル側玉抜きストッパー開放処理、管理端末側玉抜きストッパー開放処理、スイッチパネル側玉抜きストッパー閉鎖処理、管理端末側玉抜きストッパー閉鎖処理、玉抜きストッパー定期監視処理、スイッチパネル側布ベルト稼働処理、管理端末側布ベルト稼働処理、スイッチパネル側布ベルト停止処理、管理端末側布ベルト停止処理、布ベルト定期監視処理、布ベルト・システム起動処理）とをそれぞれ独立して実行する。
【００６６】
図８は操作スイッチ群装置６の正面図、図９は操作スイッチ群装置６の内部構成を表すブロック図である。
操作スイッチ群装置６は、図８に示すように、還元機２００を稼働・停止する場合に押下される還元機用操作部５１と、玉通路シャッター２１０を開放・閉鎖する場合に押下される玉通路シャッター用操作部５２と、玉抜きストッパー２３０を稼働・停止する場合に押下される玉抜きストッパー用操作部５３と、ヒータ２２０を稼働・停止する場合に押下されるヒータ用操作部５４と、布ベルト巻取り装置２４０を稼働・停止する場合に押下される布ベルト巻取り装置用操作部５５と、還元機２００の状態を表示する還元機用状態表示部５６と、玉通路シャッター２１０の状態を表示する玉通路シャッター用状態表示部５７と、玉抜きストッパー２３０の状態を表示する玉抜きストッパー用状態表示部５８と、ヒータ２２０の状態を表示するヒータ用状態表示部５９と、布ベルト巻取り装置２４０の状態を表示する布ベルト巻取り装置用状態表示部６０と、布ベルト巻取り装置２４０の引張モータと巻取モータへ電源を供給・遮断（図９参照）する布ベルト巻取り装置ブレーカ６１と、オーバーフロー発生後の復旧確認のために操作されるオーバーフロー確認用操作部６２と、遊技台島１００のメンテナンス作業の開始時と終了時に操作されるメンテナンス用操作部６３と、上述の構成要素を操作スイッチ群装置６の正面に配置するスイッチパネル６４とから構成される。
【００６７】
また図９に示すように、還元機用操作部５１は、ボタン５１ａと２色ＬＥＤ５１ｂとから構成される。同様に、玉通路シャッター用操作部５２はボタン５２ａと２色ＬＥＤ５２ｂ、玉抜きストッパー用操作部５３はボタン５３ａと２色ＬＥＤ５３ｂ、ヒータ用操作部５４はボタン５４ａと２色ＬＥＤ５４ｂ、布ベルト巻取り装置用操作部５５はボタン５５ａと２色ＬＥＤ５５ｂとから構成される。
【００６８】
また、還元機用状態表示部５６は７セグＬＥＤ５６ａ、玉通路シャッター用状態表示部５７は７セグＬＥＤ５７ａ、玉抜きストッパー用状態表示部５８は７セグＬＥＤ５８ａ、ヒータ用状態表示部５９は７セグＬＥＤ５９ａ、布ベルト巻取り装置用状態表示部６０は７セグＬＥＤ６０ａから構成される。
【００６９】
また、オーバーフロー確認用操作部６２は、ボタン６２ａとＬＥＤ６２ｂとから構成される。尚、還元機２００によって揚送された遊技玉が流下する経路として、補給経路（例えば、補給樋２５０）を経由して回収経路（例えば、回収樋２６０）に回収され再び還元機２００によって揚送される循環経路と、還元機２００による遊技玉の揚送量が上記循環経路を循環する遊技玉の循環量を超えてしまった場合でも、還元機２００によって揚送された遊技玉の行き場が無くならないように、該遊技玉を貯留タンク２７０，２８０に直接誘導するオーバーフロー経路（図示せず）とが遊技台島内に設けられている。このようにオーバーフロー経路を設けることで遊技玉の循環量を気にすることなく常時一定の揚送量を提供することができるようになる。しかし、上記オーバーフロー経路内で玉詰まりが発生するなどして、該オーバーフロー経路が遮断されてしまうと、オーバーフロー経路に誘導された遊技玉が徐々にオーバーフロー経路内に蓄積されていき、該蓄積された遊技玉が還元機２００の遊技玉を排出する箇所付近まで蓄積されてしまうと還元機２００が遊技玉を揚送できなくなってしまい、最悪の場合には還元機２００が故障してしまうという事態が発生してしまう。
【００７０】
そこで、上記オーバーフロー経路内に所定量以上の遊技玉が蓄積される状態（オーバーフロー異常）を検知する検知手段を設け、該検出手段がオーバーフロー異常を検知した際に、還元機２００を停止させ、揚送量を０にすることで上述した事態を防ぐ技術が知られている。また、該技術によって停止させられた還元機２００を復帰させる技術については、オーバーフロー異常が解消された後に自動で復帰する技術と、店員の操作によって手動で復帰させる技術が考えられるが、還元機２００が停止したことによる弊害の発生を確認する必要があるため、店員の操作を経て還元機２００を復帰させる技術を採用することが望ましい。
【００７１】
そして、本発明のオーバーフロー確認用操作部６２は、店員が目視確認し難い遊技台島内で発生するオーバーフロー異常が解消されたか否かを容易に確認でき、且つ店員の操作を経ることなく還元機２００が復帰することを防ぐためのものである。オーバーフロー異常中は、ＬＥＤ６２ｂが点灯しており、ボタン６２ａを押下してもＬＥＤ６２ｂが消灯することがないように構成されている。オーバーフロー異常が解消された後、ボタン６２ａを押下することで初めてＬＥＤ６２ｂが消灯するように構成されている。また、ＬＥＤ６２ｂが点灯している間は還元機２００への稼働指示を不能にするように構成されている。このように構成することで、たとえオーバーフロー異常が解消されたとしても店員の操作無しでＬＥＤ６２ｂが消灯することがなくなるため、確実に還元機２００が停止していることに気付くことができる。尚、本実施例では記載していないが、遊技台島から少し離れている店員にオーバーフロー異常を報知するために、ボタン６２ａの押下に連動してＬＥＤ６２ｂと同様に点灯または消灯する報知灯を遊技台島外に設けてもよい。
【００７２】
また、メンテナンス用操作部６３は、ボタン６３ａとＬＥＤ６３ｂとから構成される。尚、メンテナンス用操作部６３は、ボタン６３ａの押下によりオン状態とオフ状態を切り替わり、ＬＥＤ６３ｂはオン状態の時に点灯し、オフ状態の時に消灯するように構成されている。
【００７３】
そして、ボタン５１ａ，５２ａ，５３ａ，５４ａ，５５ａ，６２ａ，６３ａと、２色ＬＥＤ５１ｂ，５２ｂ，５３ｂ，５４ｂ，５５ｂと、７セグＬＥＤ５６ａ，５７ａ，５８ａ，５９ａ，６０ａと、ＬＥＤ６２ｂ，６３ｂは入出力部６５に接続される。これにより、ボタン５１ａ，５２ａ，５３ａ，５４ａ，５５ａ，６２ａ，６３ａの押下を示す信号が島コントロール制御ユニット装置５へ出力されるとともに、２色ＬＥＤ５１ｂ，５２ｂ，５３ｂ，５４ｂ，５５ｂと、７セグＬＥＤ５６ａ，５７ａ，５８ａ，５９ａ，６０ａと、ＬＥＤ６２ｂ，６３ｂとの点灯状態を指示する信号が島コントロール制御ユニット装置５から入力される。
【００７４】
次に、台Ｉ／Ｏ基板７は、接続されている遊技台１２０から大当り信号が入力されると、この大当り信号に対応する遊技台１２０の台番号を示す台番号情報を付加して、大当り遊技提供中であることを示す大当り情報を管理端末装置２に送信する。
【００７５】
図１０は島情報表示装置８及び台情報表示装置９の正面図である。
図１０に示すように、島情報表示装置８の表示画面となる液晶ディスプレイ（ＬＣＤ）８ａが、遊技台島１００の長手方向の両端に設けられた妻板１０１に設置される。
【００７６】
また、遊技台島１００には、台番号１００から１１９までの２０台の遊技台１２０が長手方向の一方の面に一列に整列して配置されるとともに、台番号２００から２１９までの２０台の遊技台１２０が長手方向の他方の面に一列に整列して配置されており、妻板１０１の台番号１００から１１９までの遊技台１２０が配置されている側に台番号１００から１１９までの遊技台１２０に関する情報を表示する台番一覧表示器７２が、妻板１０１の台番号２００から２１９までの遊技台１２０が配置されている側に台番号２００から２１９までの遊技台１２０に関する情報を表示する台番一覧表示器７３が設置される。
【００７７】
台番一覧表示器７２は、１００から１１９までの台番号が降順に記載された台番号表示部７２ａと、１００から１１９までの台番号それぞれについて、その台番号に対応した遊技台１２０の遊技状態や稼働状態をＬＥＤの点灯状態により表示する状態表示部７２ｂとから構成される。同様に、台番一覧表示器７３は、２００から２１９までの台番号が降順に記載された台番号表示部７３ａと、２００から２１９までの台番号それぞれについて、その台番号に対応した遊技台１２０の遊技状態や稼働状態をＬＥＤの点灯状態により表示する状態表示部７３ｂとから構成される。
【００７８】
図１１は無効制御報知装置１０の正面図である。
図１１に示すように、無効制御報知装置１０は、制御指示信号ＳＳが無効にされた旨を報知する報知ランプ９１と、無効にされた制御指示信号ＳＳの内容を時系列的に表示する時系列表示器９２と、還元機２００、ヒータ２２０、玉抜きストッパー２３０及び布ベルト巻取り装置２４０の配置を簡略化された図形で表示する装置配置表示器９３とから構成される。
【００７９】
これらのうち時系列表示器９２は、還元機２００について無効にされた制御指示信号ＳＳの内容を時系列的に表示する還元機用表示欄Ｌ１と、ヒータ２２０について無効にされた制御指示信号ＳＳの内容を時系列的に表示するヒータ用表示欄Ｌ２と、玉抜きストッパー２３０について無効にされた制御指示信号ＳＳの内容を時系列的に表示する玉抜きストッパー用表示欄Ｌ３と、布ベルト巻取り装置２４０について無効にされた制御指示信号ＳＳの内容を時系列的に表示する布ベルト巻取り装置用表示欄Ｌ４とから構成される。
【００８０】
また装置配置表示器９３は、還元機２００の配置を図形で表示する還元機配置表示部ＨＨ０１と、ヒータ２２０の配置を図形で表示するヒータ配置表示部ＨＨ０２と、玉抜きストッパー２３０の配置を図形で表示する玉抜きストッパー配置表示部ＨＨ０３と、布ベルト巻取り装置２４０の配置を図形で表示する布ベルト巻取り装置配置表示部ＨＨ０４と、還元機２００の稼働状態を表示する還元機稼働状態表示部ＨＨ１１と、ヒータ２２０の稼働状態を表示するヒータ稼働状態表示部ＨＨ１２と、玉抜きストッパー２３０の稼働状態を表示する玉抜きストッパー稼働状態表示部ＨＨ１３と、布ベルト巻取り装置２４０の稼働状態を表示する布ベルト巻取り装置稼働状態表示部ＨＨ１４と、還元機２００について無効にされた制御指示信号ＳＳの内容を表示する還元機無効内容表示部ＨＨ２１と、ヒータ２２０について無効にされた制御指示信号ＳＳの内容を表示するヒータ無効内容表示部ＨＨ２２と、玉抜きストッパー２３０について無効にされた制御指示信号ＳＳの内容を表示する玉抜きストッパー無効内容表示部ＨＨ２３と、布ベルト巻取り装置２４０について無効にされた制御指示信号ＳＳの内容を表示する布ベルト巻取り装置無効内容表示部ＨＨ２４とから構成される。
【００８１】
尚、各稼働状態表示部ＨＨ１１〜ＨＨ１４において、対応する装置が稼動中である場合には「ＯＮ」と表示され、停止中である場合には「ＯＦＦ」と表示される。また、各無効内容表示部ＨＨ２１〜ＨＨ２４において、対応する装置について無効にされた制御指示信号ＳＳの内容が稼動を指示するものである場合には「ＯＮ」と表示され、停止を指示するものである場合には「ＯＦＦ」と表示される。
【００８２】
次に、島コントロール制御ユニット装置５のＣＰＵ４１ａが実行する各処理の手順を説明する。
まず、島コントロール制御ユニット装置５のＣＰＵ４１ａが実行する制御無効処理の手順を、図１２を用いて説明する。図１２は制御無効処理を表すフローチャートである。この制御無効処理は、ＣＰＵ４１ａが起動している間に繰り返し実行される処理である。
【００８３】
この制御無効処理においては、島コントロール制御ユニット装置５のＣＰＵ４１ａは、まず、Ｓ１０にて、メンテナンス用操作部６３のボタン６３ａがオフ状態からオン状態に変化したか否かを判断する。ここで、オフ状態からオン状態に変化していなければ（Ｓ１０）、Ｓ４０に移行する。一方、オフ状態からオン状態に変化すれば（Ｓ１０）、Ｓ２０にて、制御無効フラグＦ５１をセットする。
【００８４】
そしてＳ３０にて、制御指示信号ＳＳを無効にする設定を行う。即ち、管理端末装置２から制御指示信号ＳＳを受信しても、受信した制御指示信号ＳＳに基づいて、還元機２００、ヒータ２２０、玉抜きストッパー２３０及び布ベルト巻取り装置２４０が稼働・停止しないように設定する。
【００８５】
具体的には、還元機２００、ヒータ２２０、玉抜きストッパー２３０及び布ベルト巻取り装置２４０を制御するために表示される管理端末装置２の一括操作画面Ｇ０１上のボタンＨ０１０１〜Ｈ０１１０が押下されても、これらのボタンＨ０１０１〜Ｈ０１１０が押下されることにより実行される処理（後述のリモート開店処理、リモート閉店処理、管理端末側還元機稼働処理、管理端末側還元機停止処理、管理端末側ヒータ稼働処理、管理端末側ヒータ停止処理、管理端末側玉抜きストッパー開放処理、管理端末側玉抜きストッパー閉鎖処理、管理端末側布ベルト稼働処理、管理端末側布ベルト停止処理）が起動しないように設定する。その後、Ｓ７０に移行する。
【００８６】
またＳ４０に移行すると、メンテナンス用操作部６３のボタン６３ａがオン状態からオフ状態に変化したか否かを判断する。ここで、オン状態からオフ状態に変化していなければ（Ｓ４０）、Ｓ７０に移行する。一方、オン状態からオフ状態に変化すれば（Ｓ４０）、Ｓ５０にて、制御無効フラグＦ５１をクリアする。
【００８７】
そしてＳ６０にて、制御指示信号ＳＳの無効設定を解除する。即ち、管理端末装置２から制御指示信号ＳＳを受信すると、受信した制御指示信号ＳＳに基づいて、還元機２００、ヒータ２２０、玉抜きストッパー２３０及び布ベルト巻取り装置２４０が稼働・停止するように設定する。
【００８８】
具体的には、管理端末装置２の一括操作画面Ｇ０１上のボタンＨ０１０１〜Ｈ０１１０が押下されると、これらのボタンＨ０１０１〜Ｈ０１１０が押下されることにより実行される処理が起動するように設定する。その後、Ｓ７０に移行する。
【００８９】
そしてＳ７０に移行すると、制御無効フラグＦ５１がセットされているか否かを判断する。即ち、制御指示信号ＳＳが無効にされているか否かを判断する。ここで、制御無効フラグＦ５１がセットされていれば、制御指示信号ＳＳが無効にされていると判断し（Ｓ７０）、Ｓ８０にて、制御指示信号ＳＳを受信したか否かを判断する。ここで、制御指示信号ＳＳを受信していなければ（Ｓ８０）、制御無効処理を一旦終了する。
【００９０】
一方、制御指示信号ＳＳを受信した場合には（Ｓ８０）、Ｓ９０にて、受信した制御指示信号ＳＳの内容に、この制御指示信号ＳＳを受信した時刻を示す情報を付加して、ＲＡＭ４１ｃに記憶する。その後、Ｓ１００にて、報知ランプ９１を点灯させる。
【００９１】
そしてＳ１１０にて、時系列表示器９２の表示内容を更新する。具体的には、制御指示信号ＳＳが無効にされている場合に受信した制御指示信号ＳＳの内容と受信時刻とを、還元機２００、ヒータ２２０、玉抜きストッパー２３０及び布ベルト巻取り装置２４０毎に分類して、制御指示信号ＳＳを受信した時刻の早い順に上から表示する（例えば、図１１中の還元機用表示欄Ｌ１における指示Ｎ１で示す文字列「ＰＭ１１：００  停止制御」と、布ベルト巻取り装置用表示欄Ｌ４における指示Ｎ２で示す文字列「ＰＭ１１：０５  稼働制御」の配列を参照）。
【００９２】
更にＳ１２０にて、装置配置表示器９３において、受信した制御指示信号ＳＳの内容に対応した装置を表す図形を強調表示させる。例えば、布ベルト巻取り装置２４０を稼働させるための制御指示信号ＳＳを受信した場合には、図１１に示すように、布ベルト巻取り装置配置表示部ＨＨ４を強調表示させる。そして、制御無効処理を一旦終了する。
【００９３】
またＳ７０にて、制御無効フラグＦ５１がセットされていなければ、制御指示信号ＳＳが無効にされていないと判断し（Ｓ７０）、Ｓ１２０にて、報知ランプ９１が点灯している場合には報知ランプ９１を消灯させる。更にＳ１３０にて、装置配置表示器９３が強調表示している場合には強調表示を終了させる。そして、制御無効処理を一旦終了する。
【００９４】
次に、島コントロール制御ユニット装置５のＣＰＵ４１ａが実行する無効解除時処理の手順を、図１３を用いて説明する。図１３は無効解除時処理を表すフローチャートである。この無効解除時処理は、ＣＰＵ４１ａが起動している間に繰り返し実行される処理である。
【００９５】
この無効解除時処理においては、島コントロール制御ユニット装置５のＣＰＵ４１ａは、まず、Ｓ２１０にて、メンテナンス用操作部６３のボタン６３ａがオン状態からオフ状態に変化したか否かを判断する。ここで、オン状態からオフ状態に変化していなければ（Ｓ２１０）、無効解除時処理を一旦終了する。
【００９６】
一方、オン状態からオフ状態に変化すれば（Ｓ２１０）、Ｓ２２０にて、ＲＡＭ４３ｃに記憶された制御指示信号ＳＳの内容に基づいて、受信した時刻が早い順に、還元機２００、ヒータ２２０、玉抜きストッパー２３０または布ベルト巻取り装置２４０の稼働・停止の処理を実行する。
【００９７】
そして、ＲＡＭ４３ｃに記憶された制御指示信号ＳＳの内容の全てについて処理を終了すると、Ｓ２３０にて、ＲＡＭ４３ｃに記憶された制御指示信号ＳＳの内容を消去し、無効解除時処理を一旦終了する。
【００９８】
［スイッチパネル側還元機稼働処理］
まず、島コントロール制御ユニット装置５のＣＰＵ４１ａが実行するスイッチパネル側還元機稼働処理の手順を、図１４を用いて説明する。図１４はスイッチパネル側還元機稼働処理を表すフローチャートである。このスイッチパネル側還元機稼働処理は、還元機２００が停止中に操作スイッチ群装置６の還元機用操作部５１のボタン５１ａが押下された時に実行される処理である。
【００９９】
このスイッチパネル側還元機稼働処理においては、島コントロール制御ユニット装置５のＣＰＵ４１ａは、まず、Ｓ１０１０にて、還元機停止指示端子Ｐ７をオフにし、更にＳ１０２０にて、還元機稼働指示端子Ｐ６をオンにする。これにより、還元機２００への稼動指示が開始される。
【０１００】
その後Ｓ１０３０にて、還元機稼働中検知端子Ｐ３がオンになっているか否かを判断する。即ち、還元機２００が稼働中であるか否かを判断する。ここで、還元機稼働中検知端子Ｐ３がオンであれば、還元機２００が稼働中であると判断し（Ｓ１０３０）、Ｓ１０４０にて、還元機稼働フラグＦ１をセットし、スイッチパネル側還元機稼働処理を終了する。
【０１０１】
一方、還元機稼働中検知端子Ｐ３がオフであれば、還元機２００が停止中であると判断し（Ｓ１０３０）、Ｓ１０５０にて、還元機稼働中検知端子Ｐ３がオフと判断されてから５００ミリ秒経過したか否かを判断する。ここで、５００ミリ秒経過していなければ（Ｓ１０５０）、Ｓ１０３０に移行し、上述の処理を繰り返す。一方、５００ミリ秒経過すると（Ｓ１０５０）、Ｓ１０６０にて、還元機稼働異常フラグＦ７をセットし、更にＳ１０７０にて、稼働指示に従って還元機２００が稼働しない旨（還元機稼働異常）を島情報表示装置８に報知させ、スイッチパネル側還元機稼働処理を終了する。
【０１０２】
［管理端末側還元機稼働処理］
次に、島コントロール制御ユニット装置５のＣＰＵ４１ａが実行する管理端末側還元機稼働処理の手順を、図１５を用いて説明する。図１５は管理端末側還元機稼働処理を表すフローチャートである。この管理端末側還元機稼働処理は、還元機稼働ボタンＨ０１０３が押下された時に実行される処理である。
【０１０３】
この管理端末側還元機稼働処理においては、島コントロール制御ユニット装置５のＣＰＵ４１ａは、まず、Ｓ１１３０にて、後述のＳ６６５０でセットされる布ベルト稼働フラグＦ５がセットされているか否かを判断する。即ち、布ベルト巻取り装置２４０が稼働中であるか否かを判断する。ここで、布ベルト稼働フラグＦ５がセットされていれば、布ベルト巻取り装置２４０が稼働中であると判断し（Ｓ１１３０）、管理端末側還元機稼働処理を終了する。これにより、布ベルト巻取り装置２４０が稼働中の場合には還元機稼働ボタンＨ０１０３が押下されても還元機２００は稼働しない。
【０１０４】
一方、布ベルト稼働フラグＦ５がクリアされていれば、布ベルト巻取り装置２４０が停止中であると判断し（Ｓ１１３０）、Ｓ１１４０にて、還元機停止指示端子Ｐ７をオフにし、更にＳ１１５０にて、還元機稼働指示端子Ｐ６をオンにする。これにより、還元機２００への稼動指示が開始される。
【０１０５】
その後Ｓ１１６０にて、還元機稼働中検知端子Ｐ３がオンになっているか否かを判断する。即ち、還元機２００が稼働中であるか否かを判断する。ここで、還元機稼働中検知端子Ｐ３がオンであれば、還元機２００が稼働中であると判断し（Ｓ１１６０）、Ｓ１１７０にて、還元機稼働フラグＦ１をセットし、更にＳ１１８０にて、玉通路シャッター２１０を開放させる玉通路シャッター開放処理（後述）を実行し、この処理が終了した後に、管理端末側還元機稼働処理を終了する。
【０１０６】
一方、還元機稼働中検知端子Ｐ３がオフであれば、還元機２００が停止中であると判断し（Ｓ１１６０）、Ｓ１１９０にて、還元機稼働中検知端子Ｐ３がオフと判断されてから５００ミリ秒経過したか否かを判断する。ここで、５００ミリ秒経過していなければ（Ｓ１１９０）、Ｓ１１６０に移行し、上述の処理を繰り返す。一方、５００ミリ秒経過すると（Ｓ１１９０）、Ｓ１２００にて、還元機稼働異常フラグＦ７をセットし、Ｓ１２１０にて、稼働指示に従って還元機２００が稼働しない旨（還元機稼働異常）を島情報表示装置８に報知させ、Ｓ１２２０にて、玉通路シャッター２１０を閉鎖させる玉通路シャッター閉鎖処理（後述）を実行し、この処理が終了した後に、管理端末側還元機稼働処理を終了する。
【０１０７】
［スイッチパネル側還元機停止処理］
次に、島コントロール制御ユニット装置５のＣＰＵ４１ａが実行するスイッチパネル側還元機停止処理の手順を、図１６を用いて説明する。図１６はスイッチパネル側還元機停止処理を表すフローチャートである。このスイッチパネル側還元機停止処理は、還元機２００が稼働中に操作スイッチ群装置６の還元機用操作部５１のボタン５１ａが押下された時に実行される処理である。
【０１０８】
このスイッチパネル側還元機停止処理においては、島コントロール制御ユニット装置５のＣＰＵ４１ａは、まず、Ｓ１３１０にて、還元機稼働指示端子Ｐ６をオフにし、更にＳ１３２０にて、還元機停止指示端子Ｐ７をオンにする。これにより、還元機２００への停止指示が開始される。
【０１０９】
その後Ｓ１３３０にて、還元機稼働中検知端子Ｐ３がオンになっているか否かを判断する。即ち、還元機２００が稼働中であるか否かを判断する。ここで、還元機稼働中検知端子Ｐ３がオフであれば、還元機２００が停止中であると判断し（Ｓ１３３０）、Ｓ１３４０にて、還元機稼働フラグＦ１をクリアし、スイッチパネル側還元機停止処理を終了する。
【０１１０】
一方、還元機稼働中検知端子Ｐ３がオンであれば、還元機２００が稼働中であると判断し（Ｓ１３３０）、Ｓ１３５０にて、還元機稼働中検知端子Ｐ３がオンと判断されてから５００ミリ秒経過したか否かを判断する。ここで、５００ミリ秒経過していなければ（Ｓ１３５０）、Ｓ１３３０に移行し、上述の処理を繰り返す。一方、５００ミリ秒経過すると（Ｓ１３５０）、Ｓ１３６０にて、還元機停止異常フラグＦ８をセットし、Ｓ１３７０にて、停止指示に従って還元機２００が停止しない旨（還元機停止異常）を島情報表示装置８に報知させる。その後Ｓ１３８０にて還元機停止指示端子Ｐ７をオンにし、更にＳ１３９０にて還元機稼働指示端子Ｐ６をオフにする。そして、スイッチパネル側還元機停止処理を終了する。
【０１１１】
［管理端末側還元機停止処理］
次に、島コントロール制御ユニット装置５のＣＰＵ４１ａが実行する管理端末側還元機停止処理の手順を、図１７を用いて説明する。図１７は管理端末側還元機停止処理を表すフローチャートである。この管理端末側還元機停止処理は、還元機停止ボタンＨ０１０４が押下された時に実行される処理である。
【０１１２】
この管理端末側還元機停止処理においては、島コントロール制御ユニット装置５のＣＰＵ４１ａは、まず、Ｓ１５３０にて、玉通路シャッター２１０を閉鎖させる玉通路シャッター閉鎖処理（後述）を実行し、この処理が終了した後に、Ｓ１５４０にて、後述のＳ１７４０またはＳ２０１０でセットされる玉通路シャッター開放フラグＦ２がセットされているか否かを判断する。即ち、玉通路シャッター２１０が開放中であるか否かを判断する。
【０１１３】
ここで、玉通路シャッター開放フラグＦ２がセットされていれば、玉通路シャッター２１０が開放中であると判断し（Ｓ１５４０）、管理端末側還元機停止処理を終了する。これにより、玉通路シャッター２１０が開放中の場合には還元機停止ボタンＨ０１０４が押下されても還元機２００は停止しない。
【０１１４】
一方、玉通路シャッター開放フラグＦ２がクリアされていれば、玉通路シャッター２１０が閉鎖中であると判断し（Ｓ１５４０）、Ｓ１５５０にて、還元機稼働指示端子Ｐ６をオフにし、更にＳ１５６０にて、還元機停止指示端子Ｐ７をオンにする。これにより、還元機２００への停止指示が開始される。
【０１１５】
その後Ｓ１５７０にて、還元機稼働中検知端子Ｐ３がオンになっているか否かを判断する。即ち、還元機２００が稼働中であるか否かを判断する。ここで、還元機稼働中検知端子Ｐ３がオフであれば、還元機２００が停止中であると判断し（Ｓ１５７０）、Ｓ１５８０にて、還元機稼働フラグＦ１をクリアし、管理端末側還元機停止処理を終了する。
【０１１６】
一方、還元機稼働中検知端子Ｐ３がオンであれば、還元機２００が稼働中であると判断し（Ｓ１５７０）、Ｓ１５９０にて、還元機稼働中検知端子Ｐ３がオンと判断されてから５００ミリ秒経過したか否かを判断する。ここで、５００ミリ秒経過していなければ（Ｓ１５９０）、Ｓ１５７０に移行し、上述の処理を繰り返す。一方、５００ミリ秒経過すると（Ｓ１５９０）、Ｓ１６００にて、還元機停止異常フラグＦ８をセットし、Ｓ１６１０にて、停止指示に従って還元機２００が停止しない旨（還元機停止異常）を島情報表示装置８に報知させる。その後Ｓ１６２０にて還元機停止指示端子Ｐ７をオンにし、更にＳ１６３０にて還元機稼働指示端子Ｐ６をオフにする。そしてＳ１６４０にて、還元機稼働フラグＦ１をクリアし、管理端末側還元機停止処理を終了する。
【０１１７】
［玉通路シャッター開放処理］
次に、Ｓ１１８０にて行われる玉通路シャッター開放処理の手順を、図１８を用いて説明する。図１８は玉通路シャッター開放処理を表すフローチャートである。
【０１１８】
この玉通路シャッター開放処理が起動されると、まず、Ｓ１７１０にて、玉通路シャッター閉鎖電源端子Ｐ１０をオフにし、更にＳ１７２０にて、玉通路シャッター開放電源端子Ｐ９をオンにする。これにより、玉通路シャッター２１０への開放指示が開始される。
【０１１９】
その後Ｓ１７３０にて、玉通路シャッター開放中検知端子Ｐ４がオンになっているか否かを判断する。即ち、玉通路シャッター２１０が開放中であるか否かを判断する。ここで、玉通路シャッター開放中検知端子Ｐ４がオンであれば、玉通路シャッター２１０が開放中であると判断し（Ｓ１７３０）、Ｓ１７４０にて、玉通路シャッター開放フラグＦ２をセットし、玉通路シャッター開放処理を終了する。
【０１２０】
一方、玉通路シャッター開放中検知端子Ｐ４がオフであれば、玉通路シャッター２１０が開放中ではないと判断し（Ｓ１７３０）、Ｓ１７５０にて、玉通路シャッター開放中検知端子Ｐ４がオフと判断されてから１０秒経過したか否かを判断する。ここで、１０秒経過していなければ（Ｓ１７５０）、Ｓ１７３０に移行し、上述の処理を繰り返す。一方、１０秒経過すると、Ｓ１７６０にて、玉通路シャッター開放異常フラグＦ９をセットし、更にＳ１７７０にて、開放指示に従って玉通路シャッター２１０が開放しない旨（玉通路シャッター開放異常）を島情報表示装置８に報知させる。その後Ｓ１７８０にて玉通路シャッター開放電源端子Ｐ９をオフにし、更にＳ１７９０にて玉通路シャッター閉鎖電源端子Ｐ１０をオフにする。そしてＳ１８００にて、玉通路シャッター開放フラグＦ２をクリアし、玉通路シャッター開放処理を終了する。
【０１２１】
［玉通路シャッター閉鎖処理］
次に、Ｓ１２２０及びＳ１５３０にて行われる玉通路シャッター閉鎖処理の手順を、図１９を用いて説明する。図１９は玉通路シャッター閉鎖処理を表すフローチャートである。
【０１２２】
この玉通路シャッター閉鎖処理が起動されると、まず、Ｓ１９１０にて、玉通路シャッター開放電源端子Ｐ９をオフにし、更にＳ１９２０にて、玉通路シャッター閉鎖電源端子Ｐ１０をオンにする。これにより、玉通路シャッター２１０への閉鎖指示が開始される。
【０１２３】
その後Ｓ１９３０にて、玉通路シャッター閉鎖中検知端子Ｐ５がオンになっているか否かを判断する。即ち、玉通路シャッター２１０が閉鎖中であるか否かを判断する。ここで、玉通路シャッター閉鎖中検知端子Ｐ５がオンであれば、玉通路シャッター２１０が閉鎖中であると判断し（Ｓ１９３０）、Ｓ１９４０にて、玉通路シャッター閉鎖中検知端子Ｐ５がオンと判断されてから５秒経過したか否かを判断する。ここで、５秒経過していなければ（Ｓ１９４０）、Ｓ１９３０に移行し、上述の処理を繰り返す。一方、５秒経過すると（Ｓ１９４０）、Ｓ１９５０にて、玉通路シャッター開放フラグＦ２をクリアし、玉通路シャッター閉鎖処理を終了する。
【０１２４】
一方、玉通路シャッター閉鎖中検知端子Ｐ５がオフであれば、玉通路シャッター２１０が閉鎖中ではないと判断し（Ｓ１９３０）、Ｓ１９６０にて、玉通路シャッター閉鎖中検知端子Ｐ５がオフと判断されてから１０秒経過したか否かを判断する。ここで、１０秒経過していなければ（Ｓ１９６０）、Ｓ１９３０に移行し、上述の処理を繰り返す。一方、１０秒経過すると（Ｓ１９６０）、Ｓ１９７０にて、玉通路シャッター閉鎖異常フラグＦ１０をセットし、Ｓ１９８０にて、閉鎖指示に従って玉通路シャッター２１０が閉鎖しない旨（玉通路シャッター閉鎖異常）を島情報表示装置８に報知させる。その後Ｓ１９９０にて、玉通路シャッター開放電源端子Ｐ９をオフにし、更にＳ２０００にて、玉通路シャッター閉鎖電源端子Ｐ１０をオフにする。そしてＳ２０１０にて、玉通路シャッター開放フラグＦ２をセットし、玉通路シャッター閉鎖処理を終了する。
【０１２５】
［還元機定期監視処理］
次に、島コントロール制御ユニット装置５のＣＰＵ４１ａが実行する還元機定期監視処理の手順を、図２０及び図２１を用いて説明する。図２０は還元機定期監視処理の前半部分、図２１は還元機定期監視処理の後半部分を表すフローチャートである。この還元機定期監視処理は、ＣＰＵ４１ａが起動している間に５００ミリ秒毎に実行される処理である。
【０１２６】
この還元機定期監視処理においては、島コントロール制御ユニット装置５のＣＰＵ４１ａは、まず、Ｓ２１１０にて、オーバーロード検知端子Ｐ１がオンになっているか否かを判断する。
【０１２７】
ここで、オーバーロード検知端子Ｐ１がオンであれば（Ｓ２１１０）、Ｓ２１２０にて、玉通路シャッター閉鎖処理（上述）を行い、この処理が終了後に、Ｓ２１３０にて、還元機２００でオーバーロードが発生している旨（オーバーロード異常）を島情報表示装置８に報知させ、更にＳ２１４０にて、スイッチパネル側還元機停止処理（上述）を行い、還元機定期監視処理を終了する。尚、オーバーロードとは、還元機２００を稼動させるモータに過負荷がかかった際に、還元機２００の電源を落とす処理のことであり、還元機２００の電源を落とすことで還元機２００の故障を未然に防ぐためのものである。また、還元機２００の初期稼動時は、還元機駆動時よりもモータに付加がかかるため、所定時間（還元機が駆動を開始してから正常に駆動するまでの時間、約１秒）以上の間モータの過負荷を検出した際にオーバーロードの処理を行うよう制御されている。
【０１２８】
一方、オーバーロード検知端子Ｐ１がオフであれば（Ｓ２１１０）、Ｓ２１５０にて、オーバーフロー検知端子Ｐ２がオンになっているか否かを判断する。ここで、オーバーフロー検知端子Ｐ２がオンであれば（Ｓ２１５０）、Ｓ２１６０にて、オーバーフロー検知端子Ｐ２がオンと判断されてから２秒経過したか否かを判断する。ここで、２秒経過していなければ（Ｓ２１６０）、Ｓ２１５０に移行し、上述の処理を繰り返す。一方、２秒経過すると（Ｓ２１６０）、Ｓ２１７０にて、玉通路シャッター閉鎖処理（上述）を行い、この処理が終了後に、Ｓ２１８０にて、遊技台島１００でオーバーフローが発生している旨（オーバーフロー異常）を島情報表示装置８に報知させ、更にＳ２１９０にて、スイッチパネル側還元機稼働処理（上述）を行い、この処理が終了後に、還元機定期監視処理を終了する。
【０１２９】
またＳ２１５０にて、オーバーフロー検知端子Ｐ２がオフであれば（Ｓ２１５０）、Ｓ２２００にて、断線検知機能付きのオーバーフロー検知端子Ｐ２で断線が検知されたか否かを判断する。ここで、断線が検知されていれば（Ｓ２２００）、Ｓ２２１０にて、オーバーフローセンサが断線している旨（オーバーフローセンサ断線異常）を島情報表示装置８に報知させ、還元機定期監視処理を終了する。
【０１３０】
一方、断線が検知されていなければ（Ｓ２２００）、Ｓ２２２０にて、還元機停止異常フラグＦ８がセットされているか否かを判断する。ここで、還元機停止異常フラグＦ８がセットされていなければ（Ｓ２２２０）、Ｓ２２６０に移行する。一方、還元機停止異常フラグＦ８がセットされていれば（Ｓ２２２０）、Ｓ２２３０にて、還元機稼働中検知端子Ｐ３がオンになっているか否かを判断する。即ち、還元機２００が稼働中であるか否かを判断する。
【０１３１】
ここで、還元機稼働中検知端子Ｐ３がオンであれば、還元機２００が稼働中であると判断し（Ｓ２２３０）、還元機定期監視処理を終了する。一方、還元機稼働中検知端子Ｐ３がオフであれば、還元機２００が停止中であると判断し（Ｓ２２３０）、Ｓ２２４０にて、還元機停止異常フラグＦ８をクリアし、Ｓ２２５０にて、還元機稼働フラグＦ１をクリアして、Ｓ２２６０に移行する。
【０１３２】
そしてＳ２２６０に移行すると、還元機稼働異常フラグＦ７がセットされているか否かを判断する。ここで、還元機稼働異常フラグＦ７がセットされていなければ（Ｓ２２６０）、還元機定期監視処理を終了する。一方、還元機稼働異常フラグＦ７がセットされていれば（Ｓ２２６０）、Ｓ２２７０にて、還元機稼働中検知端子Ｐ３がオンになっているか否かを判断する。即ち、還元機２００が稼働中であるか否かを判断する。
【０１３３】
ここで、還元機稼働中検知端子Ｐ３がオフであれば、還元機２００が停止中であると判断し（Ｓ２２７０）、還元機定期監視処理を終了する。一方、還元機稼働中検知端子Ｐ３がオンであれば、還元機２００が稼働中であると判断し（Ｓ２２７０）、Ｓ２２８０にて、還元機稼働異常フラグＦ７をクリアし、Ｓ２２９０にて、還元機稼働フラグＦ１をセットして、還元機定期監視処理を終了する。
【０１３４】
［スイッチパネル側玉通路シャッター開放処理］
次に、島コントロール制御ユニット装置５のＣＰＵ４１ａが実行するスイッチパネル側玉通路シャッター開放処理の手順を説明する。このスイッチパネル側玉通路シャッター開放処理は、玉通路シャッター２１０が閉鎖中に操作スイッチ群装置６の玉通路シャッター用操作部５２のボタン５２ａが押下された時に実行される処理であり、図１８に記載した処理と同じ処理を行う。
【０１３５】
［スイッチパネル側玉通路シャッター閉鎖処理］
次に、島コントロール制御ユニット装置５のＣＰＵ４１ａが実行するスイッチパネル側玉通路シャッター閉鎖処理の手順を説明する。このスイッチパネル側玉通路シャッター閉鎖処理は、玉通路シャッター２１０が開放中に操作スイッチ群装置６の玉通路シャッター用操作部５２のボタン５２ａが押下された時に実行される処理であり、図１９に記載した処理と同じ処理を行う。
【０１３６】
［玉通路シャッター定期監視処理］
次に、島コントロール制御ユニット装置５のＣＰＵ４１ａが実行する玉通路シャッター定期監視処理の手順を、図２２を用いて説明する。図２２は玉通路シャッター定期監視処理を表すフローチャートである。この玉通路シャッター定期監視処理は、ＣＰＵ４１ａが起動している間に５００ミリ秒毎に実行される処理である。
【０１３７】
この玉通路シャッター定期監視処理においては、島コントロール制御ユニット装置５のＣＰＵ４１ａは、まず、Ｓ３３１０にて、玉通路シャッター閉鎖異常フラグＦ１０がセットされているか否かを判断する。ここで、玉通路シャッター閉鎖異常フラグＦ１０がセットされていなければ（Ｓ３３１０）、Ｓ３３５０に移行する。一方、玉通路シャッター閉鎖異常フラグＦ１０がセットされていれば（Ｓ３３１０）、Ｓ３３２０にて、玉通路シャッター閉鎖中検知端子Ｐ５がオンになっているか否かを判断する。即ち、玉通路シャッター２１０が閉鎖中であるか否かを判断する。
【０１３８】
ここで、玉通路シャッター閉鎖中検知端子Ｐ５がオンであれば、玉通路シャッター２１０が閉鎖中であると判断し（Ｓ３３２０）、玉通路シャッター定期監視処理を終了する。一方、玉通路シャッター閉鎖中検知端子Ｐ５がオフであれば、玉通路シャッター２１０が開放中であると判断し（Ｓ３３２０）、Ｓ３３３０にて、玉通路シャッター閉鎖異常フラグＦ１０をクリアし、Ｓ３３４０にて、玉通路シャッター開放フラグＦ２をクリアして、Ｓ３３５０に移行する。
【０１３９】
そしてＳ３３５０に移行すると、玉通路シャッター開放異常フラグＦ９がセットされているか否かを判断する。ここで、玉通路シャッター開放異常フラグＦ９がセットされていなければ（Ｓ３３５０）、玉通路シャッター定期監視処理を終了する。一方、玉通路シャッター開放異常フラグＦ９がセットされていれば（Ｓ３３５０）、Ｓ３３６０にて、玉通路シャッター開放中検知端子Ｐ４がオンになっているか否かを判断する。即ち、玉通路シャッター２１０が開放中であるか否かを判断する。
【０１４０】
ここで、玉通路シャッター開放中検知端子Ｐ４がオフであれば、玉通路シャッター２１０が閉鎖中であると判断し（Ｓ３３６０）、玉通路シャッター定期監視処理を終了する。一方、玉通路シャッター開放中検知端子Ｐ４がオンであれば、玉通路シャッター２１０が閉鎖中であると判断し（Ｓ３３６０）、Ｓ３３７０にて、玉通路シャッター開放異常フラグＦ９をクリアし、Ｓ３３８０にて、玉通路シャッター開放フラグＦ２をセットして、玉通路シャッター定期監視処理を終了する。
【０１４１】
［スイッチパネル側ヒータ稼働処理］
次に、島コントロール制御ユニット装置５のＣＰＵ４１ａが実行するスイッチパネル側ヒータ稼働処理の手順を、図２３を用いて説明する。図２３はスイッチパネル側ヒータ稼働処理を表すフローチャートである。このスイッチパネル側ヒータ稼働処理は、ヒータ２２０が停止中に操作スイッチ群装置６のヒータ用操作部５４のボタン５４ａが押下された時に実行される処理である。
【０１４２】
このスイッチパネル側ヒータ稼働処理においては、島コントロール制御ユニット装置５のＣＰＵ４１ａは、まず、Ｓ３４１０にて、後述のＳ４４２０及びＳ４６５０でセットされる玉抜きストッパー開放フラグＦ３がセットされているか否かを判断する。即ち、玉抜きストッパー２３０が開放中であるか否かを判断する。ここで、玉抜きストッパー開放フラグＦ３がセットされていれば、玉抜きストッパー２３０が開放中であると判断し（Ｓ３４１０）、Ｓ３４３０にて、ヒータ温度制御フラグＦ６をクリアして、Ｓ３４４０に移行する。
【０１４３】
一方、玉抜きストッパー開放フラグＦ３がクリアされていれば、玉抜きストッパー２３０が閉鎖中であると判断し（Ｓ３４１０）、Ｓ３４２０にて、ヒータ温度制御フラグＦ６をセットして、Ｓ３４４０に移行する。
【０１４４】
そしてＳ３４４０に移行すると、ヒータ電源端子Ｐ２８〜Ｐ３３をオンにする。これにより、ヒータ２２０への稼動指示を開始させる。
その後Ｓ３４５０にて、断線検知機能付きのヒータ電源端子Ｐ２８〜Ｐ３３で断線が検知されたか否かを判断する。ここで、断線が検知されていれば（Ｓ３４５０）、Ｓ３４９０にて、ヒータ電源が断線している旨（ヒータ断線異常）を島情報表示装置８に報知させ、Ｓ３５００にて、ヒータ電源端子Ｐ２８〜Ｐ３３をオフにする。その後、Ｓ３５１０にて、ヒータ稼働フラグＦ４をクリアして、スイッチパネル側ヒータ稼働処理を終了する。
【０１４５】
またＳ３４５０にて、断線が検知されていなければ（Ｓ３４５０）、Ｓ３４６０にて、ヒータ電源端子Ｐ２８〜Ｐ３３で断線を検知していない状態で５００ミリ秒経過したか否かを判断する。ここで、５００ミリ秒経過していなければ（Ｓ３４６０）、Ｓ３４５０に移行し、上述の処理を繰り返す。一方、５００ミリ秒経過すると（Ｓ３４６０）、Ｓ３４７０にて、ヒータ稼働フラグＦ４をセットして、Ｓ３４８０にて、ヒータ２２０の温度を制御するヒータ制御処理（後述）を行い、スイッチパネル側ヒータ稼働処理を終了する。
【０１４６】
［管理端末側ヒータ稼働処理］
次に、島コントロール制御ユニット装置５のＣＰＵ４１ａが実行する管理端末側ヒータ稼働処理の手順を、図２４を用いて説明する。図２４は管理端末側ヒータ稼働処理を表すフローチャートである。この管理端末側ヒータ稼働処理は、ヒータ稼働ボタンＨ０１０７が押下された時に実行される処理である。
【０１４７】
この管理端末側ヒータ稼働処理においては、島コントロール制御ユニット装置５のＣＰＵ４１ａは、まず、Ｓ３６３０にて、後述のＳ４４２０及びＳ４６５０でセットされる玉抜きストッパー開放フラグＦ３がセットされているか否かを判断する。即ち、玉抜きストッパー２３０が開放中であるか否かを判断する。ここで、玉抜きストッパー開放フラグＦ３がセットされていれば、玉抜きストッパー２３０が開放中であると判断し（Ｓ３６３０）、Ｓ３６５０にて、ヒータ温度制御フラグＦ６をクリアして、Ｓ３６６０に移行する。
【０１４８】
一方、玉抜きストッパー開放フラグＦ３がクリアされていれば、玉抜きストッパー２３０が閉鎖中であると判断し（Ｓ３６３０）、Ｓ３６４０にて、ヒータ温度制御フラグＦ６をセットして、Ｓ３６６０に移行する。
【０１４９】
そしてＳ３６６０に移行すると、ヒータ電源端子Ｐ２８〜Ｐ３３をオンにする。これにより、ヒータ２２０への稼動指示が開始される。
その後Ｓ３６７０にて、断線検知機能付きのヒータ電源端子Ｐ２８〜Ｐ３３で断線が検知されたか否かを判断する。ここで、断線が検知されていれば（Ｓ３６７０）、Ｓ３７１０にて、ヒータ電源が断線している旨（ヒータ断線異常）を島情報表示装置８に報知させ、Ｓ３７２０にて、ヒータ電源端子Ｐ２８〜Ｐ３３をオフにする。その後、Ｓ３７３０にて、ヒータ稼働フラグＦ４をクリアして、管理端末側ヒータ稼働処理を終了する。
【０１５０】
またＳ３６７０にて、断線が検知されていなければ（Ｓ３６７０）、Ｓ３６８０にて、ヒータ電源端子Ｐ２８〜Ｐ３３で断線を検知していない状態で５００ミリ秒経過したか否かを判断する。ここで、５００ミリ秒経過していなければ（Ｓ３６８０）、Ｓ３６７０に移行し、上述の処理を繰り返す。一方、５００ミリ秒経過すると（Ｓ３６８０）、Ｓ３６９０にて、ヒータ稼働フラグＦ４をセットして、Ｓ３７００にて、ヒータ２２０の温度を制御するヒータ制御処理（後述）を行い、管理端末側ヒータ稼働処理を終了する。
【０１５１】
［スイッチパネル側ヒータ停止処理］
次に、島コントロール制御ユニット装置５のＣＰＵ４１ａが実行するスイッチパネル側ヒータ停止処理の手順を、図２５を用いて説明する。図２５はスイッチパネル側ヒータ停止処理を表すフローチャートである。このスイッチパネル側ヒータ停止処理は、ヒータ２２０が稼働中に操作スイッチ群装置６のヒータ用操作部５４のボタン５４ａが押下された時に実行される処理である。
【０１５２】
このスイッチパネル側ヒータ停止処理においては、島コントロール制御ユニット装置５のＣＰＵ４１ａは、まず、Ｓ３８１０にて、ヒータ稼働フラグＦ４がセットされているか否かを判断する。即ち、ヒータ２２０が稼働中であるか否かを判断する。ここで、ヒータ稼働フラグＦ４がセットされていれば、ヒータ２２０が稼働中であると判断し（Ｓ３８１０）、Ｓ３８２０にて、断線検知機能付きのヒータ電源端子Ｐ２８〜Ｐ３３で断線が検知されたか否かを判断する。ここで、断線が検知されていれば（Ｓ３８２０）、Ｓ３８３０にて、ヒータ電源が断線している旨（ヒータ断線異常）を島情報表示装置８に報知させ、Ｓ３８４０に移行する。一方、断線が検知されていなければ（Ｓ３８２０）、Ｓ３８４０に移行する。
【０１５３】
またＳ３８１０にて、ヒータ稼働フラグＦ４がクリアされていれば（Ｓ３８１０）、Ｓ３８４０に移行する。
そしてＳ３８４０に移行すると、ヒータ電源端子Ｐ２８〜Ｐ３３をオフにして、更にＳ３８５０にて、ヒータ稼働フラグＦ４をクリアして、スイッチパネル側ヒータ停止処理を終了する。
【０１５４】
［管理端末側ヒータ停止処理］
次に、島コントロール制御ユニット装置５のＣＰＵ４１ａが実行する管理端末側ヒータ停止処理の手順を、図２６を用いて説明する。図２６は管理端末側ヒータ停止処理を表すフローチャートである。この管理端末側ヒータ停止処理は、ヒータ停止ボタンＨ０１０８が押下された時に実行される処理である。
【０１５５】
この管理端末側ヒータ停止処理においては、島コントロール制御ユニット装置５のＣＰＵ４１ａは、まず、Ｓ３９３０にて、ヒータ稼働フラグＦ４がセットされているか否かを判断する。即ち、ヒータ２２０が稼働中であるか否かを判断する。ここで、ヒータ稼働フラグＦ４がセットされていれば、ヒータ２２０が稼働中であると判断し（Ｓ３９３０）、Ｓ３９４０にて、断線検知機能付きのヒータ電源端子Ｐ２８〜Ｐ３３で断線が検知されたか否かを判断する。ここで、断線が検知されていれば（Ｓ３９４０）、Ｓ３９５０にて、ヒータ電源が断線している旨（ヒータ断線異常）を島情報表示装置８に報知させ、Ｓ３９６０に移行する。一方、断線が検知されていなければ（Ｓ３９４０）、Ｓ３９６０に移行する。
【０１５６】
またＳ３９３０にて、ヒータ稼働フラグＦ４がクリアされていれば（Ｓ３９３０）、Ｓ３９６０に移行する。
そしてＳ３９６０に移行すると、ヒータ電源端子Ｐ２８〜Ｐ３３をオフにして、更にＳ３９７０にて、ヒータ稼働フラグＦ４をクリアして、管理端末側ヒータ停止処理を終了する。
【０１５７】
［ヒータ定期監視処理］
次に、島コントロール制御ユニット装置５のＣＰＵ４１ａが実行するヒータ定期監視処理の手順を、図２７を用いて説明する。図２７はヒータ定期監視処理を表すフローチャートである。このヒータ定期監視処理は、ＣＰＵ４１ａが起動している間に５００ミリ秒毎に実行される処理である。
【０１５８】
このヒータ定期監視処理においては、島コントロール制御ユニット装置５のＣＰＵ４１ａは、Ｓ４１１０にて、ヒータ２２０の温度を制御するヒータ制御処理（後述）を行い、この処理を終了後に、Ｓ４１２０にて、断線検知機能付きのヒータ電源端子Ｐ２８〜Ｐ３３で断線が検知されたか否かを判断する。ここで、断線が検知されていれば（Ｓ４１２０）、Ｓ４１３０にて、ヒータ電源が断線している旨（ヒータ断線異常）を島情報表示装置８に報知させ、Ｓ４１４０にて、ヒータ電源端子Ｐ２８〜Ｐ３３をオフにする。その後、Ｓ４１５０にて、ヒータ稼働フラグＦ４をクリアして、ヒータ定期監視処理を終了する。またＳ４１２０にて、断線が検知されていなければ（Ｓ４１２０）、ヒータ定期監視処理を終了する。
【０１５９】
［ヒータ制御処理］
次に、Ｓ３４８０，Ｓ３７００及びＳ４１１０にて行われるヒータ制御処理の手順を、図２８を用いて説明する。図２８はヒータ制御処理を表すフローチャートである。
【０１６０】
このヒータ制御処理が起動されると、まず、Ｓ４２１０にて、ヒータ温度制御フラグＦ６がセットされているか否かを判断する。即ち、ヒータ２２０の温度制御が有効であるか否かを判断する。ここで、ヒータ温度制御フラグＦ６がクリアされていれば、ヒータ２２０の温度制御が無効であると判断し（Ｓ４２１０）、ヒータ制御処理を終了する。ヒータ制御処理を行わない理由としては、例えば、玉抜きストッパー２３０が開放しているためヒータ温度制御フラグＦ６がクリアされている状態では、遊技玉が補給樋２５０上に滞留していることは無く、ヒータ２２０によって補給樋が暖めすぎたとしても遊技玉が補給樋２５０から熱を吸収し続け高温になることがないため、ヒータ制御を行う必要が無いからである。
【０１６１】
一方、ヒータ温度制御フラグＦ６がセットされていれば、ヒータ２２０の温度制御が有効であると判断し（Ｓ４２１０）、Ｓ４２２０にて、温度検知端子Ｐ２６で検知された温度（以下、ヒータ検知温度１という）または温度検知端子Ｐ２７で検知された温度（以下、ヒータ検知温度２という）がヒータ停止判定値Ｋ１（本実施形態では例えば４５℃に相当する値）を越えているか否かを判断する。
【０１６２】
ここで、ヒータ検知温度１またはヒータ検知温度２がヒータ停止判定値Ｋ１を越えていれば（Ｓ４２２０）、Ｓ４２３０にて、ヒータ電源端子Ｐ２８〜Ｐ３３をオフにして、更にＳ４２４０にて、ヒータ稼働フラグＦ４をクリアして、ヒータ制御処理を終了する。一方、ヒータ検知温度１またはヒータ検知温度２がヒータ停止判定値Ｋ１以下であれば（Ｓ４２２０）、Ｓ４２５０にて、ヒータ検知温度１またはヒータ検知温度２がヒータ稼働判定値Ｋ２（本実施形態では例えば４０℃に相当する値）未満であるか否かを判断する。
【０１６３】
ここで、ヒータ検知温度１またはヒータ検知温度２がヒータ稼働判定値Ｋ２未満であれば（Ｓ４２５０）、Ｓ４２６０にて、ヒータ電源端子Ｐ２８〜Ｐ３３をオンにして、更にＳ４２７０にて、ヒータ稼働フラグＦ４をセットして、ヒータ制御処理を終了する。一方、ヒータ検知温度１またはヒータ検知温度２がヒータ稼働判定値Ｋ２以上であれば（Ｓ４２５０）、ヒータ制御処理を終了する。
【０１６４】
［スイッチパネル側玉抜きストッパー開放処理］
次に、島コントロール制御ユニット装置５のＣＰＵ４１ａが実行するスイッチパネル側玉抜きストッパー開放処理の手順を、図２９を用いて説明する。図２９はスイッチパネル側玉抜きストッパー開放処理を表すフローチャートである。このスイッチパネル側玉抜きストッパー開放処理は、玉抜きストッパー２３０が閉鎖中に操作スイッチ群装置６の玉抜きストッパー用操作部５３のボタン５３ａが押下された時に実行される処理である。
【０１６５】
このスイッチパネル側玉抜きストッパー開放処理においては、島コントロール制御ユニット装置５のＣＰＵ４１ａは、まず、Ｓ４４１０にて、ソレノイド開閉動作電源端子Ｐ２２〜Ｐ２５をオンにする。これにより、玉抜きストッパー２３０が開放する。そしてＳ４４２０にて、玉抜きストッパー開放フラグＦ３をセットし、Ｓ４４３０にて、ヒータ温度制御フラグＦ６をクリアする。
【０１６６】
その後Ｓ４４４０にて、玉通過検知端子Ｐ１８〜Ｐ２１がオンになっているか否かを判断する。即ち、玉抜きストッパー２３０の開放により玉が流れているか否かを判断する。ここで、玉通過検知端子Ｐ１８〜Ｐ２１がオンであれば、玉が流れていると判断し（Ｓ４４４０）、スイッチパネル側玉抜きストッパー開放処理を終了する。
【０１６７】
一方、玉通過検知端子Ｐ１８〜Ｐ２１がオフであれば、玉が流れていないと判断し（Ｓ４４４０）、Ｓ４４５０にて、玉通過検知端子Ｐ１８〜Ｐ２１がオフと判断されてから５秒経過したか否かを判断する。ここで、５秒経過していなければ（Ｓ４４５０）、Ｓ４４４０に移行し、上述の処理を繰り返す。一方、５秒経過すると（Ｓ４４５０）、Ｓ４４６０にて、玉が流れていない状況を解消する玉流れ異常処理（後述）を実行し、この処理が終了した後に、スイッチパネル側玉抜きストッパー開放処理を終了する。
【０１６８】
［管理端末側玉抜きストッパー開放処理］
次に、島コントロール制御ユニット装置５のＣＰＵ４１ａが実行する管理端末側玉抜きストッパー開放処理の手順を、図３０を用いて説明する。図３０は管理端末側玉抜きストッパー開放処理を表すフローチャートである。この管理端末側玉抜きストッパー開放処理は、玉抜きストッパー開放ボタンＨ０１０５が押下された時に実行される処理である。
【０１６９】
この管理端末側玉抜きストッパー開放処理においては、島コントロール制御ユニット装置５のＣＰＵ４１ａは、まず、Ｓ４６３０にて、還元機稼働フラグＦ１がセットされているか否かを判断する。即ち、還元機２００が稼働中であるか否かを判断する。ここで、還元機稼働フラグＦ１がセットされていれば、還元機２００が稼働中であると判断し（Ｓ４６３０）、管理端末側玉抜きストッパー開放処理を終了する。これにより、還元機２００が稼働中の場合には玉抜きストッパー開放ボタンＨ０１０５が押下されても玉抜きストッパー２３０は開放しない。
【０１７０】
一方、還元機稼働フラグＦ１がクリアされていれば、還元機２００が停止中であると判断し（Ｓ４６３０）、Ｓ４６４０にて、ソレノイド開閉動作電源端子Ｐ２２〜Ｐ２５をオンにする。これにより、玉抜きストッパー２３０が開放する。そしてＳ４６５０にて、玉抜きストッパー開放フラグＦ３をセットし、Ｓ４６６０にて、ヒータ温度制御フラグＦ６をクリアする。
【０１７１】
その後Ｓ４６７０にて、玉通過検知端子Ｐ１８〜Ｐ２１がオンになっているか否かを判断する。即ち、玉抜きストッパー２３０の開放により玉が流れているか否かを判断する。ここで、玉通過検知端子Ｐ１８〜Ｐ２１がオンであれば、玉が流れていると判断し（Ｓ４６７０）、管理端末側玉抜きストッパー開放処理を終了する。
【０１７２】
一方、玉通過検知端子Ｐ１８〜Ｐ２１がオフであれば、玉が流れていないと判断し（Ｓ４６７０）、Ｓ４６８０にて、玉通過検知端子Ｐ１８〜Ｐ２１がオフと判断されてから５秒経過したか否かを判断する。ここで、５秒経過していなければ（Ｓ４６８０）、Ｓ４６７０に移行し、上述の処理を繰り返す。一方、５秒経過すると（Ｓ４６８０）、Ｓ４６９０にて、玉が流れていない状況を解消する玉流れ異常処理（後述）を実行し、この処理が終了した後に、管理端末側玉抜きストッパー開放処理を終了する。
【０１７３】
［スイッチパネル側玉抜きストッパー閉鎖処理］
次に、島コントロール制御ユニット装置５のＣＰＵ４１ａが実行するスイッチパネル側玉抜きストッパー閉鎖処理の手順を、図３１を用いて説明する。図３１はスイッチパネル側玉抜きストッパー閉鎖処理を表すフローチャートである。このスイッチパネル側玉抜きストッパー閉鎖処理は、玉抜きストッパー２３０が開放中に操作スイッチ群装置６の玉抜きストッパー用操作部５３のボタン５３ａが押下された時に実行される処理である。
【０１７４】
このスイッチパネル側玉抜きストッパー閉鎖処理においては、島コントロール制御ユニット装置５のＣＰＵ４１ａは、まず、Ｓ４８１０にて、ソレノイド開閉動作電源端子Ｐ２２〜Ｐ２５をオフにする。これにより、玉抜きストッパー２３０が閉鎖する。そしてＳ４８２０にて、玉抜きストッパー開放フラグＦ３をクリアし、Ｓ４８３０にて、ヒータ温度制御フラグＦ６をセットする。
【０１７５】
その後Ｓ４８４０にて、玉通過検知端子Ｐ１８〜Ｐ２１がオンになっているか否かを判断する。即ち、玉抜きストッパー２３０の閉鎖により玉が流れていないか否かを判断する。ここで、玉通過検知端子Ｐ１８〜Ｐ２１がオフであれば、玉が流れていないと判断し（Ｓ４８４０）、スイッチパネル側玉抜きストッパー閉鎖処理を終了する。
【０１７６】
一方、玉通過検知端子Ｐ１８〜Ｐ２１がオンであれば、玉が流れていると判断し（Ｓ４８４０）、Ｓ４８５０にて、玉通過検知端子Ｐ１８〜Ｐ２１がオンと判断されてから５秒経過したか否かを判断する。ここで、５秒経過していなければ（Ｓ４８５０）、Ｓ４８４０に移行し、上述の処理を繰り返す。一方、５秒経過すると（Ｓ４８５０）、Ｓ４８６０にて、玉が流れている状況を解消する玉漏れ異常処理（後述）を実行し、この処理が終了した後に、スイッチパネル側玉抜きストッパー閉鎖処理を終了する。
【０１７７】
［管理端末側玉抜きストッパー閉鎖処理］
次に、島コントロール制御ユニット装置５のＣＰＵ４１ａが実行する管理端末側玉抜きストッパー閉鎖処理の手順を、図３２を用いて説明する。図３２は管理端末側玉抜きストッパー閉鎖処理を表すフローチャートである。この管理端末側玉抜きストッパー閉鎖処理は、玉抜きストッパー閉鎖ボタンＨ０１０６が押下された時に実行される処理である。
【０１７８】
この管理端末側玉抜きストッパー閉鎖処理においては、島コントロール制御ユニット装置５のＣＰＵ４１ａは、まず、Ｓ５０３０にて、ソレノイド開閉動作電源端子Ｐ２２〜Ｐ２５をオフにする。これにより、玉抜きストッパー２３０が閉鎖する。そしてＳ５０４０にて、玉抜きストッパー開放フラグＦ３をクリアし、Ｓ５０５０にて、ヒータ温度制御フラグＦ６をセットする。
【０１７９】
その後Ｓ５０６０にて、玉通過検知端子Ｐ１８〜Ｐ２１がオンになっているか否かを判断する。即ち、玉抜きストッパー２３０の閉鎖により玉が流れていないか否かを判断する。ここで、玉通過検知端子Ｐ１８〜Ｐ２１がオフであれば、玉が流れていないと判断し（Ｓ５０６０）、管理端末側玉抜きストッパー閉鎖処理を終了する。
【０１８０】
一方、玉通過検知端子Ｐ１８〜Ｐ２１がオンであれば、玉が流れていると判断し（Ｓ５０６０）、Ｓ５０７０にて、玉通過検知端子Ｐ１８〜Ｐ２１がオンと判断されてから５秒経過したか否かを判断する。ここで、５秒経過していなければ（Ｓ５０７０）、Ｓ５０６０に移行し、上述の処理を繰り返す。一方、５秒経過すると（Ｓ５０７０）、Ｓ５０８０にて、玉が流れている状況を解消する玉漏れ異常処理（後述）を実行し、この処理が終了した後に、管理端末側玉抜きストッパー閉鎖処理を終了する。
【０１８１】
［玉抜きストッパー定期監視処理］
次に、島コントロール制御ユニット装置５のＣＰＵ４１ａが実行する玉抜きストッパー定期監視処理の手順を、図３３を用いて説明する。図３３は玉抜きストッパー定期監視処理を表すフローチャートである。この玉抜きストッパー定期監視処理は、ＣＰＵ４１ａが起動している間に５００ミリ秒毎に実行される処理である。
【０１８２】
この玉抜きストッパー定期監視処理においては、島コントロール制御ユニット装置５のＣＰＵ４１ａは、まず、Ｓ５２１０にて、断線検知機能付きの玉通過検知端子Ｐ１８〜Ｐ２１で断線が検知されたか否かを判断する。ここで、断線が検知されていれば（Ｓ５２１０）、Ｓ５２２０にて、玉通過センサが断線している旨（玉通過センサ断線異常）を島情報表示装置８に報知させ、玉抜きストッパー定期監視処理を終了する。一方、断線が検知されていなければ（Ｓ５２１０）、Ｓ５２３０にて、玉抜きストッパー開放フラグＦ３がセットされているか否かを判断する。即ち、玉抜きストッパー２３０が開放中であるか否かを判断する。ここで、玉抜きストッパー開放フラグＦ３がセットされていれば、玉抜きストッパー２３０が開放中であると判断し（Ｓ５２３０）、Ｓ５２４０にて、玉通過検知端子Ｐ１８〜Ｐ２１がオンになっているか否かを判断する。即ち、玉抜きストッパー２３０の開放により玉が流れているか否かを判断する。ここで、玉通過検知端子Ｐ１８〜Ｐ２１がオンであれば、玉が流れていると判断し（Ｓ５２４０）、Ｓ５２５０にて、後述のＳ５５３０で実行される玉流れ異常の報知を禁止する。これにより、玉流れ異常の報知が行われている場合には、この報知が終了する。そして、玉抜きストッパー定期監視処理を終了する。
【０１８３】
一方、玉通過検知端子Ｐ１８〜Ｐ２１がオフであれば、玉が流れていないと判断し（Ｓ５２４０）、Ｓ５２６０にて、玉通過検知端子Ｐ１８〜Ｐ２１がオフと判断されてから５秒経過したか否かを判断する。ここで、５秒経過していなければ（Ｓ５２６０）、Ｓ５２４０に移行し、上述の処理を繰り返す。一方、５秒経過すると（Ｓ５２６０）、Ｓ５２７０にて、玉が流れていない状況を解消する玉流れ異常処理（後述）を実行し、この処理が終了した後に、玉抜きストッパー定期監視処理を終了する。
【０１８４】
またＳ５２３０に戻り、玉抜きストッパー開放フラグＦ３がクリアされていれば、玉抜きストッパー２３０が閉鎖中であると判断し（Ｓ５２３０）、Ｓ５２８０にて、玉通過検知端子Ｐ１８〜Ｐ２１がオンになっているか否かを判断する。即ち、玉抜きストッパー２３０の閉鎖により玉が流れていないか否かを判断する。ここで、玉通過検知端子Ｐ１８〜Ｐ２１がオフであれば、玉が流れていないと判断し（Ｓ５２８０）、後述のＳ５７７０で実行される玉漏れ異常の報知を禁止する。これにより、玉漏れ異常の報知が行われている場合には、この報知が終了する。そして、玉抜きストッパー定期監視処理を終了する。
【０１８５】
一方、玉通過検知端子Ｐ１８〜Ｐ２１がオンであれば、玉が流れていると判断し（Ｓ５２８０）、Ｓ５３００にて、玉が流れている状況を解消する玉漏れ異常処理（後述）を実行し、この処理が終了した後に、玉抜きストッパー定期監視処理を終了する。
【０１８６】
［玉流れ異常処理］
次に、Ｓ４４６０，Ｓ４６９０及びＳ５２７０にて行われる玉流れ異常処理の手順を、図３４を用いて説明する。図３４は玉流れ異常処理を表すフローチャートである。
【０１８７】
この玉流れ異常処理が起動されると、まず、Ｓ５４１０にて、第１繰り返し変数ｌｏｏｐ１と、第２繰り返し変数ｌｏｏｐ２の値を「０」にする。そしてＳ５４２０にて、ソレノイド開閉動作電源端子Ｐ２２〜Ｐ２５をオフにする。これにより、玉抜きストッパー２３０が閉鎖する。その後Ｓ５４３０にて、５０ミリ秒待つ。そして５０ミリ秒経過すると、Ｓ５４４０にて、ソレノイド開閉動作電源端子Ｐ２２〜Ｐ２５をオンにする。これにより、玉抜きストッパー２３０が開放する。その後Ｓ５４５０にて、５０ミリ秒待つ。そして５０ミリ秒経過すると、Ｓ５４６０にて、第１繰り返し変数ｌｏｏｐ１の値を「１」加算する。
【０１８８】
そしてＳ５４７０にて、第１繰り返し変数ｌｏｏｐ１の値が「１０」に等しいか否かを判断する。ここで、「１０」に等しくない場合には（Ｓ５４７０）、Ｓ５４２０に移行し、上述の処理を繰り返す。一方、「１０」に等しい場合には（Ｓ５４７０）、Ｓ５４８０にて、第１繰り返し変数ｌｏｏｐ１の値を「０」にする。
【０１８９】
その後Ｓ５４９０にて、玉通過検知端子Ｐ１８〜Ｐ２１がオンになっているか否かを判断する。即ち、Ｓ５４２０〜Ｓ５４７０の処理により玉が流れるようになったか否かを判断する。ここで、玉通過検知端子Ｐ１８〜Ｐ２１がオンであれば、玉が流れるようになったと判断し（Ｓ５４９０）、玉流れ異常処理を終了する。
【０１９０】
一方、玉通過検知端子Ｐ１８〜Ｐ２１がオフであれば、玉が流れていないと判断し（Ｓ５４９０）、Ｓ５５００にて、玉通過検知端子Ｐ１８〜Ｐ２１がオフと判断されてから１秒経過したか否かを判断する。ここで、１秒経過していなければ（Ｓ５５００）、Ｓ５４９０に移行し、上述の処理を繰り返す。一方、１秒経過すると、玉が流れるようになっていないと判断し（Ｓ５５００）、Ｓ５５１０にて、第２繰り返し変数ｌｏｏｐ２の値を「１」加算する。
【０１９１】
そしてＳ５５２０にて、第２繰り返し変数ｌｏｏｐ２の値が「５」に等しいか否かを判断する。ここで、「５」に等しくない場合には（Ｓ５５２０）、Ｓ５４２０に移行し、上述の処理を繰り返す。一方、「５」に等しい場合には（Ｓ５５２０）、Ｓ５５３０にて、玉抜きストッパー２３０を開放させる指示を出したにもかかわらず玉が流れていない旨（玉流れ異常）を島情報表示装置８に報知させる。その後Ｓ５５４０にてソレノイド開閉動作電源端子Ｐ２２〜Ｐ２５をオフにし、更にＳ５５５０にて、ヒータ温度制御フラグＦ６をクリアして、玉流れ異常処理を終了する。
【０１９２】
［玉漏れ異常処理］
次に、Ｓ４８６０，Ｓ５０８０及びＳ５３００にて行われる玉漏れ異常処理の手順を、図３５を用いて説明する。図３５は玉漏れ異常処理を表すフローチャートである。
【０１９３】
この玉漏れ異常処理が起動されると、まず、Ｓ５７１０にて、ソレノイド開閉動作電源端子Ｐ２２〜Ｐ２５をオフにし、更にＳ５７２０にて玉抜きストッパー開放フラグＦ３をクリアする。そしてＳ５７３０にて、玉抜きストッパー開放フラグＦ３をクリアしてから１秒経過したか否かを判断する。ここで、１秒経過していなければ（Ｓ５７３０）、Ｓ５７１０に移行し、上述の処理を繰り返す。一方、１秒経過すると（Ｓ５７３０）、Ｓ５７４０にて、玉通過検知端子Ｐ１８〜Ｐ２１がオンになっているか否かを判断する。ここで、玉通過検知端子Ｐ１８〜Ｐ２１がオフであれば、玉が流れていないと判断し（Ｓ５７４０）、玉漏れ異常処理を終了する。
【０１９４】
また、玉通過検知端子Ｐ１８〜Ｐ２１がオンであれば、玉が流れていると判断し（Ｓ５７４０）、Ｓ５７５０にて、玉通過検知端子Ｐ１８〜Ｐ２１がオンと判断されてから５秒経過したか否かを判断する。ここで、５秒経過していなければ（Ｓ５７５０）、Ｓ５７６０にて、ソレノイド開閉動作電源端子Ｐ２２〜Ｐ２５をオフにし、更にＳ５７４０に移行し、上述の処理を繰り返す。
【０１９５】
一方、５秒経過すると（Ｓ５７５０）、Ｓ５７７０にて、玉抜きストッパー２３０を閉鎖させる指示を出したにもかかわらず玉が流れている旨（玉漏れ異常）を島情報表示装置８に報知させ、玉漏れ異常処理を終了する。
【０１９６】
［スイッチパネル側布ベルト稼働処理］
次に、島コントロール制御ユニット装置５のＣＰＵ４１ａが実行するスイッチパネル側布ベルト稼働処理の手順を、図３６を用いて説明する。図３６はスイッチパネル側布ベルト稼働処理を表すフローチャートである。このスイッチパネル側布ベルト稼働処理は、布ベルト巻取り装置２４０が停止中に操作スイッチ群装置６の布ベルト巻取り装置用操作部５５のボタン５５ａが押下された時に実行される処理である。
【０１９７】
このスイッチパネル側布ベルト稼働処理においては、Ｓ５９１０にて、布ベルト巻取り装置２４０に布ベルトを巻き取らせる布ベルト巻取り処理（後述）を実行し、この処理が終了した後に、スイッチパネル側布ベルト稼働処理を終了する。
【０１９８】
［管理端末側布ベルト稼働処理］
次に、島コントロール制御ユニット装置５のＣＰＵ４１ａが実行する管理端末側布ベルト稼働処理の手順を、図３７を用いて説明する。図３７は管理端末側布ベルト稼働処理を表すフローチャートである。この管理端末側布ベルト稼働処理は、布ベルト巻取り装置稼働ボタンＨ０１０９が押下された時に実行される処理である。
【０１９９】
この管理端末側布ベルト稼働処理においては、島コントロール制御ユニット装置５のＣＰＵ４１ａは、まず、Ｓ６０３０にて、還元機稼働フラグＦ１がセットされているか否かを判断する。即ち、還元機２００が稼働中であるか否かを判断する。ここで、還元機稼働フラグＦ１がセットされていれば、還元機２００が稼働中であると判断し（Ｓ６０３０）、管理端末側布ベルト稼働処理を終了する。これにより、還元機２００が稼働中の場合には布ベルト巻取り装置稼働ボタンＨ０１０９が押下されても布ベルト巻取り装置２４０は稼働しない。
【０２００】
一方、還元機稼働フラグＦ１がクリアされていれば、還元機２００が停止中であると判断し（Ｓ６０３０）、Ｓ６０４０にて、布ベルト巻取り装置２４０に布ベルトを巻き取らせる布ベルト巻取り処理（後述）を実行し、この処理が終了した後に、スイッチパネル側布ベルト稼働処理を終了する。
【０２０１】
［スイッチパネル側布ベルト停止処理］
次に、島コントロール制御ユニット装置５のＣＰＵ４１ａが実行するスイッチパネル側布ベルト停止処理の手順を、図３８を用いて説明する。図３８はスイッチパネル側布ベルト停止処理を表すフローチャートである。このスイッチパネル側布ベルト停止処理は、布ベルト巻取り装置２４０が稼働中に操作スイッチ群装置６の布ベルト巻取り装置用操作部５５のボタン５５ａが押下された時に実行される処理である。
【０２０２】
このスイッチパネル側布ベルト停止処理においては、Ｓ６１１０にて、クランプ開放電源端子Ｐ１７をオフにする。これにより、布ベルトがクランプされる。その後Ｓ６１２０にて、５秒待つ。そして５秒経過すると、Ｓ６１３０にて、送りモータ稼働電源端子Ｐ１５をオフにする。これにより、布ベルト巻取り装置２４０の送りモータが停止する。更にＳ６１４０にて、巻取りモータ稼働電源端子Ｐ１６をオフにする。これにより、布ベルト巻取り装置２４０の巻取りモータが停止する。そしてＳ６１５０にて、布ベルト稼働フラグＦ５をクリアして、スイッチパネル側布ベルト停止処理を終了する。
【０２０３】
［管理端末側布ベルト停止処理］
次に、島コントロール制御ユニット装置５のＣＰＵ４１ａが実行する管理端末側布ベルト停止処理の手順を、図３９を用いて説明する。図３９は管理端末側布ベルト停止処理を表すフローチャートである。この管理端末側布ベルト停止処理は、布ベルト巻取り装置停止ボタンＨ０１１０が押下された時に実行される処理である。
【０２０４】
この管理端末側布ベルト停止処理においては、島コントロール制御ユニット装置５のＣＰＵ４１ａは、まず、Ｓ６２３０にて、クランプ開放電源端子Ｐ１７をオフにする。これにより、布ベルトがクランプされる。その後Ｓ６２４０にて、５秒待つ。そして５秒経過すると、Ｓ６２５０にて、送りモータ稼働電源端子Ｐ１５をオフにする。これにより、布ベルト巻取り装置２４０の送りモータが停止する。更にＳ６２６０にて、巻取りモータ稼働電源端子Ｐ１６をオフにする。これにより、布ベルト巻取り装置２４０の巻取りモータが停止する。そしてＳ６２７０にて、布ベルト稼働フラグＦ５をクリアして、管理端末側布ベルト停止処理を終了する。
【０２０５】
［布ベルト定期監視処理］
次に、島コントロール制御ユニット装置５のＣＰＵ４１ａが実行する布ベルト定期監視処理の手順を、図４０を用いて説明する。図４０は布ベルト定期監視処理を表すフローチャートである。この布ベルト定期監視処理は、ＣＰＵ４１ａが起動している間に５００ミリ秒毎に実行される処理である。
【０２０６】
この布ベルト定期監視処理においては、島コントロール制御ユニット装置５のＣＰＵ４１ａは、まず、Ｓ６４１０にて、１ロール終了検知端子Ｐ１３がオンになっているか否かを判断する。即ち、布ベルトの１ロールが終了したか否かを判断する。ここで、１ロール終了検知端子Ｐ１３がオンであれば、布ベルトの１ロールが終了したと判断し（Ｓ６４１０）、Ｓ６４２０にて、布ベルトの１ロールが終了した旨（１ロール終了異常）を島情報表示装置８に報知させ、Ｓ６４５０に移行する。
【０２０７】
一方、１ロール終了検知端子Ｐ１３がオフであれば、布ベルトの１ロールが終了していないと判断し（Ｓ６４１０）、Ｓ６４３０にて、送りモータ過負荷電流検知端子Ｐ１４がオンになっているか否かを判断する。即ち、送りモータにおいて過負荷電流が発生しているか否かを判断する。ここで、送りモータ過負荷電流検知端子Ｐ１４がオンであれば、過負荷電流が発生していると判断し（Ｓ６４３０）、Ｓ６４４０にて、布ベルト巻取りに異常が発生している旨（巻取り異常）を島情報表示装置８に報知させ、Ｓ６４５０に移行する。
【０２０８】
そしてＳ６４５０に移行すると、クランプ開放電源端子Ｐ１７をオフにする。これにより、布ベルトがクランプされる。その後Ｓ６４６０にて、送りモータ稼働電源端子Ｐ１５をオフにする。これにより、布ベルト巻取り装置２４０の送りモータが停止する。更にＳ６４７０にて、巻取りモータ稼働電源端子Ｐ１６をオフにする。これにより、布ベルト巻取り装置２４０の巻取りモータが停止する。そしてＳ６４８０にて、布ベルト稼働フラグＦ５をクリアして、布ベルト定期監視処理を終了する。
【０２０９】
またＳ６４３０に戻り、送りモータ過負荷電流検知端子Ｐ１４がオフであれば、過負荷電流が発生していないと判断し（Ｓ６４３０）、Ｓ６４９０にて、布ベルト緩み検知端子Ｐ１１がオンになっているか否かを判断する。即ち、布ベルトに緩みが発生しているか否かを判断する。ここで、布ベルト緩み検知端子Ｐ１１がオンであれば、布ベルトに緩みが発生していると判断し（Ｓ６４９０）、Ｓ６５００にて、布ベルトの緩みを解消する緩み解消動作処理（後述）を実行し、この処理が終了した後に、布ベルト定期監視処理を終了する。一方、布ベルト緩み検知端子Ｐ１１がオフであれば、布ベルトに緩みが発生していないと判断し（Ｓ６４９０）、布ベルト定期監視処理を終了する。
【０２１０】
［布ベルト巻取り処理］
次に、Ｓ５９１０及びＳ６０４０にて行われる布ベルト巻取り処理の手順を、図４１を用いて説明する。図４１は布ベルト巻取り処理を表すフローチャートである。
【０２１１】
この布ベルト巻取り処理が起動されると、まず、Ｓ６６１０にて、１ロール終了検知端子Ｐ１３がオンになっているか否かを判断する。即ち、布ベルトの１ロールが終了したか否かを判断する。ここで、１ロール終了検知端子Ｐ１３がオンであれば、布ベルトの１ロールが終了したと判断し（Ｓ６６１０）、Ｓ６６６０にて、布ベルトの１ロールが終了した旨（１ロール終了異常）を島情報表示装置８に報知させ、更にＳ６６７０にて、クランプ開放電源端子Ｐ１７をオフにする。これにより、布ベルトがクランプされる。その後Ｓ６６８０にて、送りモータ稼働電源端子Ｐ１５をオフにする。これにより、布ベルト巻取り装置２４０の送りモータが停止する。更にＳ６６９０にて、巻取りモータ稼働電源端子Ｐ１６をオフにする。これにより、布ベルト巻取り装置２４０の巻取りモータが停止する。そしてＳ６７００にて、布ベルト稼働フラグＦ５をクリアして、布ベルト巻取り処理を終了する。
【０２１２】
一方、１ロール終了検知端子Ｐ１３がオフであれば、布ベルトの１ロールが終了していないと判断し（Ｓ６６１０）、Ｓ６６２０にて、クランプ開放電源端子Ｐ１７をオンにする。これにより、布ベルトのクランプが解除される。その後Ｓ６６３０にて、送りモータ稼働電源端子Ｐ１５をオンにする。これにより、布ベルト巻取り装置２４０の送りモータが駆動する。更にＳ６６４０にて、巻取りモータ稼働電源端子Ｐ１６をオンにする。これにより、布ベルト巻取り装置２４０の巻取りモータが駆動する。そしてＳ６６５０にて、布ベルト稼働フラグＦ５をセットする。
【０２１３】
その後Ｓ６７１０にて、布ベルト巻取り装置２４０に布ベルトを巻き取るために要した時間（以下、巻取り経過時間という）が異常判定巻取り時間Ｋ３未満であるか否かを判断する。ここで、巻取り経過時間が異常判定巻取り時間Ｋ３以上であれば（Ｓ６７１０）、Ｓ６７２０にて、布ベルトの巻取りに異常がある旨（巻取り異常）を島情報表示装置８に報知させ、更にＳ６７３０にて、クランプ開放電源端子Ｐ１７をオフにする。これにより、布ベルトがクランプされる。そしてＳ６７７０に移行する。
【０２１４】
一方、巻取り経過時間が異常判定巻取り時間Ｋ３未満であれば（Ｓ６７４０）、布ベルト巻取り装置２４０により巻き取られた布ベルトの長さ（以下、巻取り量という）が異常判定巻取り量Ｋ４未満であるか否かを判断する。ここで、巻取り量が異常判定巻取り量Ｋ４未満であれば（Ｓ６７４０）、Ｓ６６１０に移行し、上述の処理を繰り返す。一方、巻取り量が異常判定巻取り量Ｋ４以上であれば（Ｓ６７４０）、Ｓ６７５０にて、クランプ開放電源端子Ｐ１７をオフにする。これにより、布ベルトがクランプされる。その後Ｓ６２４０にて５秒待ち、５秒経過すると、Ｓ６７７０に移行する。
【０２１５】
そしてＳ６７７０に移行すると、送りモータ稼働電源端子Ｐ１５をオフにする。これにより、布ベルト巻取り装置２４０の送りモータが停止する。更にＳ６７８０にて、巻取りモータ稼働電源端子Ｐ１６をオフにする。これにより、布ベルト巻取り装置２４０の巻取りモータが停止する。そしてＳ６７９０にて、布ベルト稼働フラグＦ５をクリアして、布ベルト巻取り処理を終了する。
【０２１６】
［緩み解消動作処理］
次に、Ｓ６５００にて行われる緩み解消動作処理の手順を、図４２を用いて説明する。図４２は緩み解消動作処理を表すフローチャートである。
【０２１７】
この緩み解消動作処理が起動されると、まず、Ｓ６９１０にて、クランプ開放電源端子Ｐ１７をオフにする。これにより、布ベルトがクランプされる。そしてＳ６９２０にて、送りモータ稼働電源端子Ｐ１５をオンにする。これにより、布ベルト巻取り装置２４０の送りモータが駆動する。更にＳ６９３０にて、巻取りモータ稼働電源端子Ｐ１６をオンにする。これにより、布ベルト巻取り装置２４０の巻取りモータが駆動する。そしてＳ６９４０にて、布ベルト緩み検知端子Ｐ１１がオンになっているか否かを判断する。即ち、布ベルトに緩みが発生しているか否かを判断する。ここで、布ベルト緩み検知端子Ｐ１１がオフであれば、布ベルトに緩みが発生していないと判断し（Ｓ６９４０）、Ｓ６９７０に移行する。
【０２１８】
一方、布ベルト緩み検知端子Ｐ１１がオンであれば、布ベルトに緩みが発生していると判断し（Ｓ６９４０）、布ベルト緩み検知端子Ｐ１１がオンと判断されてから１秒経過したか否かを判断する。ここで、１秒経過していなければ（Ｓ６９５０）、Ｓ６９２０に移行し、上述の処理を繰り返す。一方、１秒経過すると（Ｓ６９５０）、Ｓ６９６０にて、布ベルトの張りが不足している旨（布ベルト張り不足異常）を島情報表示装置８に報知させ、Ｓ６９７０に移行する。
【０２１９】
そしてＳ６９７０に移行すると、送りモータ稼働電源端子Ｐ１５をオフにする。これにより、布ベルト巻取り装置２４０の送りモータが停止する。更にＳ６９８０にて、巻取りモータ稼働電源端子Ｐ１６をオフにする。これにより、布ベルト巻取り装置２４０の巻取りモータが停止する。そしてＳ６９９０にて、布ベルト稼働フラグＦ５をクリアして、緩み解消動作処理を終了する。
【０２２０】
［布ベルト・システム起動処理］
次に、島コントロール制御ユニット装置５のＣＰＵ４１ａが実行する布ベルト・システム起動処理の手順を、図４３を用いて説明する。図４３は布ベルト・システム起動処理を表すフローチャートである。この布ベルト・システム起動処理は、ＣＰＵ４１ａが起動した直後に１回実行される処理である。
【０２２１】
この布ベルト・システム起動処理においては、島コントロール制御ユニット装置５のＣＰＵ４１ａは、まず、Ｓ７１１０にて、クランプ開放電源端子Ｐ１７をオフにする。これにより、布ベルトがクランプされる。そしてＳ７１２０にて、送りモータ稼働電源端子Ｐ１５をオンにする。これにより、布ベルト巻取り装置２４０の送りモータが駆動する。更にＳ７１３０にて、巻取りモータ稼働電源端子Ｐ１６をオンにする。これにより、布ベルト巻取り装置２４０の巻取りモータが駆動する。
【０２２２】
その後Ｓ７１４０にて、５秒待つ。そして５秒経過すると、Ｓ７１５０にて、送りモータ稼働電源端子Ｐ１５をオフにする。これにより、布ベルト巻取り装置２４０の送りモータが停止する。更にＳ７１６０にて、巻取りモータ稼働電源端子Ｐ１６をオフにする。これにより、布ベルト巻取り装置２４０の巻取りモータが停止する。そして布ベルト・システム起動処理を終了する。
【０２２３】
次に、このように構成された遊技台稼働監視システム１が実行する各種処理の手順を以下に説明する。
［リモート開店処理］
まず、リモートモード（後述）の場合に、図４に示す開店前処理ボタンＨ０１０１が押下された時に遊技台稼働監視システム１が行う処理（以下、リモート開店処理という）の動作を図４４〜図４６を用いて説明する。図４４はリモート開店前処理の第１の部分、図４５はリモート開店前処理の第２の部分、図４６はリモート開店前処理の第３の部分を表すパケットシーケンスチャートである。
【０２２４】
まず、開店前処理ボタンＨ０１０１が押下されると（ＰＳ１−０１）、管理端末装置２は表示パネル２２ｂ（図３参照）に「開店前処理中」ダイアローグを表示する（ＰＳ１−０２）。尚、この時、島情報表示装置８の表示画面となる液晶ディスプレイ（ＬＣＤ）８ａには、「停止中」または「運転中」と表示されている（ＰＳ１−０３）。
【０２２５】
その後、管理端末装置２は、ネットワークアダプタ３に対して、「開店前処理中」である旨を示す管理端末状態設定情報を送信する（ＰＳ１−０４）。これにより、ネットワークアダプタ３は、管理端末装置２が「開店前処理中」であることを認識する（ＰＳ１−０５）。その後ネットワークアダプタ３は、管理端末装置２に対して、管理端末状態情報を受信した旨を示す管理端末状態設定応答情報を送信する（ＰＳ１−０６）。
【０２２６】
そして管理端末装置２は、管理端末状態設定応答情報を受信すると、島コントロール制御ユニット装置５に対して、「開店前処理中」である旨を示す管理端末定期通信情報を送信する（ＰＳ１−０７）。島コントロール制御ユニット装置５は、管理端末定期通信情報を受信すると、島情報表示装置８に対して、「開店前処理中」である旨を示す島情報表示装置情報を送信する（ＰＳ１−０８）。これにより島情報表示装置８は、「開店前処理中」と表示する（ＰＳ１−０９）（図８１（ａ）の表示画面Ｇ２１を参照）。これにより、遊技台島近傍で開店前の準備をしている店員が遊技台島の状況を用意に把握することができ、遊技台島内の各種装置が誤作動を起こしていないと判断することができる。
【０２２７】
また管理端末装置２は、遊技場内の遊技台島１００に設置された全ての島コントロール制御ユニット装置５に対して並列に、還元機２００を稼働させる還元機ＯＮ情報を送信する（ＰＳ１−１０）。これにより還元機２００は、還元機２００を稼働させる還元機ＯＮ処理を行う（ＰＳ１−１１）。尚、この還元機ＯＮ処理は数秒で終了する。そして島コントロール制御ユニット装置５は、管理端末装置２に対して、還元機ＯＮ情報を受信した旨を示す還元機ＯＮ応答情報を送信する（ＰＳ１−１２）。尚、上述した還元機ＯＮ情報は、各島に対して若干の時差を設けて送信し、各島の還元機２００の稼動開始タイミングをずらすことで、瞬間的な使用電力を抑えるようにしてもよい。
【０２２８】
その後、島コントロール制御ユニット装置５は、操作スイッチ群装置６に対して、還元機２００が稼働している旨を示す情報を送信する（ＰＳ１−１３）。これにより操作スイッチ群装置６は、還元機用操作部５１の２色ＬＥＤ５１ｂ（図９参照）を緑色に点灯させる（ＰＳ１−１４）。
【０２２９】
また管理端末装置２は、遊技場内の遊技台島１００に設置された全ての島コントロール制御ユニット装置５から還元機ＯＮ応答情報を受信するか、還元機ＯＮ情報を送信してから１分経過したことを検出した（ＰＳ１−１５）後に、遊技場内の遊技台島１００に設置された全ての玉通路シャッター２１０に対して並列に、玉通路シャッター２１０を開放させる玉通路シャッターＯＮ情報を送信する（ＰＳ１−１６）。これにより玉通路シャッター２１０は、玉通路シャッター２１０を開放させる玉通路シャッターＯＮ処理を行う（ＰＳ１−１７）。尚、この玉通路シャッターＯＮ処理は数秒で終了する。そして島コントロール制御ユニット装置５は、管理端末装置２に対して、玉通路シャッターＯＮ情報を受信した旨を示す玉通路シャッターＯＮ応答情報を送信する（ＰＳ１−１８）。尚、還元機ＯＮ情報を各島に対して若干の時差を設けて送信した場合においても、最後に還元機ＯＮ情報を送信してから所定時間後（約１分後）に遊技場内の遊技台島１００に設置された全ての玉通路シャッターに対して並列に玉通路シャッターＯＮ情報を送信すれば、各島の開店前処理のタイミングを同期させることができる。
【０２３０】
その後、島コントロール制御ユニット装置５は、操作スイッチ群装置６に対して、玉通路シャッター２１０が開放している旨を示す情報を送信する（ＰＳ１−１９）。これにより、図８に示す操作スイッチ群装置６は、玉通路シャッター用操作部５２の２色ＬＥＤ５２ｂ（図９参照）を緑色に点灯させる（ＰＳ１−２０）。
【０２３１】
また管理端末装置２は、遊技場内の遊技台島１００に設置された全ての島コントロール制御ユニット装置５からシャッターＯＮ応答情報を受信するか、玉通路シャッターＯＮ情報を送信してから１分経過したことを検出した（ＰＳ１−２１）後に、遊技場内の遊技台島１００に設置された全ての島コントロール制御ユニット装置５に対して並列に、玉抜きストッパー２３０を開放させる玉抜きストッパーＯＮ情報を送信する（ＰＳ１−２２）。これにより島コントロール制御ユニット装置５は、玉抜きストッパー２３０を開放させる玉抜きストッパーＯＮ処理を行う（ＰＳ１−２３）。尚、この玉抜きストッパーＯＮ処理は数秒で終了する。そして島コントロール制御ユニット装置５は、管理端末装置２に対して、玉抜きストッパーＯＮ情報を受信した旨を示す玉抜きストッパーＯＮ応答情報を送信する（ＰＳ１−２４）。
【０２３２】
その後、島コントロール制御ユニット装置５は、操作スイッチ群装置６に対して、玉抜きストッパー２３０が開放している旨を示す情報を送信する（ＰＳ１−２５）。これにより操作スイッチ群装置６は、玉抜きストッパー用操作部５３の２色ＬＥＤ５３ｂ（図９参照）を緑色に点灯させる（ＰＳ１−２６）。
【０２３３】
また管理端末装置２は、遊技場内の遊技台島１００に設置された全ての島コントロール制御ユニット装置５から玉抜きストッパーＯＮ応答情報を受信するか、玉抜きストッパーＯＮ情報を送信してから１分経過したことを検出した（ＰＳ１−２７）後に、玉抜きストッパー２３０を閉鎖させるまでの時間を計測する玉抜きストッパータイマーをＯＮにする。これにより、玉抜きストッパータイマーが計時を開始する（ＰＳ１−２８）。尚、玉抜きストッパータイマーの満了時間は、動作条件設定画面で設定することができる。
【０２３４】
そして管理端末装置２は、遊技場内の遊技台島１００に設置された全ての島コントロール制御ユニット装置５に対して並列に、ヒータ２２０を稼働させるヒータＯＮ情報を送信する（ＰＳ１−２９）。これにより島コントロール制御ユニット装置５は、ヒータ２２０を稼働させるヒータＯＮ処理を行う（ＰＳ１−３０）。尚、このヒータＯＮ処理は数秒で終了する。そして島コントロール制御ユニット装置５は、管理端末装置２に対して、ヒータＯＮ情報を受信した旨を示すヒータＯＮ応答情報を送信する（ＰＳ１−３１）。
【０２３５】
その後、島コントロール制御ユニット装置５は、操作スイッチ群装置６に対して、ヒータ２２０が稼働している旨を示す情報を送信する（ＰＳ１−３２）。これにより操作スイッチ群装置６は、ヒータ用操作部５４の２色ＬＥＤ５４ｂ（図９参照）を緑色に点灯させる（ＰＳ１−３３）。そして、管理端末装置２は、遊技場内の遊技台島１００に設置された全ての島コントロール制御ユニット装置５からヒータＯＮ応答情報を受信するか、ヒータＯＮ情報を送信してから１分経過したことを検出する（ＰＳ１−３４）。
【０２３６】
その後、玉抜きストッパータイマーが満了すると（ＰＳ１−３５）、遊技場内の遊技台島１００に設置された全ての島コントロール制御ユニット装置５に対して並列に、玉抜きストッパー２３０を閉鎖させる玉抜きストッパーＯＦＦ情報を送信する（ＰＳ１−３６）。これにより島コントロール制御ユニット装置５は、玉抜きストッパー２３０を閉鎖させる玉抜きストッパーＯＦＦ処理を行う（ＰＳ１−３７）。尚、この玉抜きストッパーＯＦＦ処理は数秒で終了する。そして島コントロール制御ユニット装置５は、管理端末装置２に対して、玉抜きストッパーＯＦＦ情報を受信した旨を示す玉抜きストッパーＯＦＦ応答情報を送信する（ＰＳ１−３８）。
【０２３７】
その後、島コントロール制御ユニット装置５は、操作スイッチ群装置６に対して、玉抜きストッパー２３０が閉鎖している旨を示す情報を送信する（ＰＳ１−３９）。これにより操作スイッチ群装置６は、玉抜きストッパー用操作部５３の２色ＬＥＤ５３ｂ（図９参照）を消灯させる（ＰＳ１−４０）。
【０２３８】
また管理端末装置２は、遊技場内の遊技台島１００に設置された全ての島コントロール制御ユニット装置５から玉抜きストッパーＯＦＦ応答情報を受信するか、玉抜きストッパーＯＦＦ情報を送信してから１分経過したことを検出した（ＰＳ１−４１）後に、ネットワークアダプタ３に対して、「運転中」である旨を示す管理端末状態設定情報を送信する（ＰＳ１−４２）。これにより、ネットワークアダプタ３は、管理端末装置２が「運転中」であることを認識する（ＰＳ１−４３）。その後ネットワークアダプタ３は、管理端末装置２に対して、管理端末状態情報を受信した旨を示す管理端末状態設定応答情報を送信する（ＰＳ１−４４）。
【０２３９】
そして管理端末装置２は、管理端末状態設定応答情報を受信すると、島コントロール制御ユニット装置５に対して、「運転中」である旨を示す管理端末定期通信情報を送信する（ＰＳ１−４５）。島コントロール制御ユニット装置５は、管理端末定期通信情報を受信すると、島情報表示装置８に対して、「運転中」である旨を示す島情報表示装置情報を送信する（ＰＳ１−４６）。これにより島情報表示装置８は、「運転中」と表示する（ＰＳ１−４７）（図８１（ｂ）の表示画面Ｇ２２を参照）。また管理端末装置２は、表示パネル２２ｂ上に表示された「開店前処理中」ダイアローグの表示を解除する（ＰＳ１−４８）。
【０２４０】
［リモート還元機ＯＮ・ＯＦＦ処理］
次に、リモートモード（後述）の場合に、図４に示す還元機稼働ボタンＨ０１０３または還元機停止ボタンＨ０１０４が押下された時に遊技台稼働監視システム１が行う処理（以下、リモート還元機ＯＮ・ＯＦＦ処理という）の動作を図４７を用いて説明する。図４７はリモート還元機ＯＮ・ＯＦＦ処理を表すパケットシーケンスチャートである。
【０２４１】
まず、還元機稼働ボタンＨ０１０３または還元機停止ボタンＨ０１０４が押下されると（ＰＳ２−０１）、管理端末装置２は、遊技場内の遊技台島１００に設置された全ての島コントロール制御ユニット装置５に対して並列に、押下されたボタンに従って還元機２００を稼働または停止させる還元機ＯＮ・ＯＦＦ情報を送信する（ＰＳ２−０２）。これにより島コントロール制御ユニット装置５は、還元機２００を稼働または停止させる還元機ＯＮ・ＯＦＦ処理を行う（ＰＳ２−０３）。尚、この還元機ＯＮ・ＯＦＦ処理は数秒で終了する。そして島コントロール制御ユニット装置５は、管理端末装置２に対して、還元機ＯＮ・ＯＦＦ情報を受信した旨を示す還元機ＯＮ・ＯＦＦ応答情報を送信する（ＰＳ２−０４）。
【０２４２】
その後島コントロール制御ユニット装置５は、操作スイッチ群装置６に対して、還元機２００が稼働または停止している旨を示す情報を送信する（ＰＳ２−０５）。これにより操作スイッチ群装置６は、還元機用操作部５１の２色ＬＥＤ５１ｂ（図９参照）を緑色に点灯させるか消灯させる（ＰＳ２−０６）。
【０２４３】
また管理端末装置２は、遊技場内の遊技台島１００に設置された全ての島コントロール制御ユニット装置５から還元機ＯＮ・ＯＦＦ応答情報を受信するか、還元機ＯＮ・ＯＦＦ情報を送信してから１分経過したことを検出した（ＰＳ２−０７）後に、遊技場内の遊技台島１００に設置された全ての島コントロール制御ユニット装置５に対して並列に、玉通路シャッター２１０を開放または閉鎖させる玉通路シャッターＯＮ・ＯＦＦ情報を送信する（ＰＳ２−０８）。これにより島コントロール制御ユニット装置５は、玉通路シャッター２１０を開放または閉鎖させる玉通路シャッターＯＮ・ＯＦＦ処理を行う（ＰＳ２−０９）。尚、この玉通路シャッターＯＮ・ＯＦＦ処理は数秒で終了する。そして島コントロール制御ユニット装置５は、管理端末装置２に対して、玉通路シャッターＯＮ・ＯＦＦ情報を受信した旨を示す玉通路シャッターＯＮ・ＯＦＦ応答情報を送信する（ＰＳ２−１０）。
【０２４４】
その後、島コントロール制御ユニット装置５は、操作スイッチ群装置６に対して、玉通路シャッター２１０が開放または閉鎖している旨を示す情報を送信する（ＰＳ２−１１）。これにより操作スイッチ群装置６は、玉通路シャッター用操作部５２の２色ＬＥＤ５２ｂ（図９参照）を緑色に点灯させるか消灯させる（ＰＳ２−１２）。
【０２４５】
また管理端末装置２は、遊技場内の遊技台島１００に設置された全ての島コントロール制御ユニット装置５からシャッターＯＮ・ＯＦＦ応答情報を受信するか、玉通路シャッターＯＮ・ＯＦＦ情報を送信してから１分経過したことを検出する（ＰＳ２−１３）。尚、管理端末装置２から還元機２００を稼働または停止させることができるので、還元機扉及び点検扉は閉鎖されており、操作スイッチ群装置６の還元機用操作部５１のボタン５１ａ（図９参照）を押下することはできない（ＰＳ２−１４）。
【０２４６】
［リモート玉抜きストッパーＯＮ・ＯＦＦ処理］
次に、リモートモード（後述）の場合に、図４に示す玉抜きストッパー開放ボタンＨ０１０５または玉抜きストッパー閉鎖ボタンＨ０１０６が押下された時に遊技台稼働監視システム１が行う処理（以下、リモート玉抜きストッパーＯＮ・ＯＦＦ処理という）の動作を図４８を用いて説明する。図４８はリモート玉抜きストッパーＯＮ・ＯＦＦ処理を表すパケットシーケンスチャートである。
【０２４７】
まず、玉抜きストッパー開放ボタンＨ０１０５または玉抜きストッパー閉鎖ボタンＨ０１０６が押下されると（ＰＳ３−０１）、管理端末装置２は、遊技場内の遊技台島１００に設置された全ての島コントロール制御ユニット装置５に対して並列に、押下されたボタンに従って玉抜きストッパー２３０を開放または閉鎖させる玉抜きストッパーＯＮ・ＯＦＦ情報を送信する（ＰＳ３−０２）。これにより島コントロール制御ユニット装置５は、玉抜きストッパー２３０を開放または閉鎖させる玉抜きストッパーＯＮ・ＯＦＦ処理を行う（ＰＳ３−０３）。尚、この玉抜きストッパーＯＮ・ＯＦＦ処理は数秒で終了する。そして島コントロール制御ユニット装置５は、管理端末装置２に対して、玉抜きストッパーＯＮ・ＯＦＦ情報を受信した旨を示す玉抜きストッパーＯＮ・ＯＦＦ応答情報を送信する（ＰＳ３−０４）。
【０２４８】
その後島コントロール制御ユニット装置５は、操作スイッチ群装置６に対して、玉抜きストッパー２３０が開放または閉鎖している旨を示す情報を送信する（ＰＳ３−０５）。これにより操作スイッチ群装置６は、玉抜きストッパー用操作部５３の２色ＬＥＤ５３ｂ（図９参照）を緑色に点灯させるか消灯させる（ＰＳ３−０６）。
【０２４９】
また管理端末装置２は、遊技場内の遊技台島１００に設置された全ての島コントロール制御ユニット装置５から玉抜きストッパーＯＮ・ＯＦＦ応答情報を受信するか、玉抜きストッパーＯＮ・ＯＦＦ情報を送信してから１分経過したことを検出する（ＰＳ３−０７）。尚、管理端末装置２から玉抜きストッパー２３０を開放または閉鎖させることができるので、還元機扉及び点検扉は閉鎖されており、操作スイッチ群装置６の玉抜きストッパー用操作部５３のボタン５３ａ（図９参照）を押下することはできない（ＰＳ３−０８）。
【０２５０】
［リモートヒータＯＮ・ＯＦＦ処理］
次に、リモートモード（後述）の場合に、図４に示すヒータ稼働ボタンＨ０１０７またはヒータ停止ボタンＨ０１０８が押下された時に遊技台稼働監視システム１が行う処理（以下、リモートヒータＯＮ・ＯＦＦ処理という）の動作を図４９を用いて説明する。図４９はリモートヒータＯＮ・ＯＦＦ処理を表すパケットシーケンスチャートである。
【０２５１】
まず、ヒータ稼働ボタンＨ０１０７またはヒータ停止ボタンＨ０１０８が押下されると（ＰＳ４−０１）、管理端末装置２は、遊技場内の遊技台島１００に設置された全ての島コントロール制御ユニット装置５に対して並列に、押下されたボタンに従ってヒータ２２０を稼働または停止させるヒータＯＮ・ＯＦＦ情報を送信する（ＰＳ４−０２）。これにより島コントロール制御ユニット装置５は、ヒータ２２０を稼働または停止させるヒータＯＮ・ＯＦＦ処理を行う（ＰＳ４−０３）。尚、このヒータＯＮ・ＯＦＦ処理は数秒で終了する。そして島コントロール制御ユニット装置５は、管理端末装置２に対して、ヒータＯＮ・ＯＦＦ情報を受信した旨を示すヒータＯＮ・ＯＦＦ応答情報を送信する（ＰＳ４−０４）。
【０２５２】
その後島コントロール制御ユニット装置５は、操作スイッチ群装置６に対して、ヒータ２２０が稼働または停止している旨を示す情報を送信する（ＰＳ４−０５）。これにより操作スイッチ群装置６は、玉抜きストッパー用操作部５３の２色ＬＥＤ５３ｂ（図９参照）を緑色に点灯させるか消灯させる（ＰＳ４−０６）。
【０２５３】
また管理端末装置２は、遊技場内の遊技台島１００に設置された全ての島コントロール制御ユニット装置５からヒータＯＮ・ＯＦＦ応答情報を受信するか、ヒータＯＮ・ＯＦＦ情報を送信してから１分経過したことを検出する（ＰＳ４−０７）。尚、管理端末装置２からヒータ２２０を稼働または停止させることができるので、還元機扉及び点検扉は閉鎖されており、操作スイッチ群装置６のヒータ用操作部５４のボタン５４ａ（図９参照）を押下することはできない（ＰＳ４−０８）。
【０２５４】
［リモート布ベルト自動巻取りＯＮ・ＯＦＦ処理］
次に、リモートモード（後述）の場合に、図４に示す布ベルト巻取り装置稼働ボタンＨ０１０９または布ベルト巻取り装置停止ボタンＨ０１１０が押下された時に遊技台稼働監視システム１が行う処理（以下、リモート布ベルト自動巻取りＯＮ・ＯＦＦ処理という）の動作を図５０を用いて説明する。図５０はリモート布ベルト自動巻取りＯＮ・ＯＦＦ処理を表すパケットシーケンスチャートである。
【０２５５】
まず、布ベルト巻取り装置稼働ボタンＨ０１０９または布ベルト巻取り装置停止ボタンＨ０１１０が押下されると（ＰＳ５−０１）、管理端末装置２は、遊技場内の遊技台島１００に設置された全ての島コントロール制御ユニット装置５に対して並列に、押下されたボタンに従って布ベルト巻取り装置２４０を稼働または停止させる布ベルト自動巻取りＯＮ・ＯＦＦ情報を送信する（ＰＳ５−０２）。これにより島コントロール制御ユニット装置５は、布ベルト巻取り装置２４０を稼働または停止させる布ベルト自動巻取りＯＮ・ＯＦＦ処理を行う（ＰＳ５−０３）。尚、この布ベルト自動巻取りＯＮ・ＯＦＦ処理は数秒で終了する。そして島コントロール制御ユニット装置５は、管理端末装置２に対して、布ベルト自動巻取りＯＮ・ＯＦＦ情報を受信した旨を示す布ベルト自動巻取りＯＮ・ＯＦＦ応答情報を送信する（ＰＳ５−０４）。
【０２５６】
その後島コントロール制御ユニット装置５は、操作スイッチ群装置６に対して、布ベルト巻取り装置２４０が稼働または停止している旨を示す情報を送信する（ＰＳ５−０５）。これにより操作スイッチ群装置６は、布ベルト巻取り装置用操作部５５の２色ＬＥＤ５５ｂ（図９参照）を緑色に点灯させるか消灯させる（ＰＳ５−０６）。
【０２５７】
また管理端末装置２は、遊技場内の遊技台島１００に設置された全ての島コントロール制御ユニット装置５から布ベルト自動巻取りＯＮ・ＯＦＦ応答情報を受信するか、布ベルト自動巻取りＯＮ・ＯＦＦ情報を送信してから１分経過したことを検出する（ＰＳ５−０７）。尚、管理端末装置２から布ベルト巻取り装置２４０を稼働または停止させることができるので、還元機扉及び点検扉は閉鎖されており、操作スイッチ群装置６の布ベルト巻取り装置用操作部５５のボタン５５ａ（図９参照）を押下することはできない（ＰＳ５−０８）。
【０２５８】
［島状態取得処理］
次に、遊技台島１００の状態についての情報を取得するために遊技台稼働監視システム１が行う処理（以下、島状態取得処理という）の動作を図５１を用いて説明する。図５１は島状態取得処理を表すパケットシーケンスチャートである。
【０２５９】
まず、島コントロール制御ユニット装置５は、遊技台島１００に設置された各種センサ（不図示）から、この各種センサがＯＮまたはＯＦＦであるかを示すセンサＯＮ・ＯＦＦ情報を５００ミリ秒毎に受信する（ＰＳ６−０１）。そして島コントロール制御ユニット装置５は、島情報表示装置８に対して、受信したセンサＯＮ・ＯＦＦ情報に基づいて島情報表示装置８に表示させる内容を示す島情報表示装置表示情報を送信する（ＰＳ６−０２）。これにより島情報表示装置８は、島情報表示装置表示情報に基づいた情報を表示する（ＰＳ６−０３）。
【０２６０】
また島コントロール制御ユニット装置５は、遊技台島１００に設置された各種センサ（不図示）から、センサＯＮ・ＯＦＦ情報を５秒毎に受信する（ＰＳ６−０４）。そして島コントロール制御ユニット装置５は、管理端末装置２に対して、受信したセンサＯＮ・ＯＦＦ情報に基づいて遊技台島１００の状態を示す島状態通知情報を送信する（ＰＳ６−０５）。
【０２６１】
そして管理端末装置２は、受信した島状態通知情報に基づいて、制御部２１のＲＡＭ２１ｃに設けられ、遊技場内の全ての遊技台島１００の状態を示す情報を記憶する状態テーブルを更新する（ＰＳ６−０６）。尚、島状態通知情報を受信できない遊技台島１００については、この遊技台島１００内の装置全てを「異常」として状態テーブルを更新する。
【０２６２】
［島状態表示処理］
次に、遊技台島１００の状態を表示するために遊技台稼働監視システム１が行う処理（以下、島状態表示処理という）の動作を図５２を用いて説明する。図５２は島状態表示処理を表すパケットシーケンスチャートである。
【０２６３】
まず、島状態表示ボタンＨ０１１４が押下されると、管理端末装置２は、表示パネル２２ｂ（図３参照）の表示を島状態表示画面に遷移させる（ＰＳ７−０１）。そして、状態テーブルに記憶された情報に基づいて各遊技台島１００の状態を表示パネル２２ｂに表示させる（ＰＳ７−０２）。
【０２６４】
図６７は、管理端末装置２の表示パネル２２ｂに表示される島状態表示画面Ｇ０２の説明図である。
島状態表示画面Ｇ０２には、図６７に示すように、遊技台島１００毎（図６７では、島番１〜１２の１２台）に各装置の状態を色分けで表示する装置状態表示ボックスＨ０２０１と、装置状態表示ボックスＨ０２０１の判例を表示する状態色分け判例表示Ｈ０２０２と、交換が必要な布ベルトの本数を表示する布ベルト交換本数表示Ｈ０２０３と、通信異常が発生している島数を表示する通信異常島数表示Ｈ０２０４と、遊技台島１００毎の玉量を表示する玉量表示ボックスＨ０２０５と、装置状態表示ボックスＨ０２０１を前に移動表示する場合に押下される前ボタンＨ０２０６と、装置状態表示ボックスＨ０２０１を次に移動表示する場合に押下される次ボタンＨ０２０７と、ベルト交換期限に達した場合にのみ表示され、ベルト交換画面Ｇ０４（後述）を表示する場合に押下されるＶベルト交換ボタンＨ０２０８及び皮ベルト交換ボタンＨ０２０９と、夜間監視画面Ｇ０５（後述）を表示する場合に押下される夜間監視ボタンＨ０２１０等が表示される。
【０２６５】
尚、上述したように、管理端末装置２は、表示パネル２２ｂの表示画面上に表示される各種ボタンを押下する操作が行われると、その旨を示す信号をネットワークアダプタ３へ送信するように構成されている。
【０２６６】
また、装置状態表示ボックスＨ０２０１では、装置異常が発生している装置に該当する欄を例えば赤色で塗りつぶして、警告表示するようにされており（例えば、島番５の還元機の異常を表示する装置異常警告表示Ｈ０２１１を参照）、装置異常警告表示Ｈ０２１１が押下されると、図６８に示すような異常詳細表示画面Ｇ０３に遷移する。
【０２６７】
図６８は、管理端末装置２の表示パネル２２ｂに表示される異常詳細表示画面Ｇ０３の説明図である。異常詳細表示画面Ｇ０３には、図６８に示すように、異常の発生日時、復旧日時、島番、種別及び発生内容を表示する異常履歴ボックスＨ０３０１と、異常内容の説明と対処方法等を表示する異常詳細表示Ｈ０３０２等が表示される。
【０２６８】
また図６７に戻り、島状態表示画面Ｇ０２のＶベルト交換ボタンＨ０２０８または皮ベルト交換ボタンＨ０２０９が押下されると、図６９に示すようなベルト交換画面Ｇ０４に遷移する。
【０２６９】
図６９は、管理端末装置２の表示パネル２２ｂに表示されるベルト交換画面Ｇ０４の説明図である。ベルト交換画面Ｇ０４には、図６９に示すように、遊技台島１００毎にＶベルトの使用開始日を入力・表示するためのＶベルト使用開始日入力テキストボックスＨ０４０１と、遊技台島１００毎にレシコンベルトの使用開始日を入力・表示するためのレシコンベルト使用開始日入力テキストボックスＨ０４０２と、交換が必要なＶベルトの本数を表示するＶベルト交換本数表示Ｈ０４０３と、交換が必要なレシコンベルトの本数を表示するレシコンベルト交換本数表示Ｈ０４０４と、設定した内容をネットワークアダプタ３に保存する場合に押下される設定保存ボタンＨ０４０５と、ベルト交換を促す文章を表示するヘルプ表示Ｈ０４０６等が表示される。
【０２７０】
尚、Ｖベルト使用開始日入力テキストボックスＨ０４０１及びレシコンベルト使用開始日入力テキストボックスＨ０４０２では、ベルト交換が必要な遊技台島１００に該当する欄が例えば赤色で塗りつぶされて、警告表示するようにされている（例えば、Ｖベルト使用開始日入力テキストボックスＨ０４０１の島番５，６，７に対応する欄を参照）。
【０２７１】
また図６７に戻り、島状態表示画面Ｇ０２の夜間監視ボタンＨ０２１０が押下されると、図７０に示すような夜間監視画面Ｇ０５に遷移する。
図７０は、管理端末装置２の表示パネル２２ｂに表示される夜間監視画面Ｇ０５の説明図である。夜間監視画面Ｇ０５には、図７０に示すように、夜間監視中に発生した異常の発生履歴を表示する夜間監視履歴表示Ｈ０４１１と、夜間監視履歴表示Ｈ０４１１の表示内容を選択する場合に押下される表示内容選択ボタン群Ｈ０４１２、表示画面の遷移先を選択する場合に押下される遷移画面選択ボタン群Ｈ０４１３等が表示される。尚、夜間監視中に発生した異常の発生履歴データを消去するための専用のパスワードを設け、該パスワードを遊技場を監視する第三者が保管することで、不正を監視するようにしてもよい。
【０２７２】
［発生履歴取得処理］
次に、遊技台島１００における異常発生履歴情報を取得するために遊技台稼働監視システム１が行う処理（以下、発生履歴取得処理という）の動作を図５３〜図５８を用いて説明する。図５３〜図５８は発生履歴取得処理の第１〜第６の部分を表すパケットシーケンスチャートである。
【０２７３】
まず、島コントロール制御ユニット装置５は、遊技台島１００に設置された各種センサから、この各種センサがＯＮまたはＯＦＦであるかを示すセンサＯＮ・ＯＦＦ情報を５００ミリ秒毎に受信する（ＰＳ８−０３）。これら各種センサの中で遊技台島１００内の異常を検出するセンサ（不図示）（以下、異常センサという）がＯＦＦ（ＰＳ８−０１）からＯＮ（ＰＳ８−０２）になると、島コントロール制御ユニット装置５は異常を検出し（ＰＳ８−０４）、島情報表示装置８に対して、受信したセンサＯＮ・ＯＦＦ情報に基づいて異常を検出した旨を示す島情報表示装置表示情報を送信する（ＰＳ８−０５）。これにより島情報表示装置８は、異常を検出した旨を表示する（ＰＳ８−０６）。
【０２７４】
更に島コントロール制御ユニット装置５は、操作スイッチ群装置６に対して、受信したセンサＯＮ・ＯＦＦ情報に基づいて異常を検出した旨を示す異常表示情報を送信する（ＰＳ８−０７）。これにより操作スイッチ群装置６は、７セグＬＥＤ５６ａ，５７ａ，５８ａ，５９ａ，６０ａ（図９参照）に異常を検出した旨を表示させる（ＰＳ８−０８）。
【０２７５】
また島コントロール制御ユニット装置５は、煙感知センサ（不図示）がＯＦＦからＯＮになると、遊技台島１００の環境に異常が発生したと検出し（ＰＳ８−０９）、ネットワークアダプタ３に対して、遊技台島１００の環境に異常が発生した旨を示す発生通知情報を送信する（ＰＳ８−１０）。
【０２７６】
そしてネットワークアダプタ３は、ネットワークアダプタ３内に設けられ、遊技場内の全ての遊技台島１００で発生した異常の履歴を示す情報を記憶する発生履歴テーブルに、受信した発生通知情報（つまり、異常の内容を示す情報）を蓄積する（ＰＳ８−１１）。尚、受信した発生通知情報を蓄積する際に、この発生通知情報には、異常が発生した時刻を示す時刻情報が付加される。更にネットワークアダプタ３は、発生履歴テーブルの最新レコード位置をポイントし（ＰＳ８−１２）、島コントロール制御ユニット装置５に対して、発生通知情報を受信した旨を示す発生通知応答情報を送信する（ＰＳ８−１３）。
【０２７７】
次に、島コントロール制御ユニット装置５は、遊技台島１００に設置された各種センサ（不図示）から、この各種センサがＯＮまたはＯＦＦであるかを示すセンサＯＮ・ＯＦＦ情報を５００ミリ秒毎に受信し（ＰＳ８−１５）、異常センサ（不図示）がＯＮ（ＰＳ８−０２）からＯＦＦ（ＰＳ８−１４）になると、異常復旧を検出し（ＰＳ８−１６）、島情報表示装置８に対して、受信したセンサＯＮ・ＯＦＦ情報に基づいて異常復旧を検出した旨を示す島情報表示装置表示情報を送信する（ＰＳ８−１７）。これにより島情報表示装置８は、異常を検出した旨の表示を解除する（ＰＳ８−１８）。
【０２７８】
更に島コントロール制御ユニット装置５は、操作スイッチ群装置６に対して、受信したセンサＯＮ・ＯＦＦ情報に基づいて異常復旧を検出した旨を示す異常表示情報を送信する（ＰＳ８−１９）。これにより操作スイッチ群装置６は、７セグＬＥＤ５６ａ，５７ａ，５８ａ，５９ａ，６０ａ（図９参照）に異常を検出した旨の表示を解除させる（ＰＳ８−２０）。
【０２７９】
また島コントロール制御ユニット装置５は、煙感知センサ（不図示）がＯＮからＯＦＦになると、遊技台島１００の環境異常が復旧したと検出し（ＰＳ８−２１）、ネットワークアダプタ３に対して、環境異常が復旧した旨を示す発生通知情報を送信する（ＰＳ８−２２）。
【０２８０】
そしてネットワークアダプタ３は、発生履歴テーブルに、受信した発生通知情報（つまり、環境異常が復旧したことを示す情報）を蓄積する（ＰＳ８−２３）。尚、受信した発生通知情報を蓄積する際に、この発生通知情報には、環境異常が復旧した時刻を示す時刻情報が付加される。更にネットワークアダプタ３は、発生履歴テーブルの最新レコード位置をポイントし（ＰＳ８−２４）、島コントロール制御ユニット装置５に対して、発生通知情報を受信した旨を示す発生通知応答情報を送信する（ＰＳ８−２５）。
【０２８１】
また、島コントロール制御ユニット装置５は、遊技台島１００に設置された各種センサ（不図示）から、この各種センサがＯＮまたはＯＦＦであるかを示すセンサＯＮ・ＯＦＦ情報を５秒毎に受信し（ＰＳ８−２８、ＰＳ８−３５、ＰＳ８−４３、ＰＳ８−５０）、煙感知センサ（不図示）以外の異常センサ（不図示）がＯＦＦ（ＰＳ８−２６）からＯＮ（ＰＳ８−２７）になると、島コントロール制御ユニット装置５は異常を検出し（ＰＳ８−２９）、ネットワークアダプタ３に対して、遊技台島１００に異常が発生した旨を示す発生通知情報を送信する（ＰＳ８−３０）。
【０２８２】
そしてネットワークアダプタ３は、発生履歴テーブルに、受信した発生通知情報（つまり、異常の内容を示す情報）を蓄積する（ＰＳ８−３１）。尚、受信した発生通知情報を蓄積する際に、この発生通知情報には、異常が発生した時刻を示す時刻情報が付加される。更にネットワークアダプタ３は、発生履歴テーブルの最新レコード位置をポイントし（ＰＳ８−３２）、島コントロール制御ユニット装置５に対して、発生通知情報を受信した旨を示す発生通知応答情報を送信する（ＰＳ８−３３）。
【０２８３】
更に島コントロール制御ユニット装置５は、煙感知センサ（不図示）以外の異常センサ（不図示）がＯＮ（ＰＳ８−２７）からＯＦＦ（ＰＳ８−３４）になると、異常復旧を検出し（ＰＳ８−３６）、ネットワークアダプタ３に対して、異常が復旧した旨を示す発生通知情報を送信する（ＰＳ８−３７）。
【０２８４】
そしてネットワークアダプタ３は、発生履歴テーブルに、受信した発生通知情報（つまり、異常が復旧したことを示す情報）を蓄積する（ＰＳ８−３８）。尚、受信した発生通知情報を蓄積する際に、この発生通知情報には、異常が復旧した時刻を示す時刻情報が付加される。更にネットワークアダプタ３は、発生履歴テーブルの最新レコード位置をポイントし（ＰＳ８−３９）、島コントロール制御ユニット装置５に対して、発生通知情報を受信した旨を示す発生通知応答情報を送信する（ＰＳ８−４０）。
【０２８５】
また、還元機扉及び点検扉等の開放を検出するセンサ（不図示）（以下、開放センサという）がＯＦＦ（ＰＳ８−４１）からＯＮ（ＰＳ８−４２）になると、島コントロール制御ユニット装置５は開放を検出し（ＰＳ８−４４）、ネットワークアダプタ３に対して、還元機扉及び点検扉等が開放した旨を示す発生通知情報を送信する（ＰＳ８−４５）。
【０２８６】
そしてネットワークアダプタ３は、発生履歴テーブルに、受信した発生通知情報（つまり、開放の内容を示す情報）を蓄積する（ＰＳ８−４６）。尚、受信した発生通知情報を蓄積する際に、この発生通知情報には、開放が発生した時刻を示す時刻情報が付加される。更にネットワークアダプタ３は、発生履歴テーブルの最新レコード位置をポイントし（ＰＳ８−４７）、島コントロール制御ユニット装置５に対して、発生通知情報を受信した旨を示す発生通知応答情報を送信する（ＰＳ８−４８）。
【０２８７】
更に島コントロール制御ユニット装置５は、開放センサ（不図示）がＯＮ（ＰＳ８−４２）からＯＦＦ（ＰＳ８−４９）になると、開放復旧を検出し（ＰＳ８−５１）、ネットワークアダプタ３に対して、開放が復旧した旨を示す発生通知情報を送信する（ＰＳ８−５２）。
【０２８８】
そしてネットワークアダプタ３は、発生履歴テーブルに、受信した発生通知情報（つまり、開放が復旧したことを示す情報）を蓄積する（ＰＳ８−５３）。尚、受信した発生通知情報を蓄積する際に、この発生通知情報には、開放が復旧した時刻を示す時刻情報が付加される。更にネットワークアダプタ３は、発生履歴テーブルの最新レコード位置をポイントし（ＰＳ８−５４）、島コントロール制御ユニット装置５に対して、発生通知情報を受信した旨を示す発生通知応答情報を送信する（ＰＳ８−５５）。
【０２８９】
［発生履歴表示処理］
次に、遊技台島１００における発生履歴を表示するために遊技台稼働監視システム１が行う処理（以下、発生履歴表示処理という）の動作を図５９を用いて説明する。図５９は発生履歴表示処理を表すパケットシーケンスチャートである。
【０２９０】
まず、管理端末装置２は、ネットワークアダプタ３から発生履歴テーブルの最新レコードを３秒毎に取得する（ＰＳ９−０１）。そして、現在の発生履歴テーブルの最新レコードと（ＰＳ９−０１）で取得した最新レコードとに差分がない場合には、異常・開放の発生がないため処理を行わない（ＰＳ９−０２）。
【０２９１】
一方、ネットワークアダプタ３は、島コントロール制御ユニット装置５から、異常・開放が発生した旨を示す発生通知情報を受信すると（ＰＳ９−０３）、発生履歴テーブルを更新する（ＰＳ９−０４）。
【０２９２】
その後、管理端末装置２が、ネットワークアダプタ３から発生履歴テーブルの最新レコードを取得すると（ＰＳ９−０５）、現在の発生履歴テーブルの最新レコードと（ＰＳ９−０５）で取得した最新レコードとに差分があるため（ＰＳ９−０６）、管理端末装置２は、ネットワークアダプタ３から、該当する異常・開放を示す情報を取得する（ＰＳ９−０７）。
【０２９３】
そして、図４に示す島履歴ボタンＨ０１１６が押下されると島履歴画面Ｇ０６に遷移し、発生履歴テーブルに記憶された情報に基づいて、発生履歴を表示パネル２２ｂ（図３参照）に表示させる。
【０２９４】
図７１は、管理端末装置２の表示パネル２２ｂに表示される島履歴画面Ｇ０６の説明図である。島履歴画面Ｇ０６には、図７１に示すように、履歴の、発生日時、復旧日時、島番、種別及び発生内容を表示する島履歴リストＨ０５０１と、島履歴リストＨ０５０１に発生履歴のみを表示させる場合に押下される発生履歴表示ボタンＨ０５０２と、島履歴リストＨ０５０１に管理履歴のみを表示させる場合に押下される管理履歴表示ボタンＨ０５０３と、島履歴リストＨ０５０１に発生履歴と管理履歴を表示させる場合に押下される全件表示ボタンＨ０５０４と、島履歴リストＨ０５０１を前に移動表示する場合に押下される前ボタンＨ０５０５と、島履歴リストＨ０５０１を次に移動表示する場合に押下される次ボタンＨ０５０６等が表示される。
【０２９５】
尚、上述したように、管理端末装置２は、表示パネル２２ｂの表示画面上に表示される各種ボタンを押下する操作が行われると、その旨を示す信号をネットワークアダプタ３へ送信するように構成されている。
【０２９６】
［台状態取得処理］
次に、遊技台１２０の状態についての情報を取得するために遊技台稼働監視システム１が行う処理（以下、台状態取得処理という）の動作を図６０を用いて説明する。図６０は台状態取得処理を表すパケットシーケンスチャートである。
【０２９７】
まず、通信基板４は、台Ｉ／Ｏ基板７から、この台Ｉ／Ｏ基板７に接続された遊技台１２０の状態を示す台入力情報を受信すると（ＰＳ１０−０１）、通信基板４内に設けられ、遊技場内の全ての遊技台１２０の状態についての情報を記憶する台入力テーブルを更新する（ＰＳ１０−０２）。
【０２９８】
また、島コントロール制御ユニット装置５は、通信基板４に対して、台入力テーブルに記憶された情報を要求するための台入力テーブル問合わせ情報を５秒毎に送信する（ＰＳ１０−０３）。更に通信基板４は、台入力テーブル問合わせ情報を受信すると、台入力テーブルに記憶された情報（以下、台入力テーブル情報という）を島コントロール制御ユニット装置５へ送信する（ＰＳ１０−０４）。
【０２９９】
そして島コントロール制御ユニット装置５は、受信した台入力テーブル情報を保持し（ＰＳ１０−０５）、例えば、サンドメダル状態に前回受信時から変化がある場合には（ＰＳ１０−０６）、サンドメダルが不足している旨を示す島情報表示装置表示情報を送信する（ＰＳ１０−０７）。これにより島情報表示装置８（図１０参照）は、サンドメダルが不足している旨を表示する（ＰＳ１０−０８）。これにより、複数のサンドメダル不足を一括で確認することができるため、サンドメダルが不足している数に合わせて事前に他の店員に応援を依頼することができ、スムーズにサンドメダル補給作業を行うことができる。
【０３００】
［台状態表示処理］
次に、遊技台１２０の状態を表示するために遊技台稼働監視システム１が行う処理（以下、台状態表示処理という）の動作を図６１を用いて説明する。図６１は台状態表示処理を表すパケットシーケンスチャートである。
【０３０１】
図６７に示す夜間監視ボタンＨ０２１０が押下されると、管理端末装置２は、表示パネル２２ｂ（図３参照）の表示を夜間監視画面Ｇ０５に遷移させる（ＰＳ１１−０１）。そして、ホールコンピュータの機能を使用して台状態の履歴を表示する（ＰＳ１１−０２）。
【０３０２】
［動作条件設定・表示処理］
次に、動作条件の設定と表示を行うために遊技台稼働監視システム１が行う処理（以下、動作条件設定・表示処理という）の動作を図６２を用いて説明する。図６２は動作条件設定・表示処理を表すパケットシーケンスチャートである。
【０３０３】
まず、動作条件設定ボタンＨ０１１７が押下されると、管理端末装置２は、表示パネル２２ｂ（図３参照）の表示を動作条件設定画面の島全体設定シートＧ０７に遷移させ（ＰＳ１２−０１）、ネットワークアダプタ３から動作条件を示す情報を取得する（ＰＳ１２−０２）。そして、取得した情報に基づいて、表示パネル２２ｂに動作条件を表示させる（ＰＳ１２−０３）。
【０３０４】
図７２は、管理端末装置２の表示パネル２２ｂに表示される動作条件設定画面Ｇ０７の説明図である。島全体設定シートＧ０７には、図７２に示すように、動作条件設定画面の島全体設定シートＧ０７を表示する場合に押下される島全体設定ボタンＨ０６０１と、動作条件設定画面のベルト設定シートＧ０８を表示する場合に押下されるベルト設定ボタンＨ０６０２と、動作条件設定画面の島別設定１シートＧ０９を表示する場合に押下される島別設定１ボタンＨ０６０３と、動作条件設定画面の島別設定２シートＧ１０を表示する場合に押下される島別設定２ボタンＨ０６０４と、動作条件設定画面の島別設定３シートＧ１１を表示する場合に押下される島別設定３ボタンＨ０６０５と、動作条件設定画面のダウンロードシートＧ１２を表示する場合に押下されるダウンロードボタンＨ０６０６と、３種類の島タイプの中から１つの島タイプを選択する場合に押下される島タイプ設定ボタンＨ０６０７と、玉抜きストッパー２３０の動作時間を表示する玉抜きストッパー動作時間表示Ｈ０６０８と、玉抜きストッパー動作時間表示Ｈ０６０８の数値に「１５」を加算して玉抜きストッパー動作時間表示Ｈ０６０８に表示する場合に押下される玉抜きストッパー動作時間加算ボタンＨ０６０９と、玉抜きストッパー動作時間表示Ｈ０６０８の数値から「１５」を減算して玉抜きストッパー動作時間表示Ｈ０６０８に表示する場合に押下される玉抜きストッパー動作時間減算ボタンＨ０６１０と、ヒータ２２０の設定温度を入力・表示するためのヒータ温度入力テキストボックスＨ０６１１と、設定した内容をネットワークアダプタ３に保存する場合に押下される設定保存ボタンＨ０６１２と、テキストなどにカーソルが当っているときに、入力を助言する文章を表示するヘルプ表示Ｈ０６１３等が表示される。
【０３０５】
尚、上述したように、管理端末装置２は、表示パネル２２ｂの表示画面上に表示される各種ボタンを押下する操作が行われると、その旨を示す信号をネットワークアダプタ３へ送信するように構成されている。
【０３０６】
更に、ベルト設定ボタンＨ０６０２が押下されると、図７３に示すような、動作条件設定画面のベルト設定シートＧ０８に遷移する。図７３は、管理端末装置２の表示パネル２２ｂに表示されるベルト設定シートＧ０８の説明図である。ベルト設定シートＧ０８には、図７３に示すように、遊技台島１００毎にＶベルトの使用開始日を入力・表示するためのＶベルト使用開始日入力テキストボックスＨ０７０１と、遊技台島１００毎にレシコンベルトの使用開始日を入力・表示するためのレシコンベルト使用開始日入力テキストボックスＨ０７０２と、設定した内容をネットワークアダプタ３に保存する場合に押下される設定保存ボタンＨ０７０３と、テキストなどにカーソルが当っているときに、入力を助言する文章を表示するヘルプ表示Ｈ０７０４等が表示される。
【０３０７】
また図７２に戻り、島別設定１ボタンＨ０６０３が押下されると、図７４に示すような、動作条件設定画面の島別設定１シートＧ０９に遷移する。図７４は、管理端末装置２の表示パネル２２ｂに表示される島別設定１シートＧ０９の説明図である。島別設定１シートＧ０９には、ネットワークアダプタ３と通信基板４のアドレスを遊技台島１００毎に入力・表示するためのアドレス設定入力テキストボックスＨ０８０１と、島コントロール制御ユニット装置５のアドレスを遊技台島１００毎に表示する島コンアドレス表示Ｈ０８０２と、設定した内容をネットワークアダプタ３に保存する場合に押下される設定保存ボタンＨ０８０３と、テキストなどにカーソルが当っているときに、入力を助言する文章を表示するヘルプ表示Ｈ０８０４等が表示される。
【０３０８】
また図７２に戻り、島別設定２ボタンＨ０６０４が押下されると、図７５に示すような、動作条件設定画面の島別設定２シートＧ１０に遷移する。図７５は、管理端末装置２の表示パネル２２ｂに表示される島別設定２シートＧ１０の説明図である。島別設定２シートＧ１０には、還元機２００の高さを遊技台島１００毎に入力・表示するための還元機高さ設定入力テキストボックスＨ０９０１と、玉抜きストッパー２３０やヒータ２２０等の各種装置の有無を遊技台島１００毎に入力・表示するための装置有無入力テキストボックスＨ０９０２と、設定した内容をネットワークアダプタ３に保存する場合に押下される設定保存ボタンＨ０９０３と、テキストなどにカーソルが当っているときに、入力を助言する文章を表示するヘルプ表示Ｈ０９０４等が表示される。
【０３０９】
また図７２に戻り、島別設定３ボタンＨ０６０５が押下されると、図７６に示すような、動作条件設定画面の島別設定３シートＧ１１に遷移する。図７６は、管理端末装置２の表示パネル２２ｂに表示される島別設定３シートＧ１１の説明図である。島別設定３シートＧ１１には、吸殻回収装置、ジェットカウンタ等の装置の有無を遊技台島１００毎に入力・表示するための装置有無入力テキストボックスＨ１００１と、設定した内容をネットワークアダプタ３に保存する場合に押下される設定保存ボタンＨ１００２と、テキストなどにカーソルが当っているときに、入力を助言する文章を表示するヘルプ表示Ｈ１００３等が表示される。
【０３１０】
尚、上記の動作条件設定画面の島全体設定シートＧ０７、ベルト設定シートＧ０８、島別設定１シートＧ０９、島別設定２シートＧ１０及び島別設定３シートＧ１１が表示されている場合に、設定を変更したが、設定保存せずに別画面に移動する操作を行うと、図８０（ａ）に示すように、「設定が保存されていません。破棄しますか？」と確認するダイアローグＤ０４が表示される。
【０３１１】
また、設定ファイルをネットワークアダプタ３から取得し、データを画面に表示するまでの間には、図８０（ｂ）に示すように、「データ読み込み中です。しばらくお待ちください。」と記載されたダイアローグＤ０５が表示される。
【０３１２】
また、設定したデータを設定ファイルとしてネットワークアダプタ３に保存するまでの間には、図８０（ｃ）に示すように、「データ書き込み中です。しばらくお待ちください。」と記載されたダイアローグＤ０６が表示される。
【０３１３】
また、上記の動作条件設定画面の島別設定２シートＧ１０が表示されている場合に、還元機高さ設定入力テキストボックスＨ０９０１内に規定値以外の値が入力されたときには、図８０（ｄ）に示すように、「還元機の高さ設定が正しくありません。それでも設定しますか？」と確認するダイアローグＤ０７が表示される。
【０３１４】
また図７２に戻り、ダウンロードボタンＨ０６０６が押下されると、図７７に示すような、動作条件設定画面のダウンロードシートＧ１２に遷移する。図７７は、管理端末装置２の表示パネル２２ｂに表示されるダウンロードシートＧ１２の説明図である。ダウンロードシートＧ１２には、島コントロール制御ユニット装置５へのダウンロードを全島一斉に行う設定とする場合に押下されるダウンロード全体一斉ボタンＨ１１０１と、島コントロール制御ユニット装置５へのダウンロードを指定した遊技台島１００のみに行う設定とする場合に押下されるダウンロード指定島コンボタンＨ１１０２と、指定した遊技台島１００の番号を入力・表示するためのダウンロード指定島番号入力テキストボックスＨ１１０３と、ダウンロードを実行する場合に押下されるダウンロード実行ボタンＨ１１０４と、テキストなどにカーソルが当っているときに、入力を助言する文章を表示するヘルプ表示Ｈ１１０５等が表示される。
【０３１５】
尚、上述したように、管理端末装置２は、表示パネル２２ｂの表示画面上に表示される各種ボタンを押下する操作が行われると、その旨を示す信号をネットワークアダプタ３へ送信するように構成されている。
【０３１６】
また図６２に戻り、設定保存ボタンＨ０６１２（図７２参照），Ｈ０７０３（図７３参照），Ｈ０８０３（図７３参照），Ｈ０９０３（図７５参照），Ｈ１００２（図７６参照）が押下されると（ＰＳ１２−０４）、管理端末装置２は、設定した動作条件を示す情報（以下、動作条件設定情報という）をネットワークアダプタ３へ送信する（ＰＳ１２−０５）。そして、ネットワークアダプタ３は、動作条件設定情報を受信すると、受信した動作条件設定情報をファイルに保存する（ＰＳ１２−０６）。
【０３１７】
更に、動作条件設定画面のダウンロードシートＧ１２のダウンロード実行ボタンＨ１１０４が押下されると（ＰＳ１２−０７）、図７９（ａ）に示すように、暗証番号の入力を要求するダイアローグＤ０２が表示され、正しい暗証番号が入力されると、図７８に示すように、ダウンロード中であることを示すダイアローグＤ０１が表示され（ＰＳ１２−０８）、この時、画面操作は無効化される。尚、ダウンロード実行ボタンＨ１１０４が押下された時点で、ダウンロードの対象となる遊技台島１００において停止していない装置がある場合には、図７９（ｂ）に示すように、「装置が停止していませんがダウンロードの実行を行いますか？」と確認するダイアローグＤ３が表示され、ダウンロードの実行を行う操作を行った場合には、上記の暗証番号入力ダイアローグが表示されて、ダウンロードのための処理が進行する。
【０３１８】
また図６２に戻り、ダウンロード中であることを示すダイアローグが表示された後に、管理端末装置２は、ネットワークアダプタ３に対して、ダウンロードの実施を指示するためのダウンロード実施情報を送信する（ＰＳ１２−０９）。そしてネットワークアダプタ３は、ダウンロード実施情報を受信すると、ファイルに保存した動作条件設定情報を島コントロール制御ユニット装置５にダウンロードする（ＰＳ１２−１０）。
【０３１９】
その後、ネットワークアダプタ３は、管理端末装置２に対して、ダウンロード実施情報を受信した旨を示すダウンロード実施応答情報を送信する（ＰＳ１２−１１）。そして管理端末装置２は、ダウンロード実施応答情報を受信すると、表示パネル２２ｂ上に表示された「ダウンロード中」ダイアローグＤ０１の表示を解除するとともに、画面操作無効化を解除する（ＰＳ１２−１２）。
【０３２０】
［リモート閉店後処理］
まず、リモートモード時に閉店後処理ボタンＨ０１０２が押下された時に遊技台稼働監視システム１が行う処理（以下、リモート閉店後処理という）の動作を図６３及び図６４を用いて説明する。図６３はリモート閉店後処理の前半部分、図６４はリモート閉店後処理の後半部分を表すパケットシーケンスチャートである。
【０３２１】
まず、閉店後処理ボタンＨ０１０２が押下されると（ＰＳ１４−０１）、管理端末装置２は表示パネル２２ｂ（図３参照）に「閉店後処理中」ダイアローグを表示する（ＰＳ１４−０２）。尚、この時、島情報表示装置８の表示画面となる液晶ディスプレイ（ＬＣＤ）８ａには、「停止中」または「運転中」と表示されている（ＰＳ１４−０３）。
【０３２２】
その後、管理端末装置２は、ネットワークアダプタ３に対して、「閉店後処理中」である旨を示す管理端末状態設定情報を送信する（ＰＳ１４−０４）。これにより、ネットワークアダプタ３は、管理端末装置２が「閉店後処理中」であることを認識する（ＰＳ１４−０５）。その後ネットワークアダプタ３は、管理端末装置２に対して、管理端末状態情報を受信した旨を示す管理端末状態設定応答情報を送信する（ＰＳ１４−０６）。
【０３２３】
そして管理端末装置２は、管理端末状態設定応答情報を受信すると、島コントロール制御ユニット装置５に対して、「閉店後処理中」である旨を示す管理端末定期通信情報を送信する（ＰＳ１４−０７）。島コントロール制御ユニット装置５は、管理端末定期通信情報を受信すると、島情報表示装置８に対して、「閉店後処理中」である旨を示す島情報表示装置情報を送信する（ＰＳ１４−０８）。これにより島情報表示装置８は、「閉店後処理中」と表示する（ＰＳ１４−０９）。
【０３２４】
また管理端末装置２は、遊技場内の遊技台島１００に設置された全ての島コントロール制御ユニット装置５に対して並列に、還元機２００を停止させる還元機ＯＦＦ情報を送信する（ＰＳ１４−１０）。これにより島コントロール制御ユニット装置５は、還元機２００を停止させる還元機ＯＦＦ処理を行う（ＰＳ１４−１１）。尚、この還元機ＯＦＦ処理は数秒で終了する。そして島コントロール制御ユニット装置５は、管理端末装置２に対して、還元機ＯＦＦＮ情報を受信した旨を示す還元機ＯＦＦ応答情報を送信する（ＰＳ１４−１２）。
【０３２５】
その後島コントロール制御ユニット装置５は、操作スイッチ群装置６に対して、還元機２００が停止している旨を示す情報を送信する（ＰＳ１４−１３）。これにより操作スイッチ群装置６は、還元機用操作部５１の２色ＬＥＤ５１ｂ（図９参照）を消灯させる（ＰＳ１４−１４）。
【０３２６】
また管理端末装置２は、遊技場内の遊技台島１００に設置された全ての島コントロール制御ユニット装置５から還元機ＯＦＦ応答情報を受信するか、還元機ＯＦＦ情報を送信してから１分経過したことを検出した（ＰＳ１４−１５）後に、管理端末装置２は、遊技場内の遊技台島１００に設置された全ての島コントロール制御ユニット装置５に対して並列に、布ベルト巻取り装置２４０を稼働させる布ベルト自動巻取りＯＮ情報を送信する（ＰＳ１４−１６）。これにより島コントロール制御ユニット装置５は、布ベルト巻取り装置２４０を稼働させる布ベルト自動巻取りＯＮ処理を行う（ＰＳ１４−１７）。尚、この布ベルト自動巻取りＯＮ処理は数秒で終了する。そして島コントロール制御ユニット装置５は、管理端末装置２に対して、布ベルト自動巻取りＯＮ情報を受信した旨を示す布ベルト自動巻取りＯＮ応答情報を送信する（ＰＳ１４−１８）。
【０３２７】
その後島コントロール制御ユニット装置５は、操作スイッチ群装置６に対して、布ベルト巻取り装置２４０が稼働している旨を示す情報を送信する（ＰＳ１４−１９）。これにより操作スイッチ群装置６は、玉抜きストッパー用操作部５３の２色ＬＥＤ５３ｂ（図９参照）を緑色に点灯させる（ＰＳ１４−２０）。
【０３２８】
また管理端末装置２は、遊技場内の遊技台島１００に設置された全ての布ベルト巻取り装置２４０から布ベルト自動巻取りＯＮ応答情報を受信するか、布ベルト自動巻取りＯＮ情報を送信してから１分経過したことを検出する（ＰＳ１４−２１）。
【０３２９】
その後、管理端末装置２は、ネットワークアダプタ３に対して、「停止中」である旨を示す管理端末状態設定情報を送信する（ＰＳ１４−２２）。これにより、ネットワークアダプタ３は、管理端末装置２が「停止中」であることを認識する（ＰＳ１４−２３）。その後ネットワークアダプタ３は、管理端末装置２に対して、管理端末状態情報を受信した旨を示す管理端末状態設定応答情報を送信する（ＰＳ１４−２４）。
【０３３０】
そして管理端末装置２は、管理端末状態設定応答情報を受信すると、島コントロール制御ユニット装置５に対して、「停止中」である旨を示す管理端末定期通信情報を送信する（ＰＳ１４−２５）。島コントロール制御ユニット装置５は、管理端末定期通信情報を受信すると、島情報表示装置８に対して、「停止中」である旨を示す島情報表示装置情報を送信する（ＰＳ１４−２６）。これにより島情報表示装置８は、「停止中」と表示する（ＰＳ１４−２７）。また管理端末装置２は、表示パネル２２ｂ上に表示された「閉店後処理中」ダイアローグの表示を解除する（ＰＳ１４−２８）。
【０３３１】
［夜間監視開始処理］
次に、夜間監視を開始するために遊技台稼働監視システム１が行う処理（以下、夜間監視開始処理という）の動作を図６５を用いて説明する。図６５は夜間監視開始処理を表すパケットシーケンスチャートである。
【０３３２】
ネットワークアダプタ３は、ホール状態が「開店中」または「閉店中」であることを認識している時に（ＰＳ１５−０２）、認識しているホール状態に応じてホール状態が「開店中」または「閉店中」であることを示すホール状態フィラーを島コントロール制御ユニット装置５へ送信する（ＰＳ１５−０３）。尚、島コントロール制御ユニット装置５は、ホール状態フィラーによりホール状態を認識し、ホール状態が「夜間監視中」以外のときは管理端末定期通信による管理端末状態の表示を優先する。また、この時、島情報表示装置８の表示画面となる液晶ディスプレイ（ＬＣＤ）８ａ（図９参照）には、「停止中」または「運転中」と表示されている（ＰＳ１５−０１）。
【０３３３】
その後、管理端末装置２において電源ＯＦＦの操作がされると（ＰＳ１５−０４）、管理端末装置２は、表示パネル２２ｂ（図３参照）に「夜間監視開始」ダイアローグを表示する（ＰＳ１５−０５）。
【０３３４】
そして、管理端末装置２において夜間監視開始ボタンが押下されると（ＰＳ１５−０６）、管理端末装置２は、ホールコンピュータの機能による夜間監視を開始する旨を示す夜間監視開始情報を送信する（ＰＳ１５−０７）。これにより、ネットワークアダプタ３は、夜間監視を開始するとともに（ＰＳ１５−０９）、ホール状態が「夜間監視中」であることを認識する（ＰＳ１５−１０）。尚、管理端末装置２は、夜間監視開始情報を送信した後に、電源ＯＦＦとなる（ＰＳ１５−０８）。
【０３３５】
その後ネットワークアダプタ３は、ホール状態が「夜間監視中」であることを示すホール状態フィラーを島コントロール制御ユニット装置５へ送信する（ＰＳ１５−１１）。島コントロール制御ユニット装置５は、ホール状態フィラーによりホール状態を認識し、ホール状態が「夜間監視中」ときはホール状態の表示を優先する。そして、島情報表示装置８に対して、「夜間監視中」である旨を示す島情報表示装置情報を送信する（ＰＳ１５−１２）。これにより島情報表示装置８は、「夜間監視中」と表示する（ＰＳ１５−１３）（図８１（ｄ）の表示画面Ｇ２４を参照）。
【０３３６】
［夜間監視解除処理］
次に、夜間監視を解除するために遊技台稼働監視システム１が行う処理（以下、夜間監視解除処理という）の動作を図６６を用いて説明する。図６６は夜間監視解除処理を表すパケットシーケンスチャートである。
【０３３７】
ホール状態が「夜間監視中」であることをネットワークアダプタ３が認識している時に（ＰＳ１６−０１）、管理端末装置２において電源ＯＮになると（ＰＳ１６−０２）、ホールコンピュータの機能による夜間監視を解除する旨を示す夜間監視解除情報を送信する（ＰＳ１６−０３）。これにより、ネットワークアダプタ３は、夜間監視を解除するとともに（ＰＳ１６−０４）、ホール状態が「開店中」または「閉店中」であることを認識する（ＰＳ１６−０５）。
【０３３８】
その後ネットワークアダプタ３は、ホール状態が「開店中」または「閉店中」であることを示すホール状態フィラーを島コントロール制御ユニット装置５へ送信する（ＰＳ１６−０６）。尚、島コントロール制御ユニット装置５は、ホール状態が「夜間監視中」以外に戻ったときは「待機中」表示にして、管理端末定期通信を待つ。以後、管理端末定期通信による管理端末状態の表示を優先する。
【０３３９】
そしてネットワークアダプタ３は、島情報表示装置８に対して、「待機中」である旨を示す島情報表示装置情報を送信する（ＰＳ１６−０７）。これにより島情報表示装置８は、「待機中」と表示する（ＰＳ１６−０８）（図８１（ｃ）の表示画面Ｇ２３を参照）。
【０３４０】
更に管理端末装置２は、島コントロール制御ユニット装置５に対して、「運転中」または「停止中」である旨を示す管理端末定期通信情報を送信する（ＰＳ１６−０９）。島コントロール制御ユニット装置５は、管理端末定期通信情報を受信すると、島情報表示装置８に対して、「運転中」または「停止中」である旨を示す島情報表示装置情報を送信する（ＰＳ１６−１０）。これにより島情報表示装置８は、「運転中」または「停止中」と表示する（ＰＳ１６−１１）。
【０３４１】
このように構成された遊技台島制御システム１では、遊技台島１００から離れた場所に設置された管理端末装置２によって、還元機２００、玉通路シャッター２１０、ヒータ２２０、玉抜きストッパー２３０及び布ベルト巻取り装置２４０を制御するための制御指示信号ＳＳが送信される。そして、メイン側第３コネクタ４６及び入出力部４１ｄによって、管理端末装置２から送信される制御指示信号ＳＳが受信され、更に、リモート開店処理、リモート閉店処理、管理端末側還元機稼働処理、管理端末側還元機停止処理、管理端末側ヒータ稼働処理、管理端末側ヒータ停止処理、管理端末側玉抜きストッパー開放処理、管理端末側玉抜きストッパー閉鎖処理、管理端末側布ベルト稼働処理または管理端末側布ベルト停止処理（以下、これらの処理をまとめて、島制御処理という）によって、受信された制御指示信号ＳＳに基づいて、還元機２００、玉通路シャッター２１０、ヒータ２２０、玉抜きストッパー２３０または布ベルト巻取り装置２４０が制御される。
【０３４２】
また、遊技台島１００に設置されたメンテナンス用操作部６３によって無効操作が入力された場合に（Ｓ１０）、Ｓ３０の処理によって、島制御処理の動作が制限される。
そして、島制御処理の動作が制限されている場合に、制御指示信号ＳＳの受信が行われたとき、Ｓ１００の処理によって、報知ランプ９１が点灯する。
【０３４３】
従って、島制御処理の動作が制限されている場合に（以下、島制御処理の動作制限時という）、制御指示信号ＳＳの受信が行われたことを遊技台島１００側で知らせることが可能になる。
【０３４４】
これにより、報知ランプ９１が点灯しなかった場合には、島制御処理の動作制限時に制御指示信号ＳＳの受信が行われなかったと認識させることができ、遊技台島１００から離れた管理端末装置２の設置場所にいる管理スタッフに確認する作業を行う必要がなくなる。この結果、このような手間のかかる確認作業の頻度を低減でき、作業スタッフの作業効率の向上を図ることができるという極めて優れた効果を奏する。
【０３４５】
また、Ｓ１１０の処理によって、島制御処理の動作制限時に受信した制御指示信号ＳＳの内容が時系列表示器９２に表示される。
即ち、報知ランプ９１が点灯するのみである場合には、作業スタッフは、この報知ランプ９１が点灯した後に、制御指示信号ＳＳの内容を管理スタッフに確認する作業を行う必要がある。しかし、遊技台島制御システム１は、作業スタッフに制御指示信号ＳＳの内容を認識させることができるので、このような手間のかかる確認作業を省略でき、作業スタッフの作業効率の更なる向上を図ることができるという極めて優れた効果を奏する。
【０３４６】
また、Ｓ１１０の処理によって、島制御処理の動作制限時に受信した制御指示信号ＳＳの内容と受信時刻とを、還元機２００、ヒータ２２０、玉抜きストッパー２３０及び布ベルト巻取り装置２４０毎に分類して、制御指示信号ＳＳを受信した時刻の早い順に時系列表示器９２に表示される。このため、島制御処理の動作制限時に受信した複数の制御指示信号ＳＳの内容を一括して、遊技台島１００側で認識することが可能になる。
【０３４７】
これにより、例えば、島制御処理の動作制限時に、還元機２００を稼働させる制御指示信号ＳＳが送信され、その後、還元機２００を停止させる制御指示信号ＳＳが送信された場合には、作業スタッフに、現状の制御指示信号ＳＳの内容が還元機２００の停止であることを認識させ、以前に行われた制御指示信号ＳＳに基づいた作業（つまり、還元機２００の稼働）を行う必要がないと判断させることが可能になる。従って、作業スタッフに無用な作業をさせてしまうことを抑制でき、作業スタッフの作業効率の更なる向上を図ることができるという極めて優れた効果を奏する。
【０３４８】
また、装置配置表示器９３によって、還元機２００、ヒータ２２０、玉抜きストッパー２３０及び布ベルト巻取り装置２４０の配置が、簡略化された図形で表示され、更にＳ１２０の処理によって、装置配置表示器９３において、受信した制御指示信号ＳＳの内容に対応した装置を表す図形が強調表示される。
【０３４９】
このため、図形で表された装置が装置配置表示器９３に表示されることにより、受信した制御指示信号ＳＳの内容に対応した装置を、遊技玉循環設備（還元機２００、ヒータ２２０、玉抜きストッパー２３０及び布ベルト巻取り装置２４０）を構成する複数の装置の中の配置で認識させることが可能になる。即ち、文字による報知（つまり、装置名の報知）よりも図形の配置による報知の方が、作業スタッフに、制御指示信号ＳＳの内容に対応した装置（以下、被制御装置という）を直感的に認識させやすくすることができる。これにより、報知された被制御装置を作業スタッフに間違えて認識させてしまうことを抑制でき、作業スタッフの作業効率の更なる向上を図ることができるという極めて優れた効果を奏する。
【０３５０】
また、Ｓ９０の処理によって、島制御処理の動作制限時に受信した制御指示信号ＳＳの内容がＲＡＭ４１ｃに記憶される。そして、遊技台島１００に設置されたメンテナンス用操作部６３によって解除操作が入力された場合に（Ｓ２１０）、Ｓ２２０の処理によって、Ｓ９０の処理によって記憶された制御指示信号ＳＳの内容に基づいて、還元機２００、玉通路シャッター２１０、ヒータ２２０、玉抜きストッパー２３０または布ベルト巻取り装置２４０が制御される。
【０３５１】
従って、島制御処理の動作制限時に無効となった制御指示信号ＳＳで指示された処理（以下、無効指示処理という）が解除操作の後に行われることになる。このため、解除操作の後に、遊技台島１００側から無効指示処理を実行する作業を作業スタッフが行う必要がなくなる。これにより、作業スタッフの作業効率の更なる向上を図ることができるという極めて優れた効果を奏する。
【０３５２】
以上説明した実施形態において、遊技台島制御システム１は本発明における遊技台島の制御システム、還元機２００、玉通路シャッター２１０、ヒータ２２０、玉抜きストッパー２３０及び布ベルト巻取り装置２４０は本発明における遊技媒体循環手段、管理端末装置２は本発明における遠隔制御手段、メイン側第３コネクタ４６及び入出力部４１ｄは本発明における受信手段である。
【０３５３】
また、リモート開店処理、リモート閉店処理、管理端末側還元機稼働処理、管理端末側還元機停止処理、管理端末側ヒータ稼働処理、管理端末側ヒータ停止処理、管理端末側玉抜きストッパー開放処理、管理端末側玉抜きストッパー閉鎖処理、管理端末側布ベルト稼働処理または管理端末側布ベルト停止処理は本発明における島制御手段である。
【０３５４】
また、メンテナンス用操作部６３は本発明における無効操作入力手段及び解除操作入力手段、Ｓ３０の処理は本発明における制御無効手段、Ｓ１００及びＳ１１０の処理は本発明における報知手段、装置配置表示器９３は本発明における装置配置表示手段、Ｓ１２０の処理は本発明における被制御装置表示手段、Ｓ９０の処理は本発明における信号記憶手段、Ｓ２２０の処理は本発明における解除時島制御手段である。
【０３５５】
以上、本発明の一実施例について説明したが、本発明は上記実施例に限定されるものではなく、本発明の技術的範囲に属する限り種々の形態を採ることができる。
例えば上記実施形態においては、無効にされた制御指示信号ＳＳの内容を時系列表示器９２によって時系列的に表示することにより報知するものを示したが、制御指示信号ＳＳの内容を時系列的に音声出力することにより、報知するものであってもよい。
【０３５６】
また上記実施形態においては、無効操作入力手段としてメンテナンス用操作部６３を設けたが、操作スイッチ群装置６、及び無効制御報知装置１０のそれぞれを還元機扉又は点検扉を開放した際に現れる遊技台島の内部空間に設け、還元機扉または点検扉の開放を検出する手段を無効操作入力手段としてもよい。このように構成することで、メンテナンス用操作部を操作するという作業を行わなくても、メンテナンスを行うために還元機扉または点検扉を開放するという作業を行うだけで自動的に管理端末からの制御指示信号を無効にすることができる。よって、作業スタッフの作業効率の更なる向上を図ることができる。又、上述した還元機扉または点検扉の開放を検出する手段についての具体例としては開放状態と閉鎖状態を検出可能な開放・閉鎖状態検出センサが挙げられるが、該開放・閉鎖状態検出センサが所定位置からずれた場合、又は故障してしまった場合等は、開放状態と認識できるように設定するとよい。そのように設定することでメンテナンス中に装置が稼働する事態を確実に防止することができる。
【図面の簡単な説明】
【０３５７】
【図１】遊技台島制御システム１の全体構成を示すブロック図である
【図２】遊技台島１００内における還元機２００、玉通路シャッター２１０等の配置を説明する図である。
【図３】管理端末装置２の内部構成を表すブロック図である。
【図４】一括操作画面Ｇ０１の説明図である。
【図５】島コントロール制御ユニット装置５の内部構成を表すブロック図である。
【図６】入出力端子部３３ｃ，３４ｃ，３５ｃ，３６ｃの構成の説明図である。
【図７】入出力端子部３７ｃの構成の説明図である。
【図８】操作スイッチ群装置６の正面図である。
【図９】操作スイッチ群装置６の内部構成を表すブロック図である。
【図１０】島情報表示装置８及び台情報表示装置９の正面図である。
【図１１】無効制御報知装置１０の正面図である。
【図１２】制御無効処理を表すフローチャートである。
【図１３】無効解除時処理を表すフローチャートである。
【図１４】スイッチパネル側還元機稼働処理を表すフローチャートである。
【図１５】管理端末側還元機稼働処理を表すフローチャートである。
【図１６】スイッチパネル側還元機停止処理を表すフローチャートである。
【図１７】管理端末側還元機停止処理を表すフローチャートである。
【図１８】玉通路シャッター開放処理を表すフローチャートである。
【図１９】玉通路シャッター閉鎖処理を表すフローチャートである。
【図２０】還元機定期監視処理の前半部分を表すフローチャートである。
【図２１】還元機定期監視処理の後半部分を表すフローチャートである。
【図２２】玉通路シャッター定期監視処理を表すフローチャートである。
【図２３】スイッチパネル側ヒータ稼働処理を表すフローチャートである。
【図２４】管理端末側ヒータ稼働処理を表すフローチャートである。
【図２５】スイッチパネル側ヒータ停止処理を表すフローチャートである。
【図２６】管理端末側ヒータ停止処理を表すフローチャートである。
【図２７】ヒータ定期監視処理を表すフローチャートである。
【図２８】ヒータ制御処理を表すフローチャートである。
【図２９】スイッチパネル側玉抜きストッパー開放処理を表すフローチャートである。
【図３０】管理端末側玉抜きストッパー開放処理を表すフローチャートである。
【図３１】スイッチパネル側玉抜きストッパー閉鎖処理を表すフローチャートである。
【図３２】管理端末側玉抜きストッパー閉鎖処理を表すフローチャートである。
【図３３】玉抜きストッパー定期監視処理を表すフローチャートである。
【図３４】玉流れ異常処理を表すフローチャートである。
【図３５】玉漏れ異常処理を表すフローチャートである。
【図３６】スイッチパネル側布ベルト稼働処理を表すフローチャートである。
【図３７】管理端末側布ベルト稼働処理を表すフローチャートである。
【図３８】スイッチパネル側布ベルト停止処理を表すフローチャートである。
【図３９】管理端末側布ベルト停止処理を表すフローチャートである。
【図４０】布ベルト定期監視処理を表すフローチャートである。
【図４１】布ベルト巻取り処理を表すフローチャートである。
【図４２】緩み解消動作処理を表すフローチャートである。
【図４３】布ベルト・システム起動処理を表すフローチャートである。
【図４４】リモート開店前処理の第１の部分を表すパケットシーケンスチャートチャートである。
【図４５】リモート開店前処理の第２の部分を表すパケットシーケンスチャートである。
【図４６】リモート開店前処理の第３の部分を表すパケットシーケンスチャートである。
【図４７】リモート還元機ＯＮ・ＯＦＦ処理を表すパケットシーケンスチャートである。
【図４８】リモート玉抜きストッパーＯＮ・ＯＦＦ処理を表すパケットシーケンスチャートである。
【図４９】リモートヒータＯＮ・ＯＦＦ処理を表すパケットシーケンスチャートである。
【図５０】リモート布ベルト自動巻取りＯＮ・ＯＦＦ処理を表すパケットシーケンスチャートである。
【図５１】島状態取得処理を表すパケットシーケンスチャートである。
【図５２】島状態表示処理を表すパケットシーケンスチャートである。
【図５３】発生履歴取得処理の第１の部分を表すパケットシーケンスチャートである。
【図５４】発生履歴取得処理の第２の部分を表すパケットシーケンスチャートである。
【図５５】発生履歴取得処理の第３の部分を表すパケットシーケンスチャートである。
【図５６】発生履歴取得処理の第４の部分を表すパケットシーケンスチャートである。
【図５７】発生履歴取得処理の第５の部分を表すパケットシーケンスチャートである。
【図５８】発生履歴取得処理の第６の部分を表すパケットシーケンスチャートである。
【図５９】発生履歴表示処理を表すパケットシーケンスチャートである。
【図６０】台状態取得処理を表すパケットシーケンスチャートである。
【図６１】台状態表示処理を表すパケットシーケンスチャートである。
【図６２】動作条件設定・表示処理を表すパケットシーケンスチャートである。
【図６３】リモート閉店後処理の前半部分を表すパケットシーケンスチャートである。
【図６４】リモート閉店後処理の後半部分を表すパケットシーケンスチャートである。
【図６５】夜間監視開始処理を表すパケットシーケンスチャートである。
【図６６】夜間監視解除処理を表すパケットシーケンスチャートである。
【図６７】島状態表示画面Ｇ０２の説明図である。
【図６８】異常詳細表示画面Ｇ０３の説明図である。
【図６９】ベルト交換画面Ｇ０４の説明図である。
【図７０】夜間監視画面Ｇ０５の説明図である。
【図７１】島履歴画面Ｇ０６の説明図である。
【図７２】島全体設定シートＧ０７の説明図である。
【図７３】ベルト設定シートＧ０８の説明図である。
【図７４】島別設定１シートＧ０９の説明図である。
【図７５】島別設定２シートＧ１０の説明図である。
【図７６】島別設定３シートＧ１１の説明図である。
【図７７】ダウンロードシートＧ１２の説明図である。
【図７８】ダウンロード中のダイアローグＤ０１の説明図である。
【図７９】ダウンロード前のダイアローグＤ０２，Ｄ０３の説明図である。
【図８０】動作条件設定画面でのダイアローグＤ０４〜Ｄ０７の説明図である。
【図８１】島情報表示装置８の表示画面Ｇ２１〜Ｇ２４の説明図である。
【符号の説明】
【０３５８】
１…遊技台稼働監視システム、２…管理端末装置、３…ネットワークアダプタ、４…通信基板、５…島コントロール制御ユニット装置、６…操作スイッチ群装置、７…台Ｉ／Ｏ基板、７ａ…島端Ｉ／Ｏ基板、８…島情報表示装置、９…台情報表示装置、１０…無効制御報知装置、２１…制御部、２１ａ…ＣＰＵ、２１ｂ…ＲＯＭ、２１ｃ…ＲＡＭ、２１ｄ…入出力部、２１ｅ…バス、２２…ユーザＩ／Ｆ、２２ａ…操作部、２２ｂ…表示パネル、２３…通信部、３１…メイン制御基板、３２ａ，３２ｂ，３２ｃ，３２ｄ，３２ｅ…コネクタケーブル、３３…第１サブ制御基板、３３ａ…サブ側コネクタ、３３ｂ…入出力回路、３３ｃ…入出力端子部、３４…第２サブ制御基板、３４ａ…サブ側コネクタ、３４ｂ…入出力回路、３４ｃ…入出力端子部、３５…第３サブ制御基板、３５ａ…サブ側コネクタ、３５ｂ…入出力回路、３５ｃ…入出力端子部、３６…第４サブ制御基板、３６ａ…サブ側コネクタ、３６ｂ…入出力回路、３６ｃ…入出力端子部、３７…第５サブ制御基板、３７ａ…サブ側コネクタ、３７ｂ…入出力回路、３７ｃ…入出力端子部、３８…状態確認用ＬＥＤ群、４１…制御部、４１ａ…ＣＰＵ、４１ｂ…ＲＯＭ、４１ｃ…ＲＡＭ、４１ｄ…入出力部、４１ｅ…バス、４２…リセットＩＣ、４３…電源供給部、４４…メイン側第１コネクタ、４５…メイン側第２コネクタ、４６…メイン側第３コネクタ、４７…ＬＥＤ駆動回路、５１…還元機用操作部、５１ａ…ボタン、５１ｂ…２色ＬＥＤ、５２…玉通路シャッター用操作部、５２ａ…ボタン、５２ｂ…２色ＬＥＤ、５３…玉抜きストッパー用操作部、５３ａ…ボタン、５３ｂ…２色ＬＥＤ、５４…ヒータ用操作部、５４ａ…ボタン、５４ｂ…２色ＬＥＤ、５５…布ベルト巻取り装置用操作部、５５ａ…ボタン、５５ｂ…２色ＬＥＤ、５６…還元機用状態表示部、５６ａ…７セグＬＥＤ、５７…玉通路シャッター用状態表示部、５７ａ…７セグＬＥＤ、５８…玉抜きストッパー用状態表示部、５８ａ…７セグＬＥＤ、５９…ヒータ用状態表示部、５９ａ…７セグＬＥＤ、６０…布ベルト巻取り装置用状態表示部、６０ａ…７セグＬＥＤ、６１…布ベルト巻取り装置ブレーカ、６２…オーバーフロー確認用操作部、６２ａ…ボタン、６２ｂ…ＬＥＤ、６３…メンテナンス用操作部、６３ａ…ボタン、６３ｂ…ＬＥＤ、６４…スイッチパネル、６５…入出力部、７１…台情報表示制御基板、７２…台番一覧表示器、７２ａ…台番号表示部、７２ｂ…状態表示部、７３…台番一覧表示器、７３ａ…台番号表示部、７３ｂ…状態表示部、８１…制御部、８１ａ…ＣＰＵ、８１ｂ…ＲＯＭ、８１ｃ…ＲＡＭ、８１ｄ…入出力部、８１ｅ…バス、８２…表示器駆動回路、８３…表示器駆動回路、９１…報知ランプ、９２…時系列表示器、９３…装置配置表示器、１００…遊技台島、１０１…妻板、１１０…呼出ランプ装置、１２０…遊技台、１２１…アウト玉計数器、１３１…欄間開放センサ、１３２…内枠開放センサ、１４１…金庫開放センサ、１４２…両替機開放センサ、２００…還元機、２１０…玉通路シャッター、２２０…ヒータ、２３０…玉抜きストッパー、２４０…布ベルト巻取り装置
【図１】
2008132016.tif 000003
【図２】
2008132016.tif 000004
【図３】
2008132016.tif 000005
【図４】
2008132016.tif 000006
【図５】
2008132016.tif 000007
【図６】
2008132016.tif 000008
【図７】
2008132016.tif 000009
【図８】
2008132016.tif 000010
【図９】
2008132016.tif 000011
【図１０】
2008132016.tif 000012
【図１１】
2008132016.tif 000013
【図１２】
2008132016.tif 000014
【図１３】
2008132016.tif 000015
【図１４】
2008132016.tif 000016
【図１５】
2008132016.tif 000017
【図１６】
2008132016.tif 000018
【図１７】
2008132016.tif 000019
【図１８】
2008132016.tif 000020
【図１９】
2008132016.tif 000021
【図２０】
2008132016.tif 000022
【図２１】
2008132016.tif 000023
【図２２】
2008132016.tif 000024
【図２３】
2008132016.tif 000025
【図２４】
2008132016.tif 000026
【図２５】
2008132016.tif 000027
【図２６】
2008132016.tif 000028
【図２７】
2008132016.tif 000029
【図２８】
2008132016.tif 000030
【図２９】
2008132016.tif 000031
【図３０】
2008132016.tif 000032
【図３１】
2008132016.tif 000033
【図３２】
2008132016.tif 000034
【図３３】
2008132016.tif 000035
【図３４】
2008132016.tif 000036
【図３５】
2008132016.tif 000037
【図３６】
2008132016.tif 000038
【図３７】
2008132016.tif 000039
【図３８】
2008132016.tif 000040
【図３９】
2008132016.tif 000041
【図４０】
2008132016.tif 000042
【図４１】
2008132016.tif 000043
【図４２】
2008132016.tif 000044
【図４３】
2008132016.tif 000045
【図４４】
2008132016.tif 000046
【図４５】
2008132016.tif 000047
【図４６】
2008132016.tif 000048
【図４７】
2008132016.tif 000049
【図４８】
2008132016.tif 000050
【図４９】
2008132016.tif 000051
【図５０】
2008132016.tif 000052
【図５１】
2008132016.tif 000053
【図５２】
2008132016.tif 000054
【図５３】
2008132016.tif 000055
【図５４】
2008132016.tif 000056
【図５５】
2008132016.tif 000057
【図５６】
2008132016.tif 000058
【図５７】
2008132016.tif 000059
【図５８】
2008132016.tif 000060
【図５９】
2008132016.tif 000061
【図６０】
2008132016.tif 000062
【図６１】
2008132016.tif 000063
【図６２】
2008132016.tif 000064
【図６３】
2008132016.tif 000065
【図６４】
2008132016.tif 000066
【図６５】
2008132016.tif 000067
【図６６】
2008132016.tif 000068
【図６７】
2008132016.tif 000069
【図６８】
2008132016.tif 000070
【図６９】
2008132016.tif 000071
【図７０】
2008132016.tif 000072
【図７１】
2008132016.tif 000073
【図７２】
2008132016.tif 000074
【図７３】
2008132016.tif 000075
【図７４】
2008132016.tif 000076
【図７５】
2008132016.tif 000077
【図７６】
2008132016.tif 000078
【図７７】
2008132016.tif 000079
【図７８】
2008132016.tif 000080
【図７９】
2008132016.tif 000081
【図８０】
2008132016.tif 000082
【図８１】
2008132016.tif 000083